(57)【特許請求の範囲】
【請求項１】
予め1または複数の金融機関コードを記憶し、操作者の操作に応じて少なくとも取引種別、金融機関コード、口座番号、取引金額が入力されると、当該金融機関コードが予め金融機関コードとして記憶されているか否かを判別し、当該金融機関コードが予め記憶されていた場合は、当該金融機関コードに応じた通信先コードを選定し、当該通信先コードと前記金融機関コードと口座番号と取引種別と取引金額を含む取引要求信号を管理装置へ送信する自動取引装置と、
該自動取引装置からの取引要求信号を受信すると、当該取引要求信号に含まれる通信先コードに対応する金融機関の処理装置へ前記取引要求信号を送信し、金融機関の処理装置からの許可信号を受信すると当該許可信号を自動取引装置へ送信する管理装置と、
少なくとも１または複数の口座の口座番号と各口座番号に対応する取引データと金融機関コードを記憶し、前記管理装置からの取引要求信号を受信すると、当該取引要求信号に含まれる金融機関コードが予め記憶した金融機関コードであるか否かを判別し、当該取引要求信号に含まれる金融機関コードが予め記憶した金融機関コードであった場合は、当該取引要求信号に含まれる口座番号が予め記憶している口座番号と一致するか否かを判別し、取引要求信号に含まれる口座番号が予め記憶されていた場合は、取引を許可する許可信号を管理装置へ送信するとともに、当該取引要求信号に含まれる取引種別および取引金額を当該口座番号に対応する取引データとして記憶する第１の金融機関の処理装置と、
少なくとも１または複数の口座の口座番号と各口座番号に対応する取引データと金融機関コードを記憶し、第１の金融機関の処理装置からの取引要求信号を受信すると、当該取引要求信号に含まれる金融機関コードが予め記憶した金融機関コードであるか否かを判別し、当該取引要求信号に含まれる金融機関コードが予め記憶した金融機関コードであった場合は、当該取引要求信号に含まれる口座番号が予め記憶している口座番号と一致するか否かを判別し、取引要求信号に含まれる口座番号が予め記憶されていた場合は、取引を許可する許可信号を第１の金融機関の処理装置へ送信するとともに、当該取引要求信号に含まれる取引種別および取引金額を当該口座番号に対応する取引データとして記憶する第２の金融機関の処理装置を設け、
前記第１の金融機関の処理装置は、
１または複数の金融機関の処理装置との間の通信手順を各金融機関の金融機関コードに対応して予め記憶し、前記管理装置からの取引要求信号に含まれる金融機関コードが自金融機関の金融機関コードでなかった場合は、当該金融機関コードに対応する通信手順に従って第２の金融機関の処理装置との間の通信回線を接続し、前記取引要求信号を第２の金融機関の処理装置へ送信し、第２の金融機関の処理装置からの許可信号を受信すると当該許可信号を管理装置へ送信し、
前記自動取引装置は、
操作者の操作に応じて入力した金融機関コードが予め記憶されていなかった場合は、記憶している金融機関コードのうち予め指定されている通信先コードを選定し、当該通信先コードと前記金融機関コードと口座番号を含む取引要求信号を管理装置へ送信する
ことを特徴とする決済管理システム。
【請求項２】
予め通信先コードを記憶し、操作者の操作に応じて少なくとも取引種別、金融機関コード、口座番号、取引金額が入力されると、前記通信先コードと前記金融機関コードと口座番号と取引種別と取引金額を含む取引要求信号を管理装置へ送信する自動取引装置と、
該自動取引装置からの取引要求信号を受信すると、当該取引要求信号に含まれる通信先コードに対応する金融機関の処理装置へ前記取引要求信号を送信し、金融機関の処理装置からの許可信号を受信すると当該許可信号を自動取引装置へ送信する管理装置と、
少なくとも１または複数の口座の口座番号と各口座番号に対応する取引データと金融機関コードを記憶し、前記管理装置からの取引要求信号を受信すると、当該取引要求信号に含まれる金融機関コードが予め記憶した金融機関コードであるか否かを判別し、当該取引要求信号に含まれる金融機関コードが予め記憶した金融機関コードであった場合は、当該取引要求信号に含まれる口座番号が予め記憶している口座番号と一致するか否かを判別し、取引要求信号に含まれる口座番号が予め記憶されていた場合は、取引を許可する許可信号を管理装置へ送信するとともに、当該取引要求信号に含まれる取引種別および取引金額を当該口座番号に対応する取引データとして記憶する第１の金融機関の処理装置と、
少なくとも１または複数の口座の口座番号と各口座番号に対応する取引データと金融機関コードを記憶し、第１の金融機関の処理装置からの取引要求信号を受信すると、当該取引要求信号に含まれる金融機関コードが予め記憶した金融機関コードであるか否かを判別し、当該取引要求信号に含まれる金融機関コードが予め記憶した金融機関コードであった場合は、当該取引要求信号に含まれる口座番号が予め記憶している口座番号と一致するか否かを判別し、取引要求信号に含まれる口座番号が予め記憶されていた場合は、取引を許可する許可信号を第１の金融機関の処理装置へ送信するとともに、当該取引要求信号に含まれる取引種別および取引金額を当該口座番号に対応する取引データとして記憶する第２の金融機関の処理装置を設け、
前記第１の金融機関の処理装置は、
１または複数の金融機関の処理装置との間の通信手順を各金融機関の金融機関コードに対応して予め記憶し、前記管理装置からの取引要求信号に含まれる金融機関コードが自金融機関の金融機関コードでなかった場合は、当該金融機関コードに対応する通信手順に従って前記取引要求信号を第２の金融機関の処理装置へ送信し、第２の金融機関の処理装置からの許可信号を受信すると当該許可信号を管理装置へ送信し、
前記自動取引装置は、
操作者の操作に応じて入力した金融機関コードが予め記憶されていなかった場合は、記憶している金融機関コードのうち予め指定されている通信先コードを選定し、当該通信先コードと前記金融機関コードと口座番号を含む取引要求信号を管理装置へ送信する
ことを特徴とする決済管理システム。
【請求項３】
前記自動取引装置は、
予め付与された識別情報、金融機関コード、取引種別、口座番号、取引金額を含む取引データを記憶するとともに管理装置へ送信し、予め設定された時刻になると記憶している取引データを締めデータとして管理装置へ送信し、
前記管理装置は、
自動取引装置からの取引データを受信すると、当該取引データを記憶する第１の取引データ記憶部と、
第１の金融機関との間で送受信した信号を含む通信履歴を記憶する通信履歴記憶部とを有し、
自動取引装置からの締めデータを受信すると、第１の取引データに記憶した取引データと締めデータとを照合し、両者が一致しなかった場合は、通信履歴記憶部に記憶している通信履歴をもとに第１の取引データ記憶部に記憶した取引データの正否を判断することを特徴とする請求項１または２のいずれか１項記載の決済管理システム。
【請求項４】
前記管理装置は、
各金融機関コードに対応する基準額および合計額を記憶する金額記憶部を設け、
通信履歴記憶部に記憶している通信履歴をもとに第1の取引データ記憶部に記憶したデータが正しいものであると判断した場合は、当該取引データを確認データとして記憶し、予め設定された時刻になると当該確認データについて金融機関コード毎に当該金融機関コードが含まれている確認データの取引金額を加算し取引合計金額を求め、金額記憶部に記憶している合計額に当該取引合計金額を加算し新たな合計額として金額記憶部に記憶するとともに、新たな合計額と金額記憶部に記憶している当該金融機関コードの基準額とを比較し、新たな合計額が基準額を外れたときに、当該金融機関コードの合計額が基準額を外れたことを報知する
ことを特徴とする請求項３記載の決済管理システム。
【発明の詳細な説明】
【０００１】
【発明の属する技術分野】
本願の発明は、自動取引装置と銀行間を通信回線で接続し、自動取引装置で行われた取引の決済を通信にて行うとともに、自動取引装置内の現金の管理を行う決済管理システムに関するものである。
【０００２】
【従来技術】
近年、金融機関では、事務処理の合理化を図るため従来窓口で行われていたサービスの一部を自動取引装置により行うシステムを導入している。
【０００３】
自動取引装置で行われている主なサービスには、指定された口座からの現金の引出し、指定された口座への現金による振込み、指定された口座から指定された他の口座への振替え等がある。
【０００４】
前記自動取引装置により利用者がこれらのサービスを利用する場合、まず、いずれのサービスを利用するかを指定し、選択したサービスにしたがってカードの挿入、暗証番号や取引金額、振込み先の口座番号の入力等の作業を行う。自動取引装置は、カードに書込まれたカードデータに含まれる金融機関コードを確認し、カードデータや暗証番号、取引金額、振込み先の口座番号等のデータを金融機関ネットワークを介して金融機関へ送信する。金融機関では、カードデータに含まれる口座番号や振込み先の口座番号に対応する口座があり、暗証番号が正規の番号であることおよび取引金額が口座の金額以下であることを確認すると、当該取引を許可する許可信号を返送する。自動取引装置では、金融機関からの許可信号を受信し取引が許可されたことを確認すると、当該取引を行うことを示す取引確認信号を金融機関に送信するとともに、現金の支払い等を行い、取引が完了したと判断して処理を終了する。金融機関では、自動取引装置からの取引確認信号を受信すると、利用者の口座について取引処理を行う。
また、上記自動取引装置内には、利用者が投入した現金や、利用者へ支払うための現金が保管されている。このため、金融機関にて、常時各自動取引装置内に保管されている現金の量を監視し、定期的または不定期的に自動取引装置へ投入された現金の回収、および、支払いのための現金の補充を行ったり、自動取引装置内に実際に保管されている現金の額（在り高）と自動取引装置により取り引きされたデータの内容をもとに計算した論理上の在り高とを照合するシステムも導入されている。
【０００５】
【発明が解決しようとする課題】
しかしながら、上記従来のシステムにおいては、自動取引装置と金融機関の間の通信手順が金融機関ごとに異なっているため、１台の自動取引装置では１つの金融機関との間でしか決済処理を行うことができないという問題があった。
【０００６】
そこで、１台の自動取引装置に複数の金融機関との通信手順を記憶させ、利用者のカードデータに応じた金融機関あるいは振込み先である金融機関との通信手順を選択して処理を行うシステムが考えられるが、この場合、予め自動取引装置に利用すると思われる全ての金融機関との通信手順を登録しなければならず、自動取引装置自体が高価なものになってしまうという問題があった。
【０００７】
また、上記従来のシステムにおいては、自動取引装置を複数の金融機関で使用可能とした場合、自動取引装置内の現金の回収や補充の管理をいずれの金融機関にて行うかが問題になっている。
【０００８】
さらに、１台の自動取引装置を複数の金融機関で使用した場合、各金融機関では、それぞれが取り引きしたデータしか保有していないため、各金融機関では当該自動取引装置内の実際の在り高と論理上の在り高とを照合する際、当該自動取引装置を使用する金融機関が保有する取引データを全て取寄せなければならず、手間がかかるという問題があった。
【０００９】
【課題を解決するための手段】
そこで、上記課題を解決するために本願の決済管理システムでは、自動取引装置から金融機関との取引要求があった場合に当該金融機関との通信手順の制御を管理装置または予め決められた金融機関が一括して行うようにすることにより、自動取引装置に複数の金融機関との通信手順を記憶させる必要がなく、１台の自動取引装置で複数の金融機関と決済処理を行うことができるようにしている。
【００１０】
また、本願の決済管理システムによれば、管理装置にて自動取引装置から送信される取引結果のデータと自動取引装置内の実際の在り高データ、記憶している金融機関との通信履歴をもとに、自動取引装置内の実際の在り高と取り引きしたデータから計算した論理上の在り高とを照合し、また、自動取引装置から送信されるニアエンド信号、ニアフル信号をもとに全ての自動取引装置内の現金の回収や補充の管理を行うことにより、自動取引装置内の現金の管理を管理装置で一括して行うことができるようにしている。
【００１１】
【発明の実施の形態】
本願の決済管理システムの実施例を図面を用いて説明する。
［実施例１］
〔構  成〕
図１は、本願の決済管理システムの第１の実施例を示すブロック図である。
【００１２】
図１において、自動取引装置１ａは、表示部１０１、入力部１０２、カードリーダ１０３、紙幣預け入れ機構１０４、紙幣支払い機構１０５、通信制御部１０６、金融機関記憶部１０７、取引データ記憶部１０８、スケジュール記憶部１０９、照合データ記憶部１１２、制御部１１１ａとから構成されている。
【００１３】
表示部１０１は、制御部１１１ａから入力する表示データに応じた文字や図を表示する。
【００１４】
入力部１０２は、操作者の操作に応じて選択信号、暗証番号、金額データを制御部１１１ａへ出力する。
【００１５】
カードリーダ１０３は、操作者が挿入したカードに書込まれたカードデータを読み込み、当該カードデータを制御部１１１ａへ出力する。このカードデータには、少なくともこのカードを発行した金融機関の金融機関コードとカードに対応する口座を示す口座番号が書込まれている。
【００１６】
紙幣預け入れ機構１０４は、操作者が入出金口へ投入した現金を精査し保管箱内に収納するとともに、投入された現金の合計金額を金額データとして制御部１１１ａへ出力する。また、投入された現金を保管する保管箱内の現金の量を監視し、保管箱内の現金が予め設定された量を越えたときに制御部１１１ａにニアフル信号を出力する。
【００１７】
紙幣支払い機構１０５は、制御部１１１ａからの金額データが入力すると当該金額データに応じた現金を保管箱内から取り出し、この現金を入出金口へ排出し利用者へ支払う。また、利用者へ支払うための現金を保管する保管箱内の現金の量を監視し、保管箱内の現金が予め設定された量を下回ったときに制御部１１１ａにニアエンド信号を出力する。
【００１８】
通信制御部１０６は、制御部１１１ａからの取引要求信号、取消信号、ニアフル信号、ニアエンド信号、取引データ信号、締めデータ信号、管理データ信号が入力すると、予め記憶している通信手順にしたがって管理装置２ａとの通信回線の接続動作を行い、管理装置２ａとの通信回線が接続すると、当該通信回線を介して制御部１１１ａからの入力信号を送信する。また、通信回線を介して管理装置２ａからの許可信号または不許可信号を受信すると、当該許可信号または不許可信号を制御部１１１ａへ出力する。
【００１９】
金融機関記憶部１０７は、予め１または複数の金融機関コードと各金融機関コードに対応する通信先コードと各金融機関コードの優先順位を記憶している。本実施例では、金融機関Ａおよび金融機関Ｂの金融機関コードを記憶し、金融機関Ａを優先順位１位とする。
【００２０】
取引データ記憶部１０８は、制御部１１１ａから取引データが入力すると、当該取引データを記憶する。
【００２１】
スケジュール記憶部１０９は、取引データ記憶部１０８に記憶している取引データを管理装置２ａへ送信するための締め時刻を予め記憶している。
【００２２】
照合データ記憶部１１２は、自動取引装置１ａ内への現金の補充および自動取引装置１ａ内の現金の回収を行うことを許可されている操作者が保持するカードに書込まれた操作者コードを照合用データとして記憶している。
【００２３】
制御部１１１ａは、取引メニューを表示させるための表示データを表示部１０１へ出力し、入力部１０２からの選択信号が入力すると、選択された取引メニューに応じた手順を表示させるための表示データを表示部１０１へ出力する。なお、本実施例では、取引メニューを▲１▼指定口座からの現金の引出し、▲２▼指定口座への現金の振込み、▲３▼残高照会、▲４▼現金の補充、▲５▼現金の回収としているが、これに限定されるものではない。
【００２４】
入力部１０２から前記取引メニューのうち▲１▼指定口座からの現金の引出しまたは▲２▼指定口座への現金の振込みを選択したことを示す選択信号が入力し、さらに、入力部１０２からの暗証番号およびカードリーダ１０３からのカードデータが入力すると、当該カードデータに含まれる金融機関コードが金融機関記憶部１０７に記憶している金融機関コードのいずれかと一致するか否かを判別する。そして、カードデータに含まれている金融機関コードが金融機関記憶部１０７に記憶している金融機関コードと一致した場合は、入力部１０２により選択された取引の種類を示す取引コード、当該金融機関コードに対応する通信先コード、暗証番号、カードデータ、取引金額（入力部１０２から入力した金額データまたは紙幣預入れ機構１０４からの金額データ）等の情報を含む取引要求信号を通信制御部１０６へ出力する。この場合、取引要求信号に含まれる通信先コードは、カードデータに書込まれた金融機関コードに対応する通信先コードになる。なお、カードリーダ１０３からのカードデータに含まれている金融機関コードが金融機関記憶部１０７に記憶している金融機関コードと一致しなかった場合は、金融機関記憶部１０７に記憶している金融機関コードのうち優先順位が１位と記憶されている金融機関コードに対応する通信先コードを前記通信先コードとする。
【００２５】
その後、通信制御部１０６からの許可信号が入力すると、通信先コード、取引コード、暗証番号、カードデータ、取引金額などの情報を含む取引データを取引データ記憶部１０８に出力する。なお、通信制御部１０６から不許可信号が入力した場合は、取引の結果が許可されなかったことを示す取引結果コードを付加した取引データを取引データ記憶部１０８および通信制御部１０６に出力する。また、許可信号が入力した後、カードが排出されないあるいは投入された紙幣が正常に保管箱へ保管されなかった場合等は、通信制御部１０６へ取引を取り消すことを示す取消コード、通信先コード、取引コード、暗証番号、カードデータ、取引金額などの情報を含む取消信号を出力するとともに、取引を取り消したことを示す取消コードを付加した取引データを取引データ記憶部１０８および通信制御部１０６に出力する。
【００２６】
入力部１０２から前記取引メニューのうち▲３▼残高照会を選択したことを示す選択信号が入力し、さらに、入力部１０２からの暗証番号およびカードリーダ１０３からのカードデータが入力すると、当該カードデータに含まれる金融機関コードが金融機関記憶部１０７に記憶している金融機関コードのいずれかと一致するか否かを判別する。そして、カードデータに含まれている金融機関コードが金融機関記憶部１０７に記憶している金融機関コードと一致した場合は、取引コード、通信先コード、暗証番号、カードデータ等の情報を含む取引要求信号を通信制御部１０６へ出力する。この場合、取引要求信号に含まれる通信先コードは、カードデータに書込まれた金融機関コードに対応する通信先コードになる。なお、カードリーダ１０３からのカードデータに含まれている金融機関コードが金融機関記憶部１０７に記憶している金融機関コードと一致しなかった場合は、金融機関記憶部１０７に記憶している金融機関コードのうち優先順位が１位と記憶されている金融機関コードに対応する通信先コードを前記通信先コードとする。
【００２７】
その後、通信制御部１０６からの許可信号および残高データが入力すると、通信先コード、取引コード、暗証番号、カードデータなどの情報を含む取引データを取引データ記憶部１０８に出力し処理を終了するとともに、残高データを表示するための表示データを表示部へ出力する。なお、通信制御部１０６から不許可信号が入力した場合は、取引の結果が許可されなかったことを示す取引結果コードを付加した取引データを取引データ記憶部１０８に出力する。
【００２８】
入力部１０２から前記取引メニューのうち▲４▼現金の補充または▲５▼現金の回収を選択したことを示す選択信号が入力し、さらに、入力部１０２からの暗証番号およびカードリーダ１０３からのカードデータが入力すると、当該カードデータに含まれる操作者コードを読み取り、当該操作者コードが照合データ記憶部に記憶している照合データと一致するか否かを確認する。そして、両者が一致した場合は、取引コード、暗証番号、カードデータ、補充金額（紙幣預入れ機構１０４から入力する金額データ）または回収金額（入力部１０２から入力した金額データ）などの情報を含む取引データを取引データ記憶部１０８に出力するとともに、取引コード、暗証番号、カードデータ、補充金額または回収金額などの情報を含む管理データ信号を通信制御部１０６に出力し処理を終了する。
【００２９】
スケジュール記憶部１０９に記憶している時刻になると、取引データ記憶部１０８に記憶している取引データを読み込み、予め自動取引装置ごとに付与された識別情報、取引データを含む締めデータ信号を通信制御部１０６へ出力する。
【００３０】
管理装置２ａは、通信制御部２０１、取引データ記憶部２０２、個別情報記憶部２０３、金額記憶部２０４、通信制御部２０５、通信履歴記憶部２０６、表示部２０７、スケジュール記憶部２１１、制御部２０８ａとから構成されている。
【００３１】
通信制御部２０１は、予め記憶している通信手順にしたがって自動取引装置１ａとの通信回線の接続動作を行い、通信回線を介して自動取引装置１ａからの取引要求信号、取消信号、ニアフル信号、ニアエンド信号、取引データ信号、締めデータ信号、管理データ信号を受信すると、当該受信信号を制御部２０８ａへ出力する。また、制御部２０８ａからの許可信号または不許可信号が入力すると、当該入力信号を通信回線を介して自動取引装置１ａへ送信する。なお、本実施例では、通信制御部２０１は1台の自動取引装置１ａと通信を行う場合について説明するが、通信制御部２０１は、複数の自動取引装置と通信を行うようにしてもよい。
【００３２】
取引データ記憶部２０２は、図示しない第１の取引データ記憶部と第２の取引データ記憶部とから構成され、それぞれ制御部２０８ａから取引データが入力すると、当該取引データを記憶する。
【００３３】
個別情報記憶部２０３は、自動取引装置１ａが設置されている店舗や事務所などの名称、住所、電話番号、地図、自動取引装置１ａに付与されている識別情報等の個別情報を予め記憶している。
【００３４】
金額記憶部２０４は、各金融機関Ａ，Ｂ，Ｃ毎に予め設定された基準額を記憶するとともに、制御部２０８ａからの合計額データが入力すると当該合計金額データに含まれる各金融機関ごとの合計金額を記憶している。
【００３５】
通信制御部２０５は、制御部２０８ａからの取引要求信号または取消信号が入力すると、入力信号に含まれる通信先コードをもとに、予め記憶している公衆ネットワーク３の通信手順にしたがって金融機関Ａの処理装置５Ａまたは金融機関Ｂの処理装置５Ｂとの通信回線の接続動作を行い、金融機関Ａの処理装置５Ａまたは金融機関Ｂの処理装置５Ｂとの通信回線が接続すると、通信回線を介して制御部２０８ａからの入力信号を送信する。また、通信回線を介して金融機関Ａまたは金融機関Ｂからの許可信号または不許可信号を受信すると、当該受信信号を制御部２０８ａへ出力する。
【００３６】
通信履歴記憶部２０６は、通信制御部２０５が金融機関Ａの処理装置５Ａまたは金融機関Ｂの処理装置５Ｂとの間で送受信した信号と送受信時刻を含む履歴データを記憶している。
【００３７】
表示部２０７は、制御部２０８ａからの表示データが入力すると、当該表示データに応じて文字や図を表示する。
【００３８】
スケジュール記憶部２１１は、予め設定された時刻を記憶している。
【００３９】
制御部２０８ａは、通信制御部２０１からの取引要求信号または取消信号が入力すると、当該入力信号を通信制御部２０５に出力し、通信制御部２０５からの許可信号または不許可信号が入力すると、当該入力信号を通信制御部２０１へ出力する。
【００４０】
通信制御部２０１からのニアフル信号またはニアエンド信号が入力すると、当該入力信号に含まれる自動取引装置１ａの識別情報をもとに、個別情報記憶部２０３から当該自動取引装置１ａの個別情報を読み込み、当該個別情報およびニアフルまたはニアエンドを示す情報を表示させるための表示データを表示部２０７へ出力する。
【００４１】
通信制御部２０１からの取引データ信号が入力すると、当該取引データを取引データ記憶部２０２を構成する第１の取引データ記憶部にへ出力する。
通信制御部２０１からの締めデータ信号が入力すると、当該締めデータに含まれる取引データを取引データ記憶部２０２を構成する第２の取引データ記憶部へ出力する。そして、第１の取引データ記憶部に記憶している取引データと第２の取引データ記憶部に記憶した取引データを照合する。両者が一致した場合は、当該取引データを確認データとして第１の記憶部に出力する。
なお、両者が一致しなかった場合は、通信履歴記憶部２０６に記憶している通信履歴をもとに第１の取引データ記憶部に記憶した取引データの正否を判断する。この結果、第１の取引データが正しいものであることが確認された場合は、当該取引データを確認データとして第１の記憶部に出力する。
ただし、第１の取引データ記憶部に記憶した取引データが正しいものでなかった場合は、当該締めデータに含まれる識別情報をもとに個別情報記憶部２０３から当該識別情報に対応する個別情報を読み込み、当該個別情報および第１の取引データ記憶部に記憶している取引データの取引金額が一致しなかったことを表示するための表示データを表示部２０７へ出力する。
【００４２】
スケジュール記憶部２１１に記憶した時刻になると、第１の取引データ記憶部に記憶している確認データのうち、同じ金融機関コードを有する確認データに含まれる取引金額を加算し、金額記憶部２０４に当該金融機関コードに対応して記憶している合計額を読み込み、読み込んだ合計金額に前記第１の取引データ記憶部に記憶している確認データから求めた金額を加算した合計額と当該金融機関の金融機関コードを合計額データとして金額記憶部２０４へ出力する。そして、当該合計額と金額記憶部２０４に記憶している当該金融機関の基準額とを比較し、当該金融機関の合計額が基準額を上回ったまたは下回った場合に当該金融機関の合計額と合計額が予め設定された基準額を外れたことを表示させるための表示データを表示部２０７へ出力する。
【００４３】
通信制御部２０１からの管理データ信号が入力すると、当該管理データを取引データ記憶部２０２へ出力する。
公衆ネットワーク３は決済専用のネットワークであって、予め決められた通信手順により管理装置２ａと金融機関Ａの処理装置５Ａまたは金融機関Ｂの処理装置５Ｂとの間の通信回線を接続し、管理装置２ａからの信号を金融機関Ａの処理装置５Ａまたは金融機関Ｂの処理装置５Ｂへ、また、金融機関Ａの処理装置５Ａまたは金融機関Ｂの処理装置５Ｂからの信号を管理装置２ａへ送信する。
融機関ネットワーク４は、金融機関のみが接続可能なネットワークであり、金融機関Ａの処理装置５Ａと金融機関Ｃの処理装置５Ｃとの間の通信回線を接続し、金融機関Ａの処理装置５Ａからの信号を金融機関Ｃの処理装置５Ｃへ、また、金融機関Ｃの処理装置５Ｃからの信号を金融機関Ａの処理装置５Ａへ送信する。
金融機関Ａの処理装置５Ａは、第１の通信制御部５０１Ａ、通信手順記憶部５０２Ａ、第２の通信制御部５０３Ａ、口座データ記憶部５０４Ａ、制御部５０５Ａとから構成されている。
第１の通信制御部５０１Ａは、予め記憶している公衆ネットワーク３の通信手順にしたがって管理装置２ａとの通信回線の接続動作を行い、公衆ネットワーク３を介して取引要求信号、取消信号を受信すると、当該受信信号を制御部５０５Ａへ出力する。また、制御部５０５ａからの許可信号または不許可信号が入力すると、当該入力信号を通信回線を介して管理装置２ａへ送信する。
通信手順記憶部５０２Ａは、予め金融機関Ｃの処理装置５Ｃとの通信手順を金融機関コードに応じて記憶している。
第２の通信制御部５０３Ａは、制御部５０５Ａからの取引要求信号、取消信号が入力すると、当該入力信号に含まれる金融機関コードをもとに、通信手順記憶部５０２Ａに記憶している通信手順のうち金融機関コードに対応した通信手順を読み込み、当該通信手順にしたがって金融機関ネットワーク４を介して金融機関Ｃの処理装置５Ｃとの通信回線の接続動作を行う。そして、金融機関Ｃの処理装置５Ｃとの通信回線が接続すると、通信回線を介して制御部５０５Ａからの入力信号を送信する。また、通信回線を介して金融機関Ｃの処理装置５Ｃからの許可信号または不許可信号を受信すると、当該受信信号を制御部５０５Ａへ出力する。
口座データ記憶部５０４Ａは、金融機関Ａの顧客の口座番号に応じて各口座番号に対応する暗証番号、顧客の住所、氏名などを予め記憶しておき、制御部５０５Ａからの取引データが入力すると当該取引データを記憶する。また、取消信号が入力すると、記憶している取引データのうち、当該取消信号に含まれる口座番号をもとに当該口座番号に対応する最新の取引データを消去する。
制御部５０５Ａは、第１の通信制御部５０５Ａからの取引要求信号が入力すると、当該取引要求信号に含まれている金融機関コードが予め記憶している金融機関Ａの金融機関コードであった場合は、取引要求信号に含まれている口座番号が口座データ記憶部５０４Ａに記憶している口座番号のいずれかと一致するか否かおよび暗証番号が当該口座番号に対応して記憶している暗証番号と一致するか否かを確認する。口座番号および暗証番号が口座番号記憶部５０４Ａに記憶しているものと一致した場合は、第１の通信制御部５０１Ａへ許可信号を出力するとともに、取引要求信号に含まれるカードデータ、取引コード、取引金額を取引データとして口座データ記憶部５０４Ａへ出力する。
なお、カードデータの口座番号が口座データ記憶部５０４Ａに記憶している口座番号のいずれとも一致しない、または、暗証番号が当該口座番号に対応して記憶している暗証番号と一致しなかった場合は、第１の通信制御部５０１Ａへ不許可信号を出力する。
金融機関Ｂの処理装置５Ｂは、通信制御部５０１Ｂ、口座データ記憶部５０４Ｂ、制御部５０５Ｂとから構成されている。
通信制御部５０１Ｂは、予め記憶している公衆ネットワーク３の通信手順にしたがって管理装置２ａとの通信回線の接続動作を行い、公衆ネットワーク３を介して取引要求信号、取消信号を受信すると、当該受信信号を制御部５０５Ｂへ出力する。また、制御部５０５Ｂからの許可信号または不許可信号が入力すると、当該入力信号を通信回線を介して管理装置２ａへ送信する。
口座データ記憶部５０４Ｂは、金融機関Ｂの顧客の口座番号に応じて各口座番号に対応する暗証番号、顧客の住所、氏名などを予め記憶しておき、制御部５０５Ｂからの取引データが入力すると当該取引データを記憶する。また、取消信号が入力すると、記憶している取引データのうち、当該取消信号に含まれる口座番号をもとに当該口座番号に対応する最新の取引データを消去する。
制御部５０５Ｂは、通信制御部５０１Ａからの取引要求信号が入力すると、当該取引要求信号に含まれているカードデータの金融機関コードが金融機関Ｂの金融機関コードであるか否かを確認する。金融機関Ｂの金融機関コードであった場合は、取引要求信号に含まれる口座番号が口座データ記憶部５０４Ｂに記憶している口座番号のいずれかと一致するか否かおよび暗証番号が当該口座番号に対応して記憶している暗証番号と一致するか否かを判別する。口座番号および暗証番号が口座番号記憶部５０４Ｂに記憶しているものと一致した場合は、通信制御部５０１Ｂへ許可信号を出力するとともに、取引要求信号に含まれるカードデータ、取引コード、取引金額を取引データとして口座データ記憶部５０４Ｂへ出力する。
なお、口座番号が口座データ記憶部５０４Ｂに記憶している口座番号のいずれとも一致しない、または、暗証番号が当該口座番号に対応して記憶している暗証番号と一致しなかった場合は、通信制御部５０１Ｂへ不許可信号を出力する。
金融機関Ｃの処理装置は、通信制御部５０３Ｃ、口座データ記憶部５０４Ｃ、制御部５０５Ｃとから構成されている。
通信制御部５０１Ｃは、予め記憶している通信手順にしたがって金融機関ネットワークを介して金融機関Ａとの通信回線の接続動作を行い、金融機関ネットワーク４を介して取引要求信号、取消信号を受信すると、当該受信信号を制御部５０５Ｃへ出力する。また、制御部５０５Ｃからの許可信号または不許可信号が入力すると、当該入力信号を通信回線を介して金融機関Ａの処理装置５Ａへ送信する。
口座データ記憶部５０４Ｃは、金融機関Ｃの顧客の口座番号に応じて各口座番号に対応する暗証番号、顧客の住所、氏名などを予め記憶しておき、制御部５０５Ｃからの取引データが入力すると当該取引データを記憶する。また、取消信号が入力すると、記憶している取引データのうち、当該取消信号に含まれる口座番号をもとに当該口座番号に対応する最新の取引データを消去する。
制御部５０５Ｃは、通信制御部５０３Ｃからの取引要求信号が入力すると、当該取引要求信号に含まれている金融機関コードが予め記憶している金融機関Ｃの金融機関コードであるか否かを判別する。金融機関Ｃの金融機関コードであった場合は、取引要求信号に含まれる口座番号が口座データ記憶部５０４Ｃに記憶している口座番号のいずれかと一致するか否かおよび暗証番号が当該口座番号に対応して記憶している暗証番号と一致するか否かを確認する。口座番号および暗証番号が口座番号記憶部５０４Ｃに記憶しているものと一致した場合は、通信制御部５０３Ｃへ許可信号を出力するとともに、取引要求信号に含まれる口座番号、取引コード、取引金額を取引データとして口座データ記憶部５０４Ｃへ出力する。
なお、カードデータまたは取引先コードの口座番号が口座データ記憶部５０４Ｃに記憶している口座番号のいずれかと一致しない、または、暗証番号が当該口座番号に対応して記憶している暗証番号と一致しなかった場合は、通信制御部５０３Ｃへ不許可信号を出力する。
【００４４】
〔動  作〕
次に、図１に示す本願の決済システムおよび資金管理システムの動作を説明する。
１．指定された口座からの現金の引出し
(１) 金融機関Ａの口座からの現金の引出し（金融機関Ｂの場合も同じ）
金融機関Ａのカードを保有している利用者が、予め金融機関Ａより発行されたカードを利用して自動取引装置１ａから現金を引出す場合、まず、利用者は、入力部１０２より表示部１０１に表示された取引メニューのうち「現金の引出し」を選択する。すると、入力部１０２は、「現金の引出し」が選択されたことを示す選択信号を制御部１１１ａに対して出力する。
制御部１１１ａは、入力部１０２からの選択信号が入力すると、利用者に対しカードリーダ１０３にカードを挿入するよう促すメッセージを表示させるための表示データを表示部１０１に出力する。
表示部１０１は、制御部１１１ａからの表示データが入力すると、利用者に対しカードの挿入を促すメッセージを文字または図により表示する。
このメッセージを見た利用者は、自己の保有するカードを自動取引装置１ａへ挿入する。
自動取引装置１ａのカードリーダ１０３は、挿入されたカードに書き込まれたカードデータを読込み、当該カードデータを制御部１１１ａへ出力する。
制御部１１１ａは、カードリーダ１０３からのカードデータが入力すると、利用者に対し入力部１０２から暗証番号を入力するよう促すメッセージを表示させるための表示データを表示部１０１に出力する。
表示部１０１は、制御部１１１ａからの表示データが入力すると、利用者に対し暗証番号の入力を促すメッセージを文字または図により表示する。
このメッセージを見た利用者は、挿入したカードに対応する暗証番号を入力部１０２より入力する。
入力部１０２は、利用者が入力した暗証番号を制御部１１１ａへ出力する。
制御部１１１ａは、入力部１０２からの暗証番号が入力すると、利用者に対し入力部１０２から金額を入力するよう促すメッセージを表示させるための表示データを表示部１０１に出力する。
表示部１０１は、制御部１１１ａからの表示データが入力すると、利用者に対し金額の入力を促すメッセージを文字または図により表示する。
このメッセージを見た利用者は、引出す現金の金額を入力部１０２より入力する。
入力部１０２は、利用者が入力した金額（取引金額）を制御部１１１ａへ出力する。
制御部１１１ａは、カードリーダ１０３からのカードデータが入力すると、当該カードデータに含まれる金融機関コードが金融機関記憶部１０７に記憶されているか否かを確認する。このとき、当該カードデータに含まれる金融機関コードは金融機関Ａを示すものであり、当該金融機関コードは金融機関記憶部１０７に記憶されているため、制御部１１１ａはさらに、金融機関Ａの金融機関コードに対応する通信先コードを金融機関記憶部１０７から読込み、当該通信先コード、カードデータ、暗証番号、入力部１０２にて利用者が選択した取引の内容（この場合、「現金の引出し」）を示す取引コード、取引金額を含む取引要求信号を通信制御部１０６へ出力する。
通信制御部１０６は、制御部１１１ａからの取引要求信号が入力すると、予め記憶している通信手順にしたがって管理装置２ａとの通信回線の接続動作を行い、管理装置２ａとの間の通信回線が接続すると、制御部１１１ａから入力した取引要求信号を当該通信回線を介して管理装置２ａへ送信する。
管理装置２ａの通信制御部２０１は、自動取引装置１ａからの取引要求信号を受信すると、当該取引要求信号を制御部２０８ａへ出力する。
制御部２０８ａは、通信制御部２０１からの取引要求信号が入力すると、当該取引要求信号を通信制御部２０５に出力する。
通信制御部２０５は、制御部２０８ａからの取引要求信号に含まれる通信先コードが予め記憶している金融機関コードであるかを確認する。ここで、通信先コードは、金融機関Ａを示す金融機関コードであるため、通信制御部２０５は、予め記憶している公衆ネットワーク３の通信手順にしたがって金融機関Ａの処理装置５Ａとの通信回線の接続動作を行う。そして、金融機関Ａの処理装置５Ａとの間の通信回線が接続すると、通信回線を介して金融機関Ａの処理装置５Ａへカードデータ、暗証番号、取引コード、取引金額を含む取引要求信号を送信する。このとき、通信履歴記憶部２０６は、当該取引要求信号および通信先コードを記憶する。
金融機関Ａの処理装置５Ａの第１の通信制御部５０１Ａは、通信回線を介して管理装置２ａからの取引要求信号を受信すると、当該取引要求信号を制御部５０５Ａへ出力する。
制御部５０５Ａは、第１の通信制御部５０１Ａからの取引要求信号が入力すると、当該取引要求信号に含まれるカードデータの金融機関コードが金融機関Ａの金融機関コードであることを確認する。カードデータの金融機関コードは金融機関Ａの金融機関コードであるため、制御部５０５Ａは次に、当該カードデータの口座番号が口座データ記憶部５０４Ａに記憶されているか否か、および、取引要求信号に含まれる暗証番号が当該口座番号に対応する暗証番号として口座データ記憶部５０４Ａに記憶されているか否かを判断する。
当該カードデータの口座番号が口座データ記憶部５０４Ａに記憶されており、かつ、取引要求信号に含まれる暗証番号が当該口座番号に対応する暗証番号として口座データ記憶部５０４Ａに記憶されていた場合は、第１の通信制御部５０１Ａに当該取引を許可することを示す許可信号を出力する。
また、制御部５０５Ａは、当該取引要求信号に含まれるカードデータ、取引コード、取引金額を含む取引データを口座データ記憶部５０４Ａへ出力する。
口座データ記憶部５０４Ａは、制御部５０５Ａからの取引データが入力すると、取引データに含まれるカードデータの口座番号の取引データとして当該取引データを記憶する。
第１の通信制御部５０１Ａは、制御部５０５Ａからの許可信号が入力すると、当該許可信号を通信回線を介して管理装置２ａに送信する。
管理装置２ａの通信制御部２０５は、金融機関Ａの処理装置５Ａからの許可信号を受信すると、当該許可信号を制御部２０８ａへ出力するとともに、金融機関Ａの処理装置５Ａとの間の通信回線を切断する。このとき、通信履歴記憶部２０５は、受信した許可信号と通信先コードを記憶する。
制御部２０８ａは、通信制御部２０５からの許可信号が入力すると、当該許可信号を通信制御部２０１へ出力する。
通信制御部２０１は、制御部２０８ａから入力した許可信号を自動取引装置１ａへ通信回線を介して送信する。
自動取引装置１ａの通信制御部１０６は、管理装置２ａからの許可信号を受信すると、当該許可信号を制御部１１１ａへ出力する。
制御部１１１ａは、通信制御部１０６からの許可信号が入力すると、紙幣支払い機構１０５へ取引金額に応じた金額データを出力しカードリーダからカードを排出させるとともに、入出金口から現金を取り出すよう指示するメッセージを表示させるための表示データを表示部１０１へ出力する。また、管理装置２ａとの間の通信回線を切断する。
紙幣支払い機構１０５は、制御部１１１ａからの金額データが入力すると、当該金額データに応じた現金を保管箱から取り出し、入出金口へ排出する。
表示部１０１は、制御部１１１ａからの表示データが入力すると、当該表示データに応じて入出金口から現金を取り出すよう指示するメッセージを文字や図により表示し利用者へ報知する。
利用者は、表示部１０１に表示された内容を確認し、入出金口へ排出された現金およびカードリーダより排出されたカードを取り出す。
制御部１１１ａは、利用者が現金およびカードを取出すと、通信制御部１０６へ自動取引装置毎に予め付与されている識別情報、カードデータ、取引コード、取引金額を含む取引データを出力する。
通信制御部１０６は、制御部１１１ａからの取引データが入力すると、管理装置２ａとの通信回線の接続動作を行い、管理装置２ａとの通信回線が接続されると、当該取引データを管理装置２ａへ送信し、管理装置２ａとの通信回線を切断する。
管理装置２ａの通信制御部２０１は、自動取引装置１ａからの取引データを受信すると、当該取引データを制御部２０８ａへ出力する。
制御部２０８ａは、通信制御部２０１からの取引データが入力すると、当該取引データを取引データ記憶部２０２を構成する第１の取引データ記憶部に出力する。
第１の取引データ記憶部は、制御部２０８ａからの取引データが入力すると、当該取引データを記憶する。
なお、金融機関Ａの制御部５０５Ａは、第１の通信制御部５０１Ａから取引要求信号が入力したときに、当該取引要求信号に含まれるカードデータの口座番号が口座データ記憶部５０４Ａに記憶されていない、または、取引要求信号に含まれる暗証番号が当該口座番号に対応する暗証番号として口座データ記憶部５０４Ａに記憶されていなかった場合は、第１の通信制御部５０１Ａに当該取引を許可しないことを示す不許可信号を出力する。
第１の通信制御部５０１Ａは、制御部５０５Ａからの不許可信号が入力すると、当該不許可信号を通信回線を介して管理装置２ａに送信する。
管理装置２ａの通信制御部２０５は、金融機関Ａからの不許可信号を受信すると、当該不許可信号を制御部２０８ａへ出力するとともに金融機関Ａとの間に接続されている通信回線を切断する。このとき、通信履歴記憶部２０５は、受信した不許可信号と通信先コードを記憶する。
制御部２０８ａは、通信制御部２０５からの不許可信号が入力すると、当該不許可信号を通信制御部２０１へ出力する。
通信制御部２０１は、制御部２０８ａから入力した不許可信号を自動取引装置１ａへ通信回線を介して送信する。
自動取引装置１ａの通信制御部１０６は、管理装置２ａからの不許可信号を受信すると、当該不許可信号を制御部１１１ａへ出力する。
制御部１１１ａは、通信制御部１０６からの不許可信号が入力すると、取引きができないことを表示させるための表示データを表示部１０１へ出力する。
表示部１０１は、制御部１１１ａからの表示データが入力すると、当該表示データに応じて取引ができないことを文字や図により表示し利用者へ報知する。
また、自動取引装置１ａの 制御部１１１ａは、通信制御部１０６からの許可信号が入力し、紙幣支払い機構１０５へ金額データを出力し、カードリーダよりカードを排出させたにもかかわらず、自動取引装置１ａ内部で現金やカードが詰まったなどの理由により取引が確実に行われないことがある。この場合、制御部１１１ａは、当該取引を取り消すことを示す取消指示、通信先コード、カードデータ、取引コード、取引金額を含む取消信号を出力する。
通信制御部１０６は、制御部１１１ａからの取消信号が入力すると、予め記憶している通信手順にしたがって管理装置２ａとの通信回線の接続動作を行い、管理装置２ａとの間の通信回線が接続すると、制御部１１１ａから入力した取消信号を当該通信回線を介して管理装置２ａへ送信した後、通信回線を切断する。
管理装置２ａの通信制御部２０１は、自動取引装置１ａからの取消信号を受信すると、当該取消信号を制御部２０８ａへ出力する。
制御部２０８ａは、通信制御部２０１からの取消信号が入力すると、当該取消信号を通信制御部２０５に出力する。
通信制御部２０５は、制御部２０８ａからの取消信号に含まれる通信先コードがいずれの金融機関を示すものであるかを確認する。ここで、通信先コードは、金融機関Ａの金融機関コードであるため、通信制御部２０５は、予め記憶している公衆ネットワーク３の通信手順にしたがって金融機関Ａとの通信回線の接続動作を行う。そして、金融機関Ａとの間の通信回線が接続すると、通信回線を介して金融機関Ａへ取消指示、カードデータ、取引コード、取引金額を含む取消信号を送信する。このとき、通信履歴記憶部２０６は、当該取消信号を記憶する。
金融機関Ａの第１の通信制御部５０１Ａは、通信回線を介して管理装置２ａからの取消信号を受信すると、当該取消信号を制御部５０５Ａへ出力する。
制御部５０５Ａは、第１の通信制御部５０１Ａからの取消信号が入力すると、当該取消信号に含まれるカードデータの金融機関コードが金融機関Ａの金融機関コードであることを確認する。カードデータの金融機関コードは金融機関Ａの金融機関コードであるため、制御部５０５Ａは次に、当該カードデータの口座番号が口座データ記憶部５０４Ａに記憶されているか否かを判断する。
当該カードデータの口座番号が口座データ記憶部５０４Ａに記憶されていた場合は、口座データ記憶部５０４Ａへ、カードデータ、取引コード、取引金額を含む取消データを出力する。
口座データ記憶部５０４Ａは、制御部５０５Ａからの取消データが入力すると、当該取消データに含まれるカードデータの口座番号として記憶している取引データのうち、当該取消データと一致する最新の取引データを消去する。
この場合、自動取引装置１ａの制御部１１１ａは、さらに、自動取引装置毎に予め付与されている識別情報、カードデータ、取引コード、取引金額、現金やカードが詰まりなどの理由で取引が行われなかったことを示すコードを含む取引データを通信制御部１０６へ出力する。
通信制御部１０６は、制御部１１１ａからの取引データが入力すると、管理装置２ａとの通信回線の接続動作を行い、管理装置２ａとの通信回線が接続されると、当該取引データを管理装置２ａへ送信し、管理装置２ａとの通信回線を切断する。
管理装置２ａの通信制御部２０１は、自動取引装置１ａからの取引データを受信すると、当該取引データを制御部２０８ａへ出力する。
制御部２０８ａは、通信制御部２０１からの取引データが入力すると、当該取引データを取引データ記憶部２０２を構成する第１の取引データ記憶部に出力する。
第１の取引データ記憶部は、制御部２０８ａからの取引データが入力すると、当該取引データを記憶する。
(２) 金融機関Ｃの口座からの現金の引出し
金融機関Ｃのカードを保有している利用者が、予め金融機関Ｃより発行されたカードを利用して自動取引装置１ａから現金を引出す場合、まず、利用者は、入力部１０２より表示部１０１に表示された取引メニューのうち「現金の引出し」を選択する。すると、入力部１０２は、「現金の引出し」が選択されたことを示す選択信号を制御部１１１ａに対して出力する。
制御部１１１ａは、入力部１０２からの選択信号が入力すると、利用者に対しカードリーダ１０３にカードを挿入するよう促すメッセージを表示させるための表示データを表示部１０１に出力する。
表示部１０１は、制御部１１１ａからの表示データが入力すると、利用者に対しカードの挿入を促すメッセージを文字または図により表示する。
このメッセージを見た利用者は、自己の保有するカードを自動取引装置１ａへ挿入する。
自動取引装置１ａのカードリーダ１０３は、挿入されたカードに書き込まれたカードデータを読込み、当該カードデータを制御部１１１ａへ出力する。
制御部１１１ａは、カードリーダ１０３からのカードデータが入力すると、利用者に対し入力部１０２から暗証番号を入力するよう促すメッセージを表示させるための表示データを表示部１０１に出力する。
表示部１０１は、制御部１１１ａからの表示データが入力すると、利用者に対し暗証番号の入力を促すメッセージを文字または図により表示する。
このメッセージを見た利用者は、挿入したカードに対応する暗証番号を入力部１０２より入力する。
入力部１０２は、利用者が入力した暗証番号を制御部１１１ａへ出力する。
制御部１１１ａは、入力部１０２からの暗証番号が入力すると、利用者に対し入力部１０２から金額を入力するよう促すメッセージを表示させるための表示データを表示部１０１に出力する。
表示部１０１は、制御部１１１ａからの表示データが入力すると、利用者に対し金額の入力を促すメッセージを文字または図により表示する。
このメッセージを見た利用者は、引出す現金の金額を入力部１０２より入力する。
入力部１０２は、利用者が入力した金額（取引金額）を制御部１１１ａへ出力する。
制御部１１１ａは、カードリーダ１０３からのカードデータが入力すると、当該カードデータに含まれる金融機関コードが金融機関記憶部１０７に記憶されているか否かを確認する。このとき、当該カードデータに含まれる金融機関コードは金融機関Ｃを示すものであり、当該金融機関コードは金融機関記憶部１０７に記憶されていないため、制御部１１１ａはさらに金融機関記憶部１０７に記憶している優先順位が１位の金融機関コードを確認する。金融機関記憶部１０７には、金融機関Ａの金融機関コードが優先順位を１位として記憶されているため、制御部１１１ａは、金融機関Ａの金融機関コードに対応する通信先コードを金融機関記憶部１０７から読込み、当該通信先コード、カードデータ、暗証番号、取引コード、取引金額を含む取引要求信号を通信制御部１０６へ出力する。
通信制御部１０６は、制御部１１１ａからの取引要求信号が入力すると、予め記憶している通信手順にしたがって管理装置２ａとの通信回線の接続動作を行い、管理装置２ａとの間の通信回線が接続すると、制御部１１１ａから入力した取引要求信号を当該通信回線を介して管理装置２ａへ送信する。
管理装置２ａの通信制御部２０１は、自動取引装置１ａからの取引要求信号を受信すると、当該取引要求信号を制御部２０８ａへ出力する。
制御部２０８ａは、通信制御部２０１からの取引要求信号が入力すると、当該取引要求信号を通信制御部２０５に出力する。
通信制御部２０５は、制御部２０８ａからの取引要求信号に含まれる通信先コードがいずれの金融機関を示すものであるかを確認する。ここで、通信先コードは、金融機関Ａを示すものであるため、通信制御部２０５は、予め記憶している公衆ネットワーク３の通信手順にしたがって金融機関Ａの処理装置５Ａとの通信回線の接続動作を行う。そして、金融機関Ａの処理装置５Ａとの間の通信回線が接続すると、通信回線を介して金融機関Ａの処理装置５Ａへカードデータ、暗証番号、取引コード、取引金額を含む取引要求信号を送信する。このとき、通信履歴記憶部２０６は、当該取引要求信号および通信先データを記憶する。
金融機関Ａの処理装置５Ａの第１の通信制御部５０１Ａは、通信回線を介して管理装置２ａからの取引要求信号を受信すると、当該取引要求信号を制御部５０５Ａへ出力する。
制御部５０５Ａは、第１の通信制御部５０１Ａからの取引要求信号が入力すると、当該取引要求信号に含まれるカードデータの金融機関コードが予め記憶している金融機関Ａの金融機関コードであるかを確認する。カードデータの金融機関コードは金融機関Ｃの金融機関コードであるため、制御部５０５Ａは次に、当該カードデータ、取引コード、取引金額を含む取引要求信号を第２の通信制御部５０３Ａへ出力する。
第２の通信制御部５０３Ａは、制御部５０５Ａからの取引要求信号が入力すると、当該取引要求信号に含まれるカードデータの金融機関コードをもとに、通信手順記憶部５０２Ａに記憶している通信手順のうち、当該金融機関コードに対応する金融機関との通信手順、つまり、金融機関Ｃとの通信手順を読み込み、読み込んだ通信手順にしたがって金融機関ネットワーク４を介して金融機関Ｃとの通信回線の接続動作を行う。そして、金融機関Ｃとの間の通信回線が接続されると、金融機関Ｃへ取引要求信号を送信する。
金融機関Ｃの通信制御部５０３Ｃは、金融機関ネットワーク４を介して金融機関Ａからの取引要求信号を受信すると、当該取引要求信号を制御部５０５Ｃへ出力する。
制御部５０５Ｃは、通信制御部５０３Ｃからの取引要求信号が入力すると、当該取引要求信号に含まれるカードデータの口座番号が口座データ記憶部５０４Ｃに記憶されているか否か、および、取引要求信号に含まれる暗証番号が当該口座番号に対応する暗証番号として口座データ記憶部５０４Ｃに記憶されているか否かを判断する。
当該カードデータの口座番号が口座データ記憶部５０４Ｃに記憶されており、かつ、取引要求信号に含まれる暗証番号が当該口座番号に対応する暗証番号として口座データ記憶部５０４Ｃに記憶されていた場合は、通信制御部５０３Ｃに当該取引を許可することを示す許可信号を出力するとともに、口座データ記憶部５０４Ｃへ、当該取引要求信号に含まれるカードデータ、取引コード、取引金額を含む取引データを出力する。
口座データ記憶部５０４Ａは、制御部５０５Ａからの取引データが入力すると、取引データに含まれるカードデータの口座番号の取引データとして当該取引データを記憶する。
通信制御部５０３Ｃは、制御部５０５Ｃからの許可信号が入力すると、当該許可信号を金融機関ネットワーク４を介して金融機関Ａの処理装置５Ａに送信する。
金融機関Ａの処理装置５Ａの第２の送受信部５０３Ａは、金融機関ネットワーク４を介して金融機関Ｃからの許可信号を受信すると、当該許可信号を制御部５０５Ａへ出力するとともに、金融機関Ｃの処理装置５Ｃとの間の通信回線を切断する。
制御部５０５Ａは、第２の通信制御部５０３Ａからの許可信号が入力すると、当該許可信号を第１の通信制御部５０１Ａへ出力する。
第１の通信制御部５０１Ａは、制御部５０５Ａからの許可信号が入力すると、当該許可信号を公衆ネットワーク３を介して管理装置２ａへ送信する。
管理装置２ａの通信制御部２０５は、金融機関Ａの処理装置５Ａからの許可信号を受信すると、当該許可信号を制御部２０８ａへ出力するとともに、金融機関Ａの処理装置５Ａとの間の通信回線を切断する。このとき、通信履歴記憶部２０５は、受信した許可信号と通信先コードを記憶する。
制御部２０８ａは、通信制御部２０５からの許可信号が入力すると、当該許可信号を通信制御部２０１へ出力する。
通信制御部２０１は、制御部２０８ａから入力した許可信号を自動取引装置１ａへ通信回線を介して送信する。
自動取引装置１ａの通信制御部１０６は、管理装置２ａからの許可信号を受信すると、当該許可信号を制御部１１１ａへ出力するとともに、管理装置２ａとの間の通信回線を切断する。
制御部１１１ａは、通信制御部１０６からの許可信号が入力すると、通信制御部１０６へ取引確認信号を出力し、紙幣支払い機構１０５へ取引金額に応じた金額データを出力しカードリーダからカードを排出させるとともに、入出金口から現金を取り出すよう指示するメッセージを表示させるための表示データを表示部１０１へ出力する。
紙幣支払い機構１０５は、制御部１１１ａからの金額データが入力すると、当該金額データに応じた現金を保管箱から取り出し、入出金口へ排出する。
表示部１０１は、制御部１１１ａからの表示データが入力すると、当該表示データに応じて入出金口から現金を取り出すよう指示するメッセージを文字や図により表示し利用者へ報知する。
利用者は、表示部１０１に表示された内容を確認し、入出金口へ排出された現金およびカードリーダより排出されたカードを取り出す。
制御部１１１ａは、利用者が現金およびカードを取出すと、通信制御部１０６へ自動取引装置毎に予め付与されている識別情報、カードデータ、取引コード、取引金額を含む取引データを出力する。
通信制御部１０６は、制御部１１１ａからの取引データが入力すると、管理装置２ａとの通信回線の接続動作を行い、管理装置２ａとの通信回線が接続されると、当該取引データを管理装置２ａへ送信し、管理装置２ａとの通信回線を切断する。
管理装置２ａの通信制御部２０１は、自動取引装置１ａからの取引データを受信すると、当該取引データを制御部２０８ａへ出力する。
制御部２０８ａは、通信制御部２０１からの取引データが入力すると、当該取引データを取引データ記憶部２０２を構成する第１の取引データ記憶部に出力する。
第１の取引データ記憶部は、制御部２０８ａからの取引データが入力すると、当該取引データを記憶する。
なお、金融機関Ｃの制御部５０５Ｃは、通信制御部５０３Ｃから取引要求信号が入力したときに、当該取引要求信号に含まれるカードデータの口座番号が口座データ記憶部５０４Ｃに記憶されていない、または、取引要求信号に含まれる暗証番号が当該口座番号に対応する暗証番号として口座データ記憶部５０４Ｃに記憶されていなかった場合は、通信制御部５０３Ｃに当該取引を許可しないことを示す不許可信号を出力する。
通信制御部５０３Ｃは、制御部５０５Ｃからの不許可信号が入力すると、当該不許可信号を金融機関ネットワーク４を介して金融機関Ａに送信する。
金融機関Ａの第２の送受信部５０３Ａは、金融機関ネットワーク４を介して金融機関Ｃからの不許可信号を受信すると、当該不許可信号を制御部５０５Ａへ出力するとともに金融機関Ｃとの間の通信回線を切断する。
制御部５０５Ａは、第２の通信制御部５０３Ａからの不許可信号が入力すると、当該不許可信号を第１の通信制御部５０１Ａへ出力する。
第１の通信制御部５０１Ａは、制御部５０５Ａからの不許可信号が入力すると、当該不許可信号を公衆ネットワーク３を介して管理装置２ａに送信する。
管理装置２ａの通信制御部２０５は、金融機関Ａからの不許可信号を受信すると、当該不許可信号を制御部２０８ａへ出力するとともに金融機関Ａとの間に接続されている通信回線を切断する。このとき、通信履歴記憶部２０５は、受信した不許可信号と通信先コードを記憶する。
制御部２０８ａは、通信制御部２０５からの不許可信号が入力すると、当該不許可信号を通信制御部２０１へ出力する。
通信制御部２０１は、制御部２０８ａから入力した不許可信号を自動取引装置１ａへ通信回線を介して送信する。
自動取引装置１ａの通信制御部１０６は、管理装置２ａからの不許可信号を受信すると、当該不許可信号を制御部１１１ａへ出力する。
制御部１１１ａは、通信制御部１０６からの不許可信号が入力すると、取引きができないことを表示させるための表示データを表示部１０１へ出力する。
表示部１０１は、制御部１１１ａからの表示データが入力すると、当該表示データに応じて取引ができないことを文字や図により表示し利用者へ報知する。
また、自動取引装置１ａの 制御部１１１ａは、通信制御部１０６からの許可信号が入力し、紙幣支払い機構１０５へ金額データを出力し、カードリーダよりカードを排出させたにもかかわらず、自動取引装置１ａ内部で現金やカードが詰まったなどの理由により取引が確実に行われないことがある。この場合、制御部１１１ａは、当該取引を取り消すことを示す取消指示、通信先コード、カードデータ、取引コード、取引金額を含む取消信号を出力する。
通信制御部１０６は、制御部１１１ａからの取消信号が入力すると、予め記憶している通信手順にしたがって管理装置２ａとの通信回線の接続動作を行い、管理装置２ａとの間の通信回線が接続すると、制御部１１１ａから入力した取消信号を当該通信回線を介して管理装置２ａへ送信した後、通信回線を切断する。
管理装置２ａの通信制御部２０１は、自動取引装置１ａからの取消信号を受信すると、当該取消信号を制御部２０８ａへ出力する。
制御部２０８ａは、通信制御部２０１からの取消信号が入力すると、当該取消信号を通信制御部２０５に出力する。
通信制御部２０５は、制御部２０８ａからの取消信号に含まれる通信先コードがいずれの金融機関を示すものであるかを確認する。ここで、通信先コードは、金融機関Ａの金融機関コードであるため、通信制御部２０５は、予め記憶している公衆ネットワーク３の通信手順にしたがって金融機関Ａとの通信回線の接続動作を行う。そして、金融機関Ａとの間の通信回線が接続すると、通信回線を介して金融機関Ａへ取消指示、カードデータ、取引コード、取引金額を含む取消信号を送信する。このとき、通信履歴記憶部２０６は、当該取消信号を記憶する。
金融機関Ａの第１の通信制御部５０１Ａは、通信回線を介して管理装置２ａからの取消信号を受信すると、当該取消信号を制御部５０５Ａへ出力する。
制御部５０５Ａは、第１の通信制御部５０１Ａからの取消信号が入力すると、当該取消信号に含まれるカードデータの金融機関コードがいずれの金融機関のものであるかを確認する。カードデータの金融機関コードは金融機関Ｃの金融機関コードであるため、制御部５０５Ａは、取消指示、カードデータ、取引コード、取引金額を含む取消信号を第２の通信制御部５０３へ出力する。
第２の通信制御部５０３Ａは、制御部５０５Ａからの取消信号が入力すると、当該取消信号に含まれるカードデータの金融機関コードをもとに、通信手順記憶部５０２Ａに記憶している通信手順のうち、当該金融機関コードに対応する金融機関との通信手順、つまり、金融機関Ｃとの通信手順を読み込み、読み込んだ通信手順にしたがって金融機関ネットワーク４を介して金融機関Ｃとの通信回線の接続動作を行う。そして、金融機関Ｃとの間の通信回線が接続されると、金融機関Ｃへ取消信号を送信する。
金融機関Ｃの通信制御部５０３Ｃは、金融機関ネットワーク４を介して金融機関Ａからの取消信号を受信すると、当該取消信号を制御部５０５Ｃへ出力する。制御部５０５Ｃは、通信制御部５０５Ｃからの取消信号が入力すると、当該取消信号に含まれるカードデータの口座番号が口座データ記憶部５０４Ｃに記憶されているか否かを判断する。
当該カードデータの口座番号が口座データ記憶部５０４Ｃに記憶されていた場合は、口座データ記憶部５０４Ｃへ、カードデータ、取引コード、取引金額を含む取消データを出力する。
口座データ記憶部５０４Ｃは、制御部５０５Ｃからの取消データが入力すると、当該取消データに含まれるカードデータの口座番号として記憶している取引データのうち、当該取消データと一致する最新の取引データを消去する。
この場合、自動取引装置１ａの制御部１１１ａは、さらに、自動取引装置毎に予め付与されている識別情報、カードデータ、取引コード、取引金額、現金やカードが詰まりなどの理由で取引が行われなかったことを示すコードを含む取引データを通信制御部１０６へ出力する。
通信制御部１０６は、制御部１１１ａからの取引データが入力すると、管理装置２ａとの通信回線の接続動作を行い、管理装置２ａとの通信回線が接続されると、当該取引データを管理装置２ａへ送信し、管理装置２ａとの通信回線を切断する。
管理装置２ａの通信制御部２０１は、自動取引装置１ａからの取引データを受信すると、当該取引データを制御部２０８ａへ出力する。
制御部２０８ａは、通信制御部２０１からの取引データが入力すると、当該取引データを取引データ記憶部２０２を構成する第１の取引データ記憶部に出力する。
第１の取引データ記憶部は、制御部２０８ａからの取引データが入力すると、当該取引データを記憶する。
２．指定された口座への現金の振込み
(１) 金融機関Ａの口座への現金の振込み（金融機関Ｂの場合も同じ）
利用者が自動取引装置１ａを利用して金融機関Ａの口座へ現金を振込む場合、まず、利用者は、入力部１０２より表示部１０１に表示された取引メニューのうち「現金の振込み」を選択する。すると、入力部１０２は、「現金の振込み」が選択されたことを示す選択信号を制御部１１１ａに対して出力する。
制御部１１１ａは、入力部１０２からの選択信号が入力すると、利用者に対し紙幣預入れ機構１０４の入出金口へ現金を投入するとともに入力部１０２より振込先の金融機関および口座番号を入力するするよう促すメッセージを表示させるための表示データを表示部１０１に出力する。
表示部１０１は、制御部１１１ａからの表示データが入力すると、利用者に対し現金の投入および振込先の選択を促すメッセージを文字または図により表示する。
このメッセージを見た利用者は、振込む現金を自動取引装置１ａへ挿入するとともに、入力部１０２より振込先の金融機関と口座番号を入力する。なお、利用者が、自分の所有するカードに対応する口座への振込みを行う場合は、自分の所有するカードをカードリーダ１０３へ挿入し、カードデータとして書き込まれた金融機関コードおよび口座番号をカードリーダ１０３で読み込み、制御部１１１ａへ入力するようにしてもよい。
入力部１０２は、利用者が選択した金融機関Ａの金融機関コードを出力するとともに、利用者が入力した口座番号を出力する。
紙幣預入れ機構１０４は、入出金口へ投入された現金の金額を計算し、計算した金額（取引金額）を金額データとして制御部１１１ａへ出力するとともに、投入された現金を保管箱へ保管する。
制御部１１１ａは、入力部１０２からの金融機関コードおよび口座番号が入力し、さらに、紙幣預入れ機構１０４からの金額データが入力すると、当該金融機関コードが金融機関記憶部１０７に記憶されているか否かを判別する。このとき、当該金融機関コードは金融機関Ａを示すものであり、当該金融機関コードは金融機関記憶部１０７に記憶されているため、制御部１１１ａは、金融機関Ａの金融機関コードに対応する通信先コードを金融機関記憶部１０７から読込み、当該通信先コード、入力部１０２からの金融機関コード、入力部１０２にて利用者が選択した取引の内容（この場合、「現金の振込み」）を示す取引コード、口座番号、取引金額を含む取引要求信号を通信制御部１０６へ出力する。
通信制御部１０６は、制御部１１１ａからの取引要求信号が入力すると、予め記憶している通信手順にしたがって管理装置２ａとの通信回線の接続動作を行い、管理装置２ａとの間の通信回線が接続すると、制御部１１１ａから入力した取引要求信号を当該通信回線を介して管理装置２ａへ送信する。
管理装置２ａの通信制御部２０１は、自動取引装置１ａからの取引要求信号を受信すると、当該取引要求信号を制御部２０８ａへ出力する。
制御部２０８ａは、通信制御部２０１からの取引要求信号が入力すると、当該取引要求信号を通信制御部２０５に出力する。
通信制御部２０５は、制御部２０８ａからの取引要求信号に含まれる通信先コードがいずれの金融機関を示すものであるかを判別する。ここで、通信先コードは、金融機関Ａを示すものであるため、通信制御部２０５は、予め記憶している公衆ネットワーク３の通信手順にしたがって金融機関Ａの処理装置５Ａとの通信回線の接続動作を行う。そして、金融機関Ａの処理装置５Ａとの間の通信回線が接続すると、通信回線を介して金融機関Ａへ金融機関コード、取引コード、口座番号、取引金額を含む取引要求信号を送信する。このとき、通信履歴記憶部２０６は、当該取引要求信号および通信先コードを記憶する。
金融機関Ａの処理装置５Ａの第１の通信制御部５０１Ａは、通信回線を介して管理装置２ａからの取引要求信号を受信すると、当該取引要求信号を制御部５０５Ａへ出力する。
制御部５０５Ａは、第１の通信制御部５０１Ａからの取引要求信号が入力すると、当該取引要求信号に含まれる金融機関コードが予め記憶している金融機関Ａの金融機関コードであるか否かを判別する。金融機関コードは金融機関Ａの金融機関コードであるため、制御部５０５Ａは次に、当該取引要求信号に含まれる口座番号が口座データ記憶部５０４Ａに記憶されているか否かを判断する。
当該取引要求信号に含まれる口座番号が口座データ記憶部５０４Ａに記憶されいた場合は、第１の通信制御部５０１Ａに当該取引を許可することを示す許可信号を出力するとともに、当該取引許可信号に含まれる口座番号、取引コード、取引金額を含む取引データを口座データ記憶部５０４Ａに出力する。
口座データ記憶部５０４Ａは、制御部５０５Ａからの取引データが入力すると、取引データに含まれる口座番号の取引データとして当該取引データを記憶する。
第１の通信制御部５０１Ａは、制御部５０５Ａからの許可信号が入力すると、当該許可信号を通信回線を介して管理装置２ａに送信する。
管理装置２ａの通信制御部２０５は、金融機関Ａの処理装置５Ａからの許可信号を受信すると、当該許可信号を制御部２０８ａへ出力するとともに、金融機関Ａの処理装置５Ａとの間の通信回線を切断する。このとき、通信履歴記憶部２０５は、受信した許可信号と通信先コードを記憶する。
制御部２０８ａは、通信制御部２０５からの許可信号が入力すると、当該許可信号を通信制御部２０１へ出力する。
通信制御部２０１は、制御部２０８ａから入力した許可信号を自動取引装置１ａへ通信回線を介して送信する。
自動取引装置１ａの通信制御部１０６は、管理装置２ａからの許可信号を受信すると、当該許可信号を制御部１１１ａへ出力するとともに、管理装置２ａとの間の通信回線を切断する。
制御部１１１ａは、通信制御部１０６からの許可信号が入力すると、自動取引装置毎に予め付与されている識別情報、取引先コード、口座番号、取引コード、取引金額を含む取引データを出力する。
また、通信制御部１０６は、制御部１１１ａからの取引データが入力すると、管理装置２ａとの通信回線の接続動作を行い、管理装置２ａとの通信回線が接続されると、当該取引データを管理装置２ａへ送信し、管理装置２ａとの通信回線を切断する。
管理装置２ａの通信制御部２０１は、自動取引装置１ａからの取引データを受信すると、当該取引データを制御部２０８ａへ出力する。
制御部２０８ａは、通信制御部２０１からの取引データが入力すると、当該取引データを取引データ記憶部２０２を構成する第１の取引データ記憶部に出力する。
第１の取引データ記憶部は、制御部２０８ａからの取引データが入力すると、当該取引データを記憶する。
なお、金融機関Ａの制御部５０５Ａは、第１の通信制御部５０１Ａから取引要求信号が入力したときに、当該取引要求信号に含まれる口座番号が口座データ記憶部５０４Ａに記憶されていなかった場合は、第１の通信制御部５０１Ａに当該取引を許可しないことを示す不許可信号を出力する。
第１の通信制御部５０１Ａは、制御部５０５Ａからの不許可信号が入力すると、当該不許可信号を通信回線を介して管理装置２ａに送信する。
管理装置２ａの通信制御部２０５は、金融機関Ａからの不許可信号を受信すると、当該不許可信号を制御部２０８ａへ出力するとともに金融機関Ａとの間に接続されている通信回線を切断する。このとき、通信履歴記憶部２０５は、受信した不許可信号と通信先コードを記憶する。
制御部２０８ａは、通信制御部２０５からの不許可信号が入力すると、当該不許可信号を通信制御部２０１へ出力する。
通信制御部２０１は、制御部２０８ａから入力した不許可信号を自動取引装置１ａへ通信回線を介して送信する。
自動取引装置１ａの通信制御部１０６は、管理装置２ａからの不許可信号を受信すると、当該不許可信号を制御部１１１ａへ出力する。
制御部１１１ａは、通信制御部１０６からの不許可信号が入力すると、取引きができないことおよび入出金口からの紙幣の取出しの指示を表示させるための表示データを表示部１０１へ出力するとともに、紙幣支払い機構１０５へ取引金額に応じた金額データを出力する。
表示部１０１は、制御部１１１ａからの表示データが入力すると、当該表示データに応じて取引ができないこと、および、紙幣支払い機構１０５の入出金口からの紙幣の取出しの指示を文字や図により表示し利用者へ報知する。
紙幣支払い機構１０５は、制御部１１１ａからの金額データが入力すると、当該金額データに応じた現金を保管箱から取り出し、入出金口へ排出する。
また、自動取引装置１ａの 制御部１１１ａは、通信制御部１０６からの許可信号が入力したにもかかわらず、自動取引装置１ａ内部で現金が詰まったなどの理由により取引が確実に行われないことがある。この場合、制御部１１１ａは、当該取引を取り消すことを示す取消指示、通信先コード、取引先コード、取引コード、口座番号、取引金額を含む取消信号を出力する。
通信制御部１０６は、制御部１１１ａからの取消信号が入力すると、予め記憶している通信手順にしたがって管理装置２ａとの通信回線の接続動作を行い、管理装置２ａとの間の通信回線が接続すると、制御部１１１ａから入力した取消信号を当該通信回線を介して管理装置２ａへ送信した後、通信回線を切断する。
管理装置２ａの通信制御部２０１は、自動取引装置１ａからの取消信号を受信すると、当該取消信号を制御部２０８ａへ出力する。
制御部２０８ａは、通信制御部２０１からの取消信号が入力すると、当該取消信号を通信制御部２０５に出力する。
通信制御部２０５は、制御部２０８ａからの取消信号に含まれる通信先コードがいずれの金融機関を示すものであるかを確認する。ここで、通信先コードは、金融機関Ａの金融機関コードであるため、通信制御部２０５は、予め記憶している公衆ネットワーク３の通信手順にしたがって金融機関Ａとの通信回線の接続動作を行う。そして、金融機関Ａとの間の通信回線が接続すると、通信回線を介して金融機関Ａへ取消指示、取引先コード、取引コード、口座番号、取引金額を含む取消信号を送信する。このとき、通信履歴記憶部２０６は、当該取消信号を記憶する。
金融機関Ａの第１の通信制御部５０１Ａは、通信回線を介して管理装置２ａからの取消信号を受信すると、当該取消信号を制御部５０５Ａへ出力する。
制御部５０５Ａは、第１の通信制御部５０１Ａからの取消信号が入力すると、当該取消信号に含まれる取引先コードが金融機関Ａの金融機関コードであることを確認する。取引先コードは金融機関Ａの金融機関コードであるため、制御部５０５Ａは次に、当該取消信号に含まれる口座番号が口座データ記憶部５０４Ａに記憶されているか否かを判断する。
当該口座番号が口座データ記憶部５０４Ａに記憶されていた場合は、口座データ記憶部５０４Ａへ、口座番号、取引コード、取引金額を含む取消データを出力する。
【００４５】
口座データ記憶部５０４Ａは、制御部５０５Ａからの取消データが入力すると、当該取消データに含まれる口座番号に対応して記憶している取引データのうち、当該取消データと一致する最新の取引データを消去する。
この場合、自動取引装置１ａの制御部１１１ａは、さらに、自動取引装置毎に予め付与されている識別情報、取引先コード、取引コード、口座番号、取引金額、現金が詰まるなどの理由で取引が行われなかったことを示すコードを含む取引データを通信制御部１０６へ出力する。
通信制御部１０６は、制御部１１１ａからの取引データが入力すると、管理装置２ａとの通信回線の接続動作を行い、管理装置２ａとの通信回線が接続されると、当該取引データを管理装置２ａへ送信し、管理装置２ａとの通信回線を切断する。
管理装置２ａの通信制御部２０１は、自動取引装置１ａからの取引データを受信すると、当該取引データを制御部２０８ａへ出力する。
制御部２０８ａは、通信制御部２０１からの取引データが入力すると、当該取引データを取引データ記憶部２０２を構成する第１の取引データ記憶部に出力する。
第１の取引データ記憶部は、制御部２０８ａからの取引データが入力すると、当該取引データを記憶する。
(２) 金融機関Ｃの口座への現金の振込み
利用者が自動取引装置１ａを利用して金融機関Ｃの口座へ現金を振込む場合、まず、利用者は、入力部１０２より表示部１０１に表示された取引メニューのうち「現金の振込み」を選択する。すると、入力部１０２は、「現金の振込み」が選択されたことを示す選択信号を制御部１１１ａに対して出力する。
制御部１１１ａは、入力部１０２からの選択信号が入力すると、利用者に対し紙幣預入れ機構１０４の入出金口へ現金を投入するとともに入力部１０２より振込先の金融機関および口座番号を入力するするよう促すメッセージを表示させるための表示データを表示部１０１に出力する。
表示部１０１は、制御部１１１ａからの表示データが入力すると、利用者に対し現金の投入および振込先の選択を促すメッセージを文字または図により表示する。
このメッセージを見た利用者は、振込む現金を自動取引装置１ａへ挿入するとともに、入力部１０２より振込先の金融機関と口座番号を入力する。
入力部１０２は、利用者が選択した金融機関Ｃの金融機関コードを出力するとともに、利用者が入力した口座番号を出力する。
紙幣預入れ機構１０４は、入出金口へ投入された現金の金額を計算し、計算した金額（取引金額）を金額データとして制御部１１１ａへ出力するとともに、投入された現金を保管箱へ保管する。
制御部１１１ａは、入力部１０２金融機関コードおよび口座番号が入力し、さらに、紙幣預入れ機構１０４からの金額データが入力すると、当該金融機関コードが金融機関記憶部１０７に記憶されているか否かを判別する。このとき、当該金融機関コードは金融機関Ｃを示すものであり、当該金融機関コードは金融機関記憶部１０７に記憶されていないため、制御部１１１ａはさらに金融機関記憶部１０７に記憶している優先順位が１位の金融機関コードを判別する。金融機関記憶部１０７には、金融機関Ａの金融機関コードが優先順位を１位として記憶されているため、制御部１１１ａは、金融機関Ａの金融機関コードに対応する通信先コードを金融機関記憶部１０７から読込み、当該通信先コード、金融機関コード、口座番号、取引コード、取引金額を含む取引要求信号を通信制御部１０６へ出力する。
通信制御部１０６は、制御部１１１ａからの取引要求信号が入力すると、予め記憶している通信手順にしたがって管理装置２ａとの通信回線の接続動作を行い、管理装置２ａとの間の通信回線が接続すると、制御部１１１ａから入力した取引要求信号を当該通信回線を介して管理装置２ａへ送信する。
管理装置２ａの通信制御部２０１は、自動取引装置１ａからの取引要求信号を受信すると、当該取引要求信号を制御部２０８ａへ出力する。
制御部２０８ａは、通信制御部２０１からの取引要求信号が入力すると、当該取引要求信号を通信制御部２０５に出力する。
通信制御部２０５は、制御部２０８ａからの取引要求信号に含まれる通信先コードがいずれの金融機関を示すものであるかを確認する。ここで、通信先コードは、金融機関Ａを示すものであるため、通信制御部２０５は、予め記憶している公衆ネットワーク３の通信手順にしたがって金融機関Ａとの通信回線の接続動作を行う。そして、金融機関Ａとの間の通信回線が接続すると、通信回線を介して金融機関Ａの処理装置５Ａへ金融機関コード、口座番号、暗証番号、取引コード、取引金額を含む取引要求信号を送信する。このとき、通信履歴記憶部２０６は、当該取引要求信号および通信先データを記憶する。
金融機関Ａの処理装置５Ａの第１の通信制御部５０１Ａは、通信回線を介して管理装置２ａからの取引要求信号を受信すると、当該取引要求信号を制御部５０５Ａへ出力する。
制御部５０５Ａは、第１の通信制御部５０１Ａからの取引要求信号が入力すると、当該取引要求信号に含まれる金融機関コードが予め記憶している金融機関Ａの金融機関コードであるかを確認する。取引先コードは金融機関Ｃの金融機関コードであるため、制御部５０５Ａは次に、当該金融機関コード、口座番号、取引コード、取引金額を含む取引要求信号を第２の通信制御部５０３Ａへ出力する。第２の通信制御部５０３Ａは、制御部５０５Ａからの取引要求信号が入力すると、当該取引要求信号に含まれる金融機関コードをもとに、通信手順記憶部５０２Ａに記憶している通信手順のうち、当該金融機関コードに対応する金融機関との通信手順、つまり、金融機関Ｃの処理装置５Ｃとの通信手順を読み込み、読み込んだ通信手順にしたがって金融機関ネットワーク４を介して金融機関Ｃの処理装置５Ｃとの通信回線の接続動作を行う。そして、金融機関Ｃの処理装置５Ｃとの間の通信回線が接続されると、金融機関Ｃの処理装置５Ｃへ取引要求信号を送信する。
金融機関Ｃの処理装置５Ｃの通信制御部５０３Ｃは、金融機関ネットワーク４を介して金融機関Ａの処理装置５Ａからの取引要求信号を受信すると、当該取引要求信号を制御部５０５Ｃへ出力する。
制御部５０５Ｃは、通信制御部５０３Ｃからの取引要求信号が入力すると、当該取引要求信号に含まれる口座番号が口座データ記憶部５０４Ｃに記憶されているか否かを判断する。
当該カードデータの口座番号が口座データ記憶部５０４Ｃに記憶されていた場合は、通信制御部５０３Ｃに当該取引を許可することを示す許可信号を出力するとともに、当該取引要求信号に含まれる口座番号、取引コード、取引金額を含む取引データを口座データ記憶部５０４Ｃへ出力する。
口座データ記憶部５０４Ｃは、制御部５０５Ｃからの取引データが入力すると、取引データに含まれる口座番号に対応する取引データとして当該取引データを記憶する。
通信制御部５０３Ｃは、制御部５０５Ｃからの許可信号が入力すると、当該許可信号を金融機関ネットワーク４を介して金融機関Ａの処理装置５Ａに送信する。
金融機関Ａの処理装置５Ａの第２の送受信部５０３Ａは、金融機関ネットワーク４を介して金融機関Ｃの処理装置５Ｃからの許可信号を受信すると、当該許可信号を制御部５０５Ａへ出力するとともに、金融機関Ａの処理装置５Ａとの間の通信回線を切断する。
制御部５０５Ａは、第２の通信制御部５０３Ａからの許可信号が入力すると、当該許可信号を第１の通信制御部５０１Ａへ出力する。
第１の通信制御部５０１Ａは、制御部５０５Ａからの許可信号が入力すると、当該許可信号を公衆ネットワーク３を介して管理装置２ａへ送信する。
管理装置２ａの通信制御部２０５は、金融機関Ａからの許可信号を受信すると、当該許可信号を制御部２０８ａへ出力する。このとき、通信履歴記憶部２０５は、受信した許可信号と通信先コードを記憶する。
制御部２０８ａは、通信制御部２０５からの許可信号が入力すると、当該許可信号を通信制御部２０１へ出力する。
通信制御部２０１は、制御部２０８ａから入力した許可信号を自動取引装置１ａへ通信回線を介して送信する。
自動取引装置１ａの通信制御部１０６は、管理装置２ａからの許可信号を受信すると、当該許可信号を制御部１１１ａへ出力するとともに、管理装置２ａとの間の通信回線を切断する。
制御部１１１ａは、通信制御部１０６からの許可信号が入力すると、通信制御部１０６へ自動取引装置毎に予め付与されている識別情報、取引先コード、口座番号、取引コード、取引金額を含む取引データを出力する。
また、通信制御部１０６は、制御部１１１ａからの取引データが入力すると、管理装置２ａとの通信回線の接続動作を行い、管理装置２ａとの通信回線が接続されると、当該取引データを管理装置２ａへ送信し、管理装置２ａとの通信回線を切断する。
管理装置２ａの通信制御部２０１は、自動取引装置１ａからの取引データを受信すると、当該取引データを制御部２０８ａへ出力する。
制御部２０８ａは、通信制御部２０１からの取引データが入力すると、当該取引データを取引データ記憶部２０２を構成する第１の取引データ記憶部に出力する。
第１の取引データ記憶部は、制御部２０８ａからの取引データが入力すると、当該取引データを記憶する。
なお、金融機関Ｃの制御部５０５Ｃは、通信制御部５０３Ｃから取引要求信号が入力したときに、当該取引要求信号に含まれる口座番号が口座データ記憶部５０４Ｃに記憶されていなかった場合は、通信制御部５０３Ｃに当該取引を許可しないことを示す不許可信号を出力する。
通信制御部５０３Ｃは、制御部５０５Ｃからの不許可信号が入力すると、当該不許可信号を金融機関ネットワーク４を介して金融機関Ａに送信する。
金融機関Ａの第２の送受信部５０３Ａは、金融機関ネットワーク４を介して金融機関Ｃからの不許可信号を受信すると、当該不許可信号を制御部５０５Ａへ出力するとともに金融機関Ｃとの間の通信回線を切断する。
制御部５０５Ａは、第２の通信制御部５０３Ａからの不許可信号が入力すると、当該不許可信号を第１の通信制御部５０１Ａへ出力する。
第１の通信制御部５０１Ａは、制御部５０５Ａからの不許可信号が入力すると、当該不許可信号を公衆ネットワーク３を介して管理装置２ａに送信する。
管理装置２ａの通信制御部２０５は、金融機関Ａからの不許可信号を受信すると、当該不許可信号を制御部２０８ａへ出力するとともに金融機関Ａとの間に接続されている通信回線を切断する。このとき、通信履歴記憶部２０５は、受信した不許可信号と通信先コードを記憶する。
制御部２０８ａは、通信制御部２０５からの不許可信号が入力すると、当該不許可信号を通信制御部２０１へ出力する。
通信制御部２０１は、制御部２０８ａから入力した不許可信号を自動取引装置１ａへ通信回線を介して送信する。
自動取引装置１ａの通信制御部１０６は、管理装置２ａからの不許可信号を受信すると、当該不許可信号を制御部１１１ａへ出力する。
制御部１１１ａは、通信制御部１０６からの不許可信号が入力すると、取引きができないことおよび入出金口からの紙幣の取出しの指示を表示させるための表示データを表示部１０１へ出力するとともに、紙幣支払い機構１０５へ取引金額に応じた金額データを出力する。
表示部１０１は、制御部１１１ａからの表示データが入力すると、当該表示データに応じて取引ができないこと、および、紙幣支払い機構１０５の入出金口からの紙幣の取出しの指示を文字や図により表示し利用者へ報知する。
紙幣支払い機構１０５は、制御部１１１ａからの金額データが入力すると、当該金額データに応じた現金を保管箱から取り出し、入出金口へ排出する。
また、自動取引装置１ａの 制御部１１１ａは、通信制御部１０６からの許可信号が入力したにもかかわらず、自動取引装置１ａ内部で現金が詰まったなどの理由により取引が確実に行われないことがある。この場合、制御部１１１ａは、当該取引を取り消すことを示す取消指示、通信先コード、取引先コード、取引コード、口座番号、取引金額を含む取消信号を出力する。
通信制御部１０６は、制御部１１１ａからの取消信号が入力すると、予め記憶している通信手順にしたがって管理装置２ａとの通信回線の接続動作を行い、管理装置２ａとの間の通信回線が接続すると、制御部１１１ａから入力した取消信号を当該通信回線を介して管理装置２ａへ送信した後、通信回線を切断する。
管理装置２ａの通信制御部２０１は、自動取引装置１ａからの取消信号を受信すると、当該取消信号を制御部２０８ａへ出力する。
制御部２０８ａは、通信制御部２０１からの取消信号が入力すると、当該取消信号を通信制御部２０５に出力する。
通信制御部２０５は、制御部２０８ａからの取消信号に含まれる通信先コードがいずれの金融機関を示すものであるかを確認する。ここで、通信先コードは、金融機関Ａの金融機関コードであるため、通信制御部２０５は、予め記憶している公衆ネットワーク３の通信手順にしたがって金融機関Ａとの通信回線の接続動作を行う。そして、金融機関Ａとの間の通信回線が接続すると、通信回線を介して金融機関Ａへ取消指示、取引先コード、取引コード、口座番号、取引金額を含む取消信号を送信する。このとき、通信履歴記憶部２０６は、当該取消信号を記憶する。
金融機関Ａの第１の通信制御部５０１Ａは、通信回線を介して管理装置２ａからの取消信号を受信すると、当該取消信号を制御部５０５Ａへ出力する。
金融機関Ａの第１の通信制御部５０１Ａは、通信回線を介して管理装置２ａからの取消信号を受信すると、当該取消信号を制御部５０５Ａへ出力する。
制御部５０５Ａは、第１の通信制御部５０１Ａからの取消信号が入力すると、当該取消信号に含まれる取引先コードがいずれの金融機関のものであるかを確認する。当該金融機関コードは金融機関Ｃの金融機関コードであるため、制御部５０５Ａは、取消指示、取引先コード、口座番号、取引コード、取引金額を含む取消信号を第２の通信制御部５０３へ出力する。
第２の通信制御部５０３Ａは、制御部５０５Ａからの取消信号が入力すると、当該取消信号に含まれる取引先コードをもとに、通信手順記憶部５０２Ａに記憶している通信手順のうち、当該金融機関コードに対応する金融機関との通信手順、つまり、金融機関Ｃとの通信手順を読み込み、読み込んだ通信手順にしたがって金融機関ネットワーク４を介して金融機関Ｃとの通信回線の接続動作を行う。そして、金融機関Ｃとの間の通信回線が接続されると、金融機関Ｃへ取消信号を送信する。
金融機関Ｃの通信制御部５０３Ｃは、金融機関ネットワーク４を介して金融機関Ａからの取消信号を受信すると、当該取消信号を制御部５０５Ｃへ出力する。
制御部５０５Ｃは、通信制御部５０５Ｃからの取消信号が入力すると、当該取消信号に含まれる口座番号が口座データ記憶部５０４Ｃに記憶されているか否かを判断する。
当該口座番号が口座データ記憶部５０４Ｃに記憶されていた場合は、口座データ記憶部５０４Ｃへ、口座番号、取引コード、取引金額を含む取消データを出力する。
口座データ記憶部５０４Ｃは、制御部５０５Ｃからの取消データが入力すると、当該取消データに口座番号に対応して記憶している取引データのうち、当該取消データと一致する最新の取引データを消去する。
この場合、自動取引装置１ａの制御部１１１ａは、さらに、自動取引装置毎に予め付与されている識別情報、取引先コード、口座番号、取引コード、取引金額、現金が詰まるなどの理由で取引が行われなかったことを示すコードを含む取引データを通信制御部１０６へ出力する。
通信制御部１０６は、制御部１１１ａからの取引データが入力すると、管理装置２ａとの通信回線の接続動作を行い、管理装置２ａとの通信回線が接続されると、当該取引データを管理装置２ａへ送信し、管理装置２ａとの通信回線を切断する。
管理装置２ａの通信制御部２０１は、自動取引装置１ａからの取引データを受信すると、当該取引データを制御部２０８ａへ出力する。
制御部２０８ａは、通信制御部２０１からの取引データが入力すると、当該取引データを取引データ記憶部２０２を構成する第１の取引データ記憶部に出力する。
第１の取引データ記憶部は、制御部２０８ａからの取引データが入力すると、当該取引データを記憶する。
３．残高照会
(１) 金融機関Ａの口座の残高照会（金融機関Ｂの口座も同じ。）
金融機関Ａのカードを保有している利用者が、予め金融機関Ａより発行されたカードをに対応する口座の残高を自動取引装置１ａにより調べる場合、まず、利用者は、入力部１０２より表示部１０１に表示された取引メニューのうち「残高照会」を選択する。すると、入力部１０２は、「残高照会」が選択されたことを示す選択信号を制御部１１１ａに対して出力する。
制御部１１１ａは、入力部１０２からの選択信号が入力すると、利用者に対しカードリーダ１０３にカードを挿入するよう促すメッセージを表示させるための表示データを表示部１０１に出力する。
表示部１０１は、制御部１１１ａからの表示データが入力すると、利用者に対しカードの挿入を促すメッセージを文字または図により表示する。
このメッセージを見た利用者は、自己の保有するカードを自動取引装置１ａへ挿入する。
自動取引装置１ａのカードリーダ１０３は、挿入されたカードに書き込まれたカードデータを読込み、当該カードデータを制御部１１１ａへ出力する。
制御部１１１ａは、カードリーダ１０３からのカードデータが入力すると、利用者に対し入力部１０２から暗証番号を入力するよう促すメッセージを表示させるための表示データを表示部１０１に出力する。
表示部１０１は、制御部１１１ａからの表示データが入力すると、利用者に対し暗証番号の入力を促すメッセージを文字または図により表示する。
このメッセージを見た利用者は、挿入したカードに対応する暗証番号を入力部１０２より入力する。
入力部１０２は、利用者が入力した暗証番号を制御部１１１ａへ出力する。
制御部１１１ａは、カードリーダ１０３からのカードデータおよび入力部１０２からの暗証番号が入力すると、当該カードデータに含まれる金融機関コードが金融機関記憶部１０７に記憶されているか否かを確認する。このとき、当該カードデータに含まれる金融機関コードは金融機関Ａを示すものであり、当該金融機関コードは金融機関記憶部１０７に記憶されているため、制御部１１１ａはさらに当該金融機関コードの優先順位を確認する。当該金融機関Ａの金融機関コードの優先順位は１位であるため、制御部１１１ａは、金融機関Ａの金融機関コードを通信先コードとし、当該通信先コード、カードデータ、暗証番号、入力部１０２にて利用者が選択した取引の内容（この場合、「残高照会」）を示す取引コードを含む取引要求信号を通信制御部１０６へ出力する。
通信制御部１０６は、制御部１１１ａからの取引要求信号が入力すると、予め記憶している通信手順にしたがって管理装置２ａとの通信回線の接続動作を行い、管理装置２ａとの間の通信回線が接続すると、制御部１１１ａから入力した取引要求信号を当該通信回線を介して管理装置２ａへ送信する。
管理装置２ａの通信制御部２０１は、自動取引装置１ａからの取引要求信号を受信すると、当該取引要求信号を制御部２０８ａへ出力する。
制御部２０８ａは、通信制御部２０１からの取引要求信号が入力すると、当該取引要求信号を通信制御部２０５に出力する。
通信制御部２０５は、制御部２０８ａからの取引要求信号に含まれる通信先コードがいずれの金融機関を示すものであるかを確認する。ここで、通信先コードは、金融機関Ａの金融機関コードであるため、通信制御部２０５は、予め記憶している公衆ネットワーク３の通信手順にしたがって金融機関Ａとの通信回線の接続動作を行う。そして、金融機関Ａとの間の通信回線が接続すると、通信回線を介して金融機関Ａへカードデータ、暗証番号、取引コードを含む取引要求信号を送信する。このとき、通信履歴記憶部２０６は、当該取引要求データおよび通信先コードを記憶する。
金融機関Ａの第１の通信制御部５０１Ａは、通信回線を介して管理装置２ａからの取引要求信号を受信すると、当該取引要求信号を制御部５０５Ａへ出力する。
制御部５０５Ａは、第１の通信制御部５０１Ａからの取引要求信号が入力すると、当該取引要求信号に含まれるカードデータの金融機関コードが金融機関Ａの金融機関コードであることを確認する。カードデータの金融機関コードは金融機関Ａの金融機関コードであるため、制御部５０５Ａは次に、当該カードデータの口座番号が口座データ記憶部５０４Ａに記憶されているか否か、および、取引要求信号に含まれる暗証番号が当該口座番号に対応する暗証番号として口座データ記憶部５０４Ａに記憶されているか否かを判断する。
当該カードデータの口座番号が口座データ記憶部５０４Ａに記憶されており、かつ、取引要求信号に含まれる暗証番号が当該口座番号に対応する暗証番号として口座データ記憶部５０４Ａに記憶されていた場合は、第１の通信制御部５０１Ａに当該取引を許可することを示す情報および当該口座の残高データを含む許可信号を出力する。
第１の通信制御部５０１Ａは、制御部５０５Ａからの許可信号が入力すると、当該許可信号を通信回線を介して管理装置２ａに送信する。
管理装置２ａの通信制御部２０５は、金融機関Ａからの許可信号を受信すると、当該許可信号を制御部２０８ａへ出力するとともに金融機関Ａとの間に接続されている通信回線を切断する。このとき、通信履歴記憶部２０５は、受信した許可信号と通信先コードを記憶する。
制御部２０８ａは、通信制御部２０５からの許可信号が入力すると、当該許可信号を通信制御部２０１へ出力する。
通信制御部２０１は、制御部２０８ａから入力した許可信号を自動取引装置１ａへ通信回線を介して送信する。
自動取引装置１ａの通信制御部１０６は、管理装置２ａからの許可信号を受信すると、当該許可信号を制御部１１１ａへ出力する。
制御部１１１ａは、通信制御部１０６からの許可信号が入力すると、当該許可信号に含まれる残高データに応じて当該口座の残高を表示させるための表示データを表示部１０１へ出力するとともに、カードリーダからカードを排出させる。
表示部１０１は、制御部１１１ａからの表示データが入力すると、当該表示データに応じて残高を文字や図により表示し利用者へ報知する。
利用者は、表示部１０１に表示された内容を確認し、カードリーダより排出されたカードを取り出す。
なお、金融機関Ａの制御部５０５Ａは、第１の通信制御部５０１Ａから取引要求信号が入力したときに、当該取引要求信号に含まれるカードデータの口座番号が口座データ記憶部５０４Ａに記憶されていない、または、取引要求信号に含まれる暗証番号が当該口座番号に対応する暗証番号として口座データ記憶部５０４Ａに記憶されていなかった場合は、第１の通信制御部５０１Ａに当該取引を許可しないことを示す不許可信号を出力する。
第１の通信制御部５０１Ａは、制御部５０５Ａからの不許可信号が入力すると、当該不許可信号を通信回線を介して管理装置２ａに送信する。
管理装置２ａの通信制御部２０５は、金融機関Ａからの不許可信号を受信すると、当該不許可信号を制御部２０８ａへ出力するとともに金融機関Ａとの間に接続されている通信回線を切断する。このとき、通信履歴記憶部２０５は、受信した不許可信号と通信先コードを記憶する。
制御部２０８ａは、通信制御部２０５からの不許可信号が入力すると、当該不許可信号を通信制御部２０１へ出力する。
通信制御部２０１は、制御部２０８ａから入力した不許可信号を自動取引装置１ａへ通信回線を介して送信する。
自動取引装置１ａの通信制御部１０６は、管理装置２ａからの不許可信号を受信すると、当該不許可信号を制御部１１１ａへ出力する。
制御部１１１ａは、通信制御部１０６からの不許可信号が入力すると、カードデータに対抗する口座がないまたは暗証番号が違っているなどの理由により残高照会ができないことを表示させるための表示データを表示部１０１へ出力する。
表示部１０１は、制御部１１１ａからの表示データが入力すると、当該表示データに応じて残高照会ができないことを文字や図により表示し利用者へ報知する。
(２) 金融機関Ｃの口座の残高照会
金融機関Ｃのカードを保有している利用者が、予め金融機関Ｃより発行されたカードを利用して自動取引装置１ａにより当該カードに対応する口座の残高を調べる場合、まず、利用者は、入力部１０２より表示部１０１に表示された取引メニューのうち「残高照会」を選択する。すると、入力部１０２は、「残高照会」が選択されたことを示す選択信号を制御部１１１ａに対して出力する。
制御部１１１ａは、入力部１０２からの選択信号が入力すると、利用者に対しカードリーダ１０３にカードを挿入するよう促すメッセージを表示させるための表示データを表示部１０１に出力する。
表示部１０１は、制御部１１１ａからの表示データが入力すると、利用者に対しカードの挿入を促すメッセージを文字または図により表示する。
このメッセージを見た利用者は、自己の保有するカードを自動取引装置１ａへ挿入する。
自動取引装置１ａのカードリーダ１０３は、挿入されたカードに書き込まれたカードデータを読込み、当該カードデータを制御部１１１ａへ出力する。
制御部１１１ａは、カードリーダ１０３からのカードデータが入力すると、利用者に対し入力部１０２から暗証番号を入力するよう促すメッセージを表示させるための表示データを表示部１０１に出力する。
表示部１０１は、制御部１１１ａからの表示データが入力すると、利用者に対し暗証番号の入力を促すメッセージを文字または図により表示する。
このメッセージを見た利用者は、挿入したカードに対応する暗証番号を入力部１０２より入力する。
入力部１０２は、利用者が入力した暗証番号を制御部１１１ａへ出力する。
制御部１１１ａは、カードリーダ１０３からのカードデータおよび入力部１０２からの暗証番号が入力すると、当該カードデータに含まれる金融機関コードが金融機関記憶部１０７に記憶されているか否かを確認する。このとき、当該カードデータに含まれる金融機関コードは金融機関Ｃを示すものであり、当該金融機関コードは金融機関記憶部１０７に記憶されていないため、制御部１１１ａはさらに金融機関記憶部１０７に記憶している優先順位が１位の金融機関コードを確認する。金融機関記憶部１０７には、金融機関Ａの金融機関コードが優先順位を１位として記憶されているため、制御部１１１ａは、金融機関Ａの金融機関コードを通信先コードとし、当該通信先コード、カードデータ、暗証番号、取引コードを含む取引要求信号を通信制御部１０６へ出力する。
通信制御部１０６は、制御部１１１ａからの取引要求信号が入力すると、予め記憶している通信手順にしたがって管理装置２ａとの通信回線の接続動作を行い、管理装置２ａとの間の通信回線が接続すると、制御部１１１ａから入力した取引要求信号を当該通信回線を介して管理装置２ａへ送信する。
管理装置２ａの通信制御部２０１は、自動取引装置１ａからの取引要求信号を受信すると、当該取引要求信号を制御部２０８ａへ出力する。
制御部２０８ａは、通信制御部２０１からの取引要求信号が入力すると、当該取引要求信号を通信制御部２０５に出力する。
通信制御部２０５は、制御部２０８ａからの取引要求信号に含まれる通信先コードがいずれの金融機関を示すものであるかを確認する。ここで、通信先コードは、金融機関Ａの金融機関コードであるため、通信制御部２０５は、予め記憶している公衆ネットワーク３の通信手順にしたがって金融機関Ａとの通信回線の接続動作を行う。そして、金融機関Ａとの間の通信回線が接続すると、通信回線を介して金融機関Ａへカードデータ、暗証番号、取引コードを含む取引要求信号を送信する。このとき、通信履歴記憶部２０６は、当該取引要求信号および通信先データを記憶する。
金融機関Ａの第１の通信制御部５０１Ａは、通信回線を介して管理装置２ａからの取引要求信号を受信すると、当該取引要求信号を制御部５０５Ａへ出力する。
制御部５０５Ａは、第１の通信制御部５０１Ａからの取引要求信号が入力すると、当該取引要求信号に含まれるカードデータの金融機関コードがいずれの金融機関の金融機関コードであるかを確認する。カードデータの金融機関コードは金融機関Ｃの金融機関コードであるため、制御部５０５Ａは次に、当該カードデータ、取引コード、取引金額を含む取引要求信号を第２の通信制御部５０３Ａへ出力する。
第２の通信制御部５０３Ａは、制御部５０５Ａからの取引要求信号が入力すると、当該取引要求信号に含まれるカードデータの金融機関コードをもとに、通信手順記憶部５０２Ａに記憶している通信手順のうち、当該金融機関コードに対応する金融機関との通信手順、つまり、金融機関Ｃとの通信手順を読み込み、読み込んだ通信手順にしたがって金融機関ネットワーク４を介して金融機関Ｃとの通信回線の接続動作を行う。そして、金融機関Ｃとの間の通信回線が接続されると、金融機関Ｃへ取引要求信号を送信する。
金融機関Ｃの通信制御部５０３Ｃは、金融機関ネットワーク４を介して金融機関Ａからの取引要求信号を受信すると、当該取引要求信号を制御部５０５Ｃへ出力する。
制御部５０５Ｃは、通信制御部５０３Ｃからの取引要求信号が入力すると、当該取引要求信号に含まれるカードデータの口座番号が口座データ記憶部５０４Ｃに記憶されているか否か、および、取引要求信号に含まれる暗証番号が当該口座番号に対応する暗証番号として口座データ記憶部５０４Ｃに記憶されているか否かを判断する。
当該カードデータの口座番号が口座データ記憶部５０４Ｃに記憶されており、かつ、取引要求信号に含まれる暗証番号が当該口座番号に対応する暗証番号として口座データ記憶部５０４Ｃに記憶されていた場合は、通信制御部５０３Ｃに当該取引を許可することを示す情報と当該口座の残高に応じた残高データとを含む許可信号を出力する。
通信制御部５０３Ｃは、制御部５０５Ｃからの許可信号が入力すると、当該許可信号を金融機関ネットワーク４を介して金融機関Ａに送信する。
金融機関Ａの第２の送受信部５０３Ａは、金融機関ネットワーク４を介して金融機関Ｃからの許可信号を受信すると、当該許可信号を制御部５０５Ａへ出力するとともに金融機関Ｃとの間の通信回線を切断する。
制御部５０５Ａは、第２の通信制御部５０３Ａからの許可信号が入力すると、当該許可信号を第１の通信制御部５０１Ａへ出力する。
第１の通信制御部５０１Ａは、制御部５０５Ａからの許可信号が入力すると、当該許可信号を公衆ネットワーク３を介して管理装置２ａへ送信する。
管理装置２ａの通信制御部２０５は、金融機関Ａからの許可信号を受信すると、当該許可信号を制御部２０８ａへ出力するとともに金融機関Ａとの間に接続されている通信回線を切断する。このとき、通信履歴記憶部２０５は、受信した許可信号と通信先コードを記憶する。
制御部２０８ａは、通信制御部２０５からの許可信号が入力すると、当該許可信号を通信制御部２０１へ出力する。
通信制御部２０１は、制御部２０８ａから入力した許可信号を自動取引装置１ａへ通信回線を介して送信する。
自動取引装置１ａの通信制御部１０６は、管理装置２ａからの許可信号を受信すると、当該許可信号を制御部１１１ａへ出力するとともに、管理装置２ａとの間に接続されている通信回線を切断する。
制御部１１１ａは、通信制御部１０６からの許可信号が入力すると、当該許可信号に含まれている残高データに応じた残高を表示させるための表示データを表示部１０１へ出力する。
表示部１０１は、制御部１１１ａからの表示データが入力すると、当該表示データに応じて当該カードに対応する口座の残高を文字や図により表示し利用者へ報知する。
利用者は、表示部１０１に表示された内容を確認し、カードリーダより排出されたカードを取り出す。
なお、金融機関Ｃの制御部５０５Ｃは、通信制御部５０３Ｃから取引要求信号が入力したときに、当該取引要求信号に含まれるカードデータの口座番号が口座データ記憶部５０４Ｃに記憶されていない、または、取引要求信号に含まれる暗証番号が当該口座番号に対応する暗証番号として口座データ記憶部５０４Ｃに記憶されていなかった場合は、通信制御部５０３Ｃに当該取引を許可しないことを示す不許可信号を出力する。
通信制御部５０３Ｃは、制御部５０５Ｃからの不許可信号が入力すると、当該不許可信号を金融機関ネットワーク４を介して金融機関Ａに送信する。
金融機関Ａの第２の送受信部５０３Ａは、金融機関ネットワーク４を介して金融機関Ｃからの不許可信号を受信すると、当該不許可信号を制御部５０５Ａへ出力するとともに金融機関Ｃとの間の通信回線を切断する。
制御部５０５Ａは、第２の通信制御部５０３Ａからの不許可信号が入力すると、当該不許可信号を第１の通信制御部５０１Ａへ出力する。
第１の通信制御部５０１Ａは、制御部５０５Ａからの不許可信号が入力すると、当該不許可信号を公衆ネットワーク３を介して管理装置２ａに送信する。
管理装置２ａの通信制御部２０５は、金融機関Ａからの不許可信号を受信すると、当該不許可信号を制御部２０８ａへ出力するとともに金融機関Ａとの間に接続されている通信回線を切断する。このとき、通信履歴記憶部２０５は、受信した不許可信号と通信先コードを記憶する。
制御部２０８ａは、通信制御部２０５からの不許可信号が入力すると、当該不許可信号を通信制御部２０１へ出力する。
通信制御部２０１は、制御部２０８ａから入力した不許可信号を自動取引装置１ａへ通信回線を介して送信する。
自動取引装置１ａの通信制御部１０６は、管理装置２ａからの不許可信号を受信すると、当該不許可信号を制御部１１１ａへ出力する。
制御部１１１ａは、通信制御部１０６からの不許可信号が入力すると、カードデータに対応する口座がないまたは暗証番号が違っているなどの理由により残高照会ができないことを表示させるための表示データを表示部１０１へ出力する。
表示部１０１は、制御部１１１ａからの表示データが入力すると、当該表示データに応じて残高照会ができないことを文字や図により表示し利用者へ報知する。
４．自動取引装置１ａ内への現金の回収、補充
(１) 現金の回収
自動取引装置１ａにおいて現金の振込みが行われると、利用者が自動取引装置１ａに投入した現金が紙幣預入れ機構１０４の保管箱に投入され、保管箱で保管される。紙幣預入れ機構１０４では、この保管箱内の現金の量が所定の量を超えたことを検出すると、現金の量が予め設定している所定の量を超えたことを示す情報と当該自動取引装置の識別情報を含むニアフル信号を制御部１１１ａへ出力する。
制御部１１１ａは、紙幣預入れ機構１０４からのニアフル信号が入力すると、当該ニアフル信号を通信制御部１０６へ出力する。
通信制御部１０６は、制御部１１１ａからのニアフル信号が入力すると、管理装置２ａとの通信回線の接続動作を行い、管理装置２ａとの間の通信回線が接続されると、前記ニアフル信号を通信回線を介して管理装置２ａへ送信し、管理装置２ａとの間の通信回線を切断する。
管理装置２ａの通信制御部２０１は、自動取引装置１ａからのニアフル信号を受信すると、当該ニアフル信号を制御部２０８ａへ出力する。
制御部２０８ａは、通信制御部２０１からのニアフル信号が入力すると、個別情報記憶部に記憶している個別情報のうち、当該ニアフル信号に含まれる識別情報に対応する個別情報と当該自動取引装置１ａの保管箱内の現金の量が所定の量を超えたことを示す情報を表示させるための表示データを表示部２０７へ出力する。
管理装置２ａの表示部２０７に表示された内容をもとに自動取引装置１ａ内の現金の回収に向かった対処員は、まず、入力部１０２より表示部１０１に表示された取引メニューのうち「現金の回収」を選択する。すると、入力部１０２は、「現金の回収」が選択されたことを示す選択信号を制御部１１１ａへ出力する。
制御部１１１ａは、入力部１０２からの選択信号が入力すると、対処員に対しカードリーダ１０３にカードを挿入するよう促すメッセージを表示させるための表示データを表示部１０１に出力する。
表示部１０１は、制御部１１１ａからの表示データが入力すると、利用者に対しカードの挿入を促すメッセージを文字または図により表示する。
このメッセージを見た対処員は、自己の保有するカードを自動取引装置１ａへ挿入する。
自動取引装置１ａのカードリーダ１０３は、挿入されたカードに書き込まれたカードデータを読込み、当該カードデータを制御部１１１ａへ出力する。
制御部１１１ａは、カードリーダ１０３からのカードデータが入力すると、当該カードデータが照合データ記憶部１１２に記憶している照合データのいずれかと一致するか否かを判断する。当該カードデータが照合データとして記憶されていれば、対処員に対し入力部１０２から金額を入力するよう促すメッセージを表示させるための表示データを表示部１０１に出力する。ただし、当該カードデータが照合データのいずれとも一致しなかった場合は、カードデータが一致しないことを表示させるための表示データを表示部１０１へ出力した後、処理を終了する。
表示部１０１は、制御部１１１ａからの表示データが入力すると、表示データに応じたメッセージを文字または図により表示する。
対処員は、引出す現金の金額を入力部１０２より入力する。
入力部１０２は、利用者が入力した金額（回収金額）を制御部１１１ａへ出力する。
制御部１１１ａは、入力部１０２から回収金額が入力すると、当該回収金額に応じた金額データを紙幣支払い機構１０５へ出力しカードリーダからカードを排出させるとともに、入出金口から現金を取り出すよう指示するメッセージを表示させるための表示データを表示部１０１へ出力する。
紙幣支払い機構１０５は、制御部１１１ａからの金額データが入力すると、当該金額データに応じた現金を保管箱から取り出し、入出金口へ排出する。
対処員は、表示部１０１に表示された内容を確認し、入出金口へ排出された現金およびカードリーダより排出されたカードを取り出す。
(２) 現金の補充
自動取引装置１ａにおいて現金の引出しが行われると、利用者が自動取引装置１ａにて引出す現金が紙幣支払い機構１０５の保管箱より排出される。
紙幣支払い機構１０５では、この保管箱内の現金の量が所定の量を下回ったことを検出すると、現金の量が予め設定している所定の量を下回ったことを示す情報と当該自動取引装置の識別情報を含むニアエンド信号を制御部１１１ａへ出力する。
制御部１１１ａは、紙幣支払い機構１０５からのニアエンド信号が入力すると、当該ニアエンド信号を通信制御部１０６へ出力する。
通信制御部１０６は、制御部１１１ａからのニアエンド信号が入力すると、管理装置２ａとの通信回線の接続動作を行い、管理装置２ａとの間の通信回線が接続されると、前記ニアエンド信号を通信回線を介して管理装置２ａへ送信し、管理装置２ａとの間の通信回線を切断する。
管理装置２ａの通信制御部２０１は、自動取引装置１ａからのニアエンド信号を受信すると、当該ニアエンド信号を制御部２０８ａへ出力する。
制御部２０８ａは、通信制御部２０１からのニアエンド信号が入力すると、個別情報記憶部に記憶している個別情報のうち、当該ニアエンド信号に含まれる識別情報に対応する個別情報と当該自動取引装置１ａの保管箱内の現金の量が所定の量を下回ったことを示す情報を表示させるための表示データを表示部２０７へ出力する。
管理装置２ａの表示部２０７に表示された内容をもとに自動取引装置１ａ内の現金の補充に向かった対処員は、まず、入力部１０２より表示部１０１に表示された取引メニューのうち「現金の補充」を選択する。すると、入力部１０２は、「現金の補充」が選択されたことを示す選択信号を制御部１１１ａへ出力する。
制御部１１１ａは、入力部１０２からの選択信号が入力すると、対処員に対しカードリーダ１０３へカードを挿入するよう促すメッセージを表示させるための表示データを表示部１０１に出力する。
表示部１０１は、制御部１１１ａからの表示データが入力すると、対処員に対しカードの挿入を促すメッセージを文字または図により表示する。
このメッセージを見た対処員は、自己の保有するカードを自動取引装置１ａへ挿入する。
自動取引装置１ａのカードリーダ１０３は、挿入されたカードに書き込まれたカードデータを読込み、当該カードデータを制御部１１１ａへ出力する。
制御部１１１ａは、カードリーダ１０３からのカードデータが入力すると、当該カードデータが照合データ記憶部１１２に記憶している照合データのいずれかと一致するか否かを判断する。当該カードデータが照合データとして記憶されていれば、対処員に対し紙幣預入れ機構１０４の入出金口への現金の投入を促すメッセージを表示させるための表示データを表示部１０１に出力する。
表示部１０１は、制御部１１１ａからの表示データが入力すると、対処員に対し現金の投入を促すメッセージを文字または図により表示する。
このメッセージを見た対処員は、補充用の現金を入出金口へ投入する。
なお、制御部１１１ａは、当該カードデータが照合データのいずれとも一致しなかった場合は、カードデータが一致しないことを表示させるための表示データを表示部１０１へ出力した後、処理を終了する。
表示部１０１は、制御部１１１ａからの表示データが入力すると、表示データに応じたメッセージを文字または図により表示する。
紙幣預入れ機構１０４は、入出金口に投入された現金の金額（補充金額）を計算し、当該補充金額に応じた金額データを制御部１１１ａへ出力するとともに、投入された現金を保管箱に投入する。
制御部１１１ａは、カードリーダからカードを排出させるとともに、排出したカードの取出しを指示するメッセージを表示させるための表示データを表示部１０１へ出力する。
表示部１０１は、制御部１０１からの表示データが入力すると、当該表示データに応じてカードの取出しを指示するメッセージを文字や図により表示する。
対処員は、表示部１０１に表示された内容を確認し、カードリーダより排出されたカードを取り出す。
５．現金の管理
自動取引装置１ａの制御部１１１ａは、スケジュール記憶部１０９に記憶している時刻になると、取引データ記憶部１０８に記憶している取引データを読み込み、当該取引データと当該自動取引装置１ａに予め付与されている識別情報を締めデータとして通信制御部１０６へ出力する。
通信制御部１０６は、制御部１１１ａからの締めデータが入力すると、予め記憶している通信手順にしたがって管理装置２ａとの通信回線の接続動作を行い、通信回線が接続されると、当該締めデータを管理装置２ａへ送信する。
管理装置２ａの通信制御部２０１は、通信回線を介して自動取引装置１ａからの締めデータを受信すると、当該締めデータを制御部２０８ａに出力する。
制御部２０８ａは、通信制御部２０１からの締めデータが入力すると、当該締めデータに含まれる取引データを取引データ記憶部２０２を構成する第２の取引データ記憶部へ出力する。
第2の取引データ記憶部は、制御部２０８ａから入力した取引データを記憶する。
そして、制御部２０８ａは、第１の取引データ記憶部に記憶している取引データと第２の取引データ記憶部に記憶した取引データを照合する。両者が一致した場合は、当該取引データを確認データとして第１の記憶部に出力する。
なお、制御部２０８ａは、両者が一致しなかった場合は、通信履歴記憶部２０６に記憶している通信履歴をもとに第１の取引データ記憶部に記憶した取引データの正否を判断する。この結果、第１の取引データが正しいものであることが確認された場合は、当該取引データを確認データとして第１の記憶部に出力する。
ただし、第１の取引データ記憶部に記憶した取引データが正しいものでなかった場合は、当該締めデータに含まれる識別情報をもとに個別情報記憶部２０３から当該識別情報に対応する個別情報を読み込み、当該個別情報および第１の取引データ記憶部に記憶している取引データの取引金額が一致しなかったことを表示するための表示データを表示部２０７へ出力する。
表示部２０７は、制御部２０８ａからの表示データが入力すると、当該入力データに応じて、当該自動取引装置１ａの個別情報および第１の取引データ記憶部に記憶している取引データの取引金額が一致しなかったことを文字や図により表示する。
その後、管理装置２ａの制御部２０８ａは、スケジュール記憶部２１１に記憶している時刻になると、第１の取引データ記憶部に記憶している確認データのうち、同じ金融機関コードを有する確認コードに含まれる取引金額を加算し、金額記憶部２０４に当該金融機関コードに対応して記憶している合計額を読み込み、読み込んだ合計金額に前記第１の取引データ記憶部に記憶している確認データから求めた金額を加算した合計額と当該金融機関の金融機関コードを合計額データとして金額記憶部２０４へ出力する。
金額記憶部２０４は、制御部２０８ａからの合計額データが入力すると、当該合計額データに含まれる金融機関コードをもとに各金融機関の合計額として記憶する。
そして、制御部２０８ａは、当該合計額と金額記憶部２０４に予め記憶している当該金融機関の基準額とを比較し、当該金融機関の合計額が基準額を上回ったまたは下回った場合に、当該金融機関の合計額と合計額が予め設定された基準額を外れたことを表示させるための表示データを表示部２０７へ出力する。
表示部２０７は、制御部２０８ａからの表示データが入力すると、当該入力信号に応じて当該金融機関の合計額と合計額が予め設定された基準額を外れたことを文字や図により表示する。
［実施例２］
次に、本願の決済管理システムの第２の実施例を図面を用いて説明する。
〔構  成〕
図２は、本願の決済管理システムの第２の実施例を示すブロック図である。
図２において、自動取引装置１Ｄ，１Ｅは、表示部１０１、入力部１０２、カードリーダ１０３、紙幣預入れ機構１０４、紙幣支払い機構１０５、通信制御部１０６Ｄ，１０６Ｅ、金融機関記憶部１０７Ｄ，１０７Ｅ、取引データ記憶部１０８、スケジュール記憶部１０９、在高記憶部１１０、照合データ記憶部１１２、制御部１１１Ｄ，１１１Ｅとから構成されている。
表示部１０１、入力部１０２、カードリーダ１０３、紙幣預入れ機構１０４、紙幣支払い機構１０５、取引データ記憶部１０８、スケジュール記憶部１０９、在高記憶部１１０、照合データ記憶部１１２は、実施例１と同じものであるため、ここでは説明を省略する。
通信制御部１０６Ｄ，１０６Ｅは、制御部１１１Ｄ，１１１Ｅからの照合要求信号、取引要求信号、取消信号、ニアフル信号、ニアエンド信号、取引データ信号、締めデータ信号、管理データ信号のいずれかが入力すると、予め記憶している通信手順にしたがって管理装置２ｂとの通信回線の接続動作を行い、管理装置２ａとの通信回線が接続すると、当該通信回線を介して制御部１１１Ｄ，１１１Ｅからの入力信号を送信する。また、通信回線を介して管理装置２ｂからの確認信号、確認不可信号、許可信号、不許可信号のいずれかを受信すると、当該受信信号を制御部１１１Ｄ，１１１Ｅへ出力する。
金融機関記憶部１０７Ｄ，１１７Ｅは、予め自装置の所有者である金融機関の金融機関コードを通信先コードとして記憶している。本実施例では、金融機関記憶部１０７Ｄには金融機関Ｄの金融機関コードを、また、金融機関記憶部１０７Ｅには金融機関Ｅの金融機関コードをそれぞれ記憶している。
制御部１１１Ｄ，１１１Ｅは、取引メニューを表示させるための表示データを表示部１０１へ出力し、入力部１０２からの選択信号が入力すると、選択された取引メニューに応じた手順を表示させるための表示データを表示部１０１へ出力する。なお、本実施例では、取引メニューを▲１▼指定口座からの現金の引出し、▲２▼指定口座への現金の振込み、▲３▼残高照会、▲４▼現金の補充、▲５▼現金の回収としているが、これに限定されるものではない。
入力部１０２から前記取引メニューのうち▲１▼指定口座からの現金の引出しを選択したことを示す選択信号が入力し、さらに、入力部１０２からの暗証番号およびカードリーダ１０３からのカードデータが入力すると、入力部１０２により選択された取引の種類を示す取引コード、金融機関記憶部１０７Ｄ，１０７Ｅに記憶している通信先コード、暗証番号、カードデータ、取引金額（紙幣預入れ機構１０４からの金額データ）等の情報を含む取引要求信号を通信制御部１０６Ｄ，１０６Ｅへ出力する。その後、通信制御部１０６Ｄ，１０６Ｅからの許可信号が入力すると、通信先コード、取引コード、暗証番号、カードデータ、取引金額などの情報を含む取引データを取引データ記憶部１０８に出力する。なお、通信制御部１０６Ｄ，１０６Ｅから不許可信号が入力した場合は、取引の結果が許可されなかったことを示す取引結果コードを付加した取引データを取引データ記憶部１０８および通信制御部１０６Ｄ，１０６Ｅに出力する。また、許可信号が入力した後、カードが排出されないあるいは投入された紙幣が正常に保管箱へ保管されなかった場合等は、通信制御部１０６へ取引を取り消すことを示す取消コード、通信先コード、取引コード、暗証番号、カードデータ、取引金額などの情報を含む取消信号を出力するとともに、取引を取り消したことを示す取消コードを付加した取引データを取引データ記憶部１０８および通信制御部１０６Ｄ，１０６Ｅに出力する。
入力部１０２から前記取引メニューのうち▲２▼指定口座への現金の振込みを選択したことを示す選択信号が入力し、さらに、入力部１０２からの口座番号カードリーダ１０３からのカードデータ、および、入力部１０２からの金額データが入力すると、取引コード、通信先コード、取引金額（紙幣預入れ機構１０４または入力部１０２からの金額データ）にカードデータまたは口座番号等の情報を含む取引要求信号を通信制御部１０６Ｄ，１０６Ｅへ出力する。その後、通信制御部１０６Ｄ，１０６Ｅからの許可信号が入力すると、通信先コード、取引コード、暗証番号、カードデータ、取引金額などの情報を含む取引データを取引データ記憶部１０８に出力する。なお、通信制御部１０６Ｄ，１０６Ｅから不許可信号が入力した場合は、取引の結果が許可されなかったことを示す取引結果コードを付加した取引データを取引データ記憶部１０８および通信制御部１０６Ｄ，１０６Ｅに出力する。
入力部１０２から前記取引メニューのうち▲３▼残高照会を選択したことを示す選択信号が入力し、さらに、入力部１０２からの暗証番号およびカードリーダ１０３からのカードデータが入力すると、取引コード、通信先コード、暗証番号、カードデータ等の情報を含む取引要求信号を通信制御部１０６Ｄ，１０６Ｅへ出力する。
その後、通信制御部１０６Ｄ，１０６Ｅからの許可信号および残高データが入力すると、通信先コード、取引コード、暗証番号、カードデータなどの情報を含む取引データを取引データ記憶部１０８に出力し処理を終了するとともに、残高データを表示するための表示データを表示部１０１へ出力する。なお、通信制御部１０６Ｄ，１０６Ｅから不許可信号が入力した場合は、取引の結果が許可されなかったことを示す取引結果コードを付加した取引データを取引データ記憶部１０８に出力する。
入力部１０２から前記取引メニューのうち▲４▼現金の補充または▲５▼現金の回収を選択したことを示す選択信号が入力し、さらに、入力部１０２からの暗証番号およびカードリーダ１０３からのカードデータが入力すると、当該カードデータに含まれる操作者コードを読み取り、当該操作者コードが照合データ記憶部１１２に記憶している照合データと一致するか否かを確認する。そして、両者が一致した場合は、取引コード、暗証番号、カードデータ、補充金額（紙幣預入れ機構１０４から入力する金額データ）または回収金額（入力部１０２から入力した金額データ）などの情報を含む取引データを取引データ記憶部１０８に出力するとともに、取引コード、暗証番号、カードデータ、補充金額または回収金額などの情報を含む管理データ信号を通信制御部１０６Ｄ．１０６Ｅに出力し処理を終了する。
スケジュール記憶部１０９に記憶している時刻になると、取引データ記憶部１０８に記憶している取引データを読み込み、予め自動取引装置毎に付与された識別情報、取引データを含む締めデータ信号を通信制御部１０６Ｄ，１０６Ｅへ出力する。
管理装置２ｂは、通信制御部２０１ｂ、取引データ記憶部２０２、個別情報記憶部２０３、金額記憶部２０４、通信制御部２０５Ｄ，２０５Ｅ、通信履歴記憶部２０６ｂ、表示部２０７、スケジュール記憶部２１１、制御部２０８ｂとから構成されている。
なお、取引データ記憶部２０２、個別情報記憶部２０３、金額記憶部２０４、表示部２０７、スケジュール記憶部２１１は、実施例１と同じものであるため、ここでは説明を省略する。
通信制御部２０１ｂは、予め記憶している通信手順にしたがって自動取引装置１Ｄ，１Ｅとの通信回線の接続動作を行い、通信回線を介して自動取引装置１Ｄ，１Ｅからの確認要求信号、取引要求信号、取消信号、ニアフル信号、ニアエンド信号、取引データ信号、締めデータ信号、管理データ信号のいずれかを受信すると、当該受信信号を制御部２０８ｂへ出力する。また、制御部２０８ｂからの確認信号、確認不可信号、許可信号、不許可信号のいずれかが入力すると、当該入力信号を通信回線を介して自動取引装置１Ｄ，１Ｅへ送信する。なお、本実施例では、通信制御部２０１ｂは２台の自動取引装置１Ｄ，１Ｅと通信を行う場合について説明するが、これに限定されるものではない。
通信制御部２０５Ｄ，２０５Ｅは、それぞれ金融機関Ｄ，Ｅの処理装置５Ｄ，５Ｅと専用回線で接続され、制御部２０８ｂからの照合要求信号、取引要求信号、取消信号のいずれかが入力すると、専用回線を介して当該入力信号を金融機関Ｄ，Ｅの処理装置５Ｄ，５Ｅに送信する。また、専用回線を介して金融機関Ｄ，Ｅの処理装置５Ｄ，５Ｅからの確認信号、確認不可信号、許可信号、不許可信号のいずれかを受信すると、当該受信信号を制御部２０８ｂへ出力する。
通信履歴記憶部２０６ｂは、通信制御部２０５Ｄ，２０５Ｅがぞれぞれ金融機関Ｄ，Ｅの処理装置５Ｄ，５Ｅとの間で送受信した信号と送受信時刻を含む履歴データを記憶している。
制御部２０８ｂは、通信制御部２０１ｂからの確認要求信号、取引要求信号、取消信号のいずれかが入力すると、当該入力信号に含まれている通信先コードをもとに当該入力信号を通信制御部２０５Ｄまたは２０５Ｅに出力し、通信制御部２０５Ｄ，２０５Ｅからの確認信号、確認不可信号、許可信号、不許可信号のいずれかが入力すると、当該入力信号を通信制御部２０１ｂへ出力する。
通信制御部２０１ｂからのニアフル信号またはニアエンド信号が入力すると、当該入力信号に含まれる自動取引装置１Ｄ，１Ｅの識別情報をもとに、個別情報記憶部２０３から当該自動取引装置１Ｄ，１Ｅの個別情報を読み込み、当該個別情報およびニアフルまたはニアエンドを示す情報を表示させるための表示データを表示部２０７へ出力する。
通信制御部２０１ｂからの取引データ信号が入力すると、当該取引データを取引データ記憶部２０２を構成する第１の取引データ記憶部に出力する。
通信制御部２０１ｂからの締めデータ信号が入力すると、当該締めデータに含まれる取引データを取引データ記憶部２０２を構成する第２の取引データ記憶部へ出力する。そして、第１の取引データ記憶部に記憶している取引データと第２の取引データ記憶部に記憶した取引データを照合する。両者が一致した場合は、当該取引データを確認データとして第１の記憶部に出力する。
なお、両者が一致しなかった場合は、通信履歴記憶部２０６ｂに記憶している通信履歴をもとに第１の取引データ記憶部に記憶した取引データの正否を判断する。この結果、第１の取引データが正しいものであることが確認された場合は、当該取引データを確認データとして第１の記憶部に出力する。
ただし、第１の取引データ記憶部に記憶した取引データが正しいものでなかった場合は、当該締めデータに含まれる識別情報をもとに個別情報記憶部２０３から当該識別情報に対応する個別情報を読み込み、当該個別情報および第１の取引データ記憶部に記憶している取引データの取引金額が一致しなかったことを表示するための表示データを表示部２０７へ出力する。
スケジュール記憶部２１１に記憶した時刻になると、第１の取引データ記憶部に記憶している確認データのうち、同じ金融機関コードを有する確認データに含まれる取引金額を加算し、金額記憶部２０４に当該金融機関コードに対応して記憶している合計額を読み込み、読み込んだ合計額に前記第１の取引データ記憶部に記憶している確認データから求めた金額を加算した合計額と当該金融機関の金融機関コードを合計額データとして金額記憶部２０４へ出力する。そして、当該合計額と金額記憶部２０４に記憶している当該金融機関の基準額とを比較し、当該金融機関の合計額が基準額を上回ったまたは下回った場合に当該金融機関の合計額と合計額が予め設定された基準額を外れたことを表示させるための表示データを表示部２０７へ出力する。
通信制御部２０１ｂからの管理データ信号が入力すると、当該管理データを取引データ記憶部２０２へ出力する。
金融機関ネットワーク４は、実施例１と同じものであるため、ここでは説明を省略する。
金融機関Ｄ，Ｅの処理装置５Ｄ，５Ｅは、第１の通信制御部５０１Ｄ，５０１Ｅ、通信手順記憶部５０２Ｄ，５０２Ｅ、第２の通信制御部５０３Ｄ，５０３Ｅ、口座データ記憶部５０４Ｄ，５０４Ｅ、制御部５０５Ｄ，５０５Ｅとから構成されている。
第１の通信制御部５０１Ｄ，５０１Ｅは、予め記憶している通信手順にしたがって管理装置２ｂからの確認要求信号、取引要求信号、取消信号のいずれかを受信すると、当該受信信号を制御部５０５Ｄ，５０５Ｅへ出力する。また、制御部５０５Ｄ，５０５Ｅからの確認信号、確認不可信号、許可信号、不許可信号のいずれかが入力すると、当該入力信号を通信回線を介して管理装置２ｂへ送信する。
通信手順記憶部５０２Ｄ，５０２Ｅは、予め他の金融機関の処理装置との通信手順を金融機関コードに応じて記憶している。
第２の通信制御部５０３Ｄ，５０３Ｅは、制御部５０５Ｄ，５０５Ｅからの確認要求信号、取引要求信号、取消信号のいずれかが入力すると、当該入力信号に含まれる金融機関コードをもとに、通信手順記憶部５０２Ｄ，５０２Ｅに記憶している通信手順のうち当該金融機関コードに対応した通信手順を読み込み、当該通信手順にしたがって金融機関ネットワーク４を介して他の金融機関の処理装置との通信回線の接続動作を行う。そして、他の金融機関の処理装置との通信回線が接続すると、通信回線を介して制御部５０５Ｄ，５０５Ｅからの入力信号を送信する。また、通信回線を介して他の金融機関の処理装置からの確認信号、確認不可信号、許可信号、不許可信号のいずれかを受信すると、当該受信信号を制御部５０５Ｄ，５０５Ｅへ出力する。
口座データ記憶部５０４Ｄ，５０４Ｅは、金融機関Ｄ，Ｅの顧客の口座番号に応じて各口座番号に対応する暗証番号、顧客の住所、氏名などを予め記憶しておき、制御部５０５Ｄ，５０５Ｅからの取引データが入力すると当該取引データを記憶する。また、取消信号が入力すると、記憶している取引データのうち、当該取消信号に含まれる口座番号をもとに当該口座番号に対応する最新の取引データを消去する。
制御部５０５Ｄ，５０５Ｅは、第１の通信制御部５０１Ｄ，５０１Ｅからの確認要求信号が入力すると、当該確認要求信号に含まれている金融機関コードが予め記憶している自金融機関Ｄ，Ｅの金融機関コードであった場合は、確認要求信号に含まれている口座番号が口座データ記憶部５０４Ｄ，５０４Ｅに記憶している口座番号と一致するか否かおよび暗証番号が当該口座番号に対応して記憶している暗証番号と一致するか否かを確認する。口座番号および暗証番号が口座データ記憶部５０４Ｄ，５０４Ｅに記憶しているものと一致した場合は、第１の通信制御部５０１Ｄ，５０１Ｅへ確認信号を出力するとともに、当該口座番号に対応する口座データ(口座名等)を口座データ記憶部５０４Ｄ，５０４Ｅから読み込み、第１の通信制御部５０１Ｄ，５０１Ｅへ出力する。
なお、口座番号が口座データ記憶部５０４Ｄ，５０４Ｅに記憶している口座番号のいずれとも一致しない、または、暗証番号が当該口座番号に対応して記憶している暗証番号と一致しなかった場合は、第１の通信制御部５０１Ｄ，５０１Ｅへ確認不可信号を出力する。
第１の通信制御部５０１Ｄ，５０１Ｅからの取引要求信号が入力すると、当該取引要求信号に含まれている金融機関コードが予め記憶している自金融機関Ｄ，Ｅの金融機関コードであった場合は、取引要求信号に含まれている口座番号が口座データ記憶部５０４Ｄ，５０４Ｅに記憶している口座番号のいずれかと一致するか否かおよび暗証番号が当該口座番号に対応して記憶している暗証番号と一致するか否かを確認する。口座番号および暗証番号が口座データ記憶部５０４Ｄ，５０４Ｅに記憶しているものと一致した場合は、第１の通信制御部５０１Ｄ，５０１Ｅへ許可信号を出力するとともに、取引要求信号に含まれるカードデータ、取引コード、取引金額を取引データとして口座データ記憶部５０４Ｄ，５０４Ｅへ出力する。
なお、カードデータの口座番号が口座データ記憶部５０４Ｄ，５０４Ｅに記憶している口座番号のいずれとも一致しない、または、暗証番号が当該口座番号に対応して記憶している暗証番号と一致しなかった場合は、第１の通信制御部５０１Ｄ、５０１Ｅへ不許可信号を出力する。
金融機関Ｆの処理装置５Ｆは、通信制御部５０３Ｆ、口座データ記憶部５０４Ｆ、制御部５０５Ｆとから構成されている。
通信制御部５０３Ｆは、予め記憶している通信手順にしたがって金融機関Ｄ，Ｅの処理装置５Ｄ，５Ｅとの通信回線の接続動作を行い、金融機関ネットワーク４を介して確認要求信号、取引要求信号、取消信号のいずれかを受信すると、当該受信信号を制御部５０５Ｆへ出力する。また、制御部５０５Ｆからの確認信号、確認不可信号、許可信号、不許可信号のいずれかが入力すると、当該入力信号を通信回線を介して金融機関Ｄ，Ｅの処理装置５Ｄ，５Ｅへ送信する。
口座データ記憶部５０４Ｆは、金融機関Ｆの顧客の口座番号に応じて各口座番号に対応する暗証番号、顧客の住所、氏名などを予め記憶しておき、制御部５０５Ｆからの取引データが入力すると当該取引データを記憶する。また、取消信号が入力すると、記憶している取引データのうち、当該取消信号に含まれる口座番号をもとに当該口座番号に対応する最新の取引データを消去する。
制御部５０５Ｆは、通信制御部５０３Ｆからの確認要求信号が入力すると、当該確認要求信号に含まれている金融機関コードが予め記憶している自金融機関Ｆの金融機関コードであった場合は、確認要求信号に含まれている口座番号が口座データ記憶部５０４Ｆに記憶している口座番号と一致するか否かおよび暗証番号が当該口座番号に対応して記憶している暗証番号と一致するか否かを確認する。口座番号および暗証番号が口座データ記憶部５０４Ｆに記憶しているものと一致した場合は、通信制御部５０３Ｆへ確認信号を出力するとともに、当該口座番号に対応する口座データ(口座名等)を口座データ記憶部５０４Ｆから読み込み、通信制御部５０３Ｆへ出力する。
なお、口座番号が口座データ記憶部５０４Ｆに記憶している口座番号のいずれとも一致しない、または、暗証番号が当該口座番号に対応して記憶している暗証番号と一致しなかった場合は、通信制御部５０３Ｆへ確認不可信号を出力する。通信制御部５０３Ｆからの取引要求信号が入力すると、当該取引要求信号に含まれているカードデータの金融機関コードが金融機関Ｆの金融機関コードであるか否かを確認する。金融機関Ｆの金融機関コードであった場合は、取引要求信号に含まれる口座番号が口座データ記憶部５０４Ｆに記憶している口座番号のいずれかと一致するか否かおよび暗証番号が当該口座番号に対応して記憶している暗証番号と一致するか否かを判別する。口座番号および暗証番号が口座番号記憶部５０４Ｆに記憶しているものと一致した場合は、通信制御部５０３Ｆへ許可信号を出力するとともに、取引要求信号に含まれるカードデータ、取引コード、取引金額を取引データとして口座データ記憶部５０４Ｆへ出力する。
なお、口座番号が口座データ記憶部５０４Ｆに記憶している口座番号のいずれとも一致しない、または、暗証番号が当該口座番号に対応して記憶している暗証番号と一致しなかった場合は、通信制御部５０３Ｆへ不許可信号を出力する。
【００４６】
〔動  作〕
次に、図２に示す本願の決済管理システムの動作を説明する。
１．指定された口座からの現金の引出し
(１) 金融機関Ｄの口座からの現金の引出し
金融機関Ｄのカードを保有している利用者が、予め金融機関Ｄより発行されたカードを利用して自動取引装置１Ｄから現金を引出す場合、まず、利用者は、入力部１０２より表示部１０１に表示された取引メニューのうち「現金の引出し」を選択する。すると、入力部１０２は、「現金の引出し」が選択されたことを示す選択信号を制御部１１１Ｄに対して出力する。
制御部１１１Ｄは、入力部１０２からの選択信号が入力すると、利用者に対しカードリーダ１０３にカードを挿入するよう促すメッセージを表示させるための表示データを表示部１０１に出力する。
表示部１０１は、制御部１１１Ｄからの表示データが入力すると、利用者に対しカードの挿入を促すメッセージを文字または図により表示する。
このメッセージを見た利用者は、自己の保有するカードを自動取引装置１Ｄへ挿入する。
自動取引装置１Ｄのカードリーダ１０３は、挿入されたカードに書き込まれたカードデータを読込み、当該カードデータを制御部１１１Ｄへ出力する。
制御部１１１Ｄは、カードリーダ１０３からのカードデータが入力すると、利用者に対し入力部１０２から暗証番号を入力するよう促すメッセージを表示させるための表示データを表示部１０１に出力する。
表示部１０１は、制御部１１１Ｄからの表示データが入力すると、利用者に対し暗証番号の入力を促すメッセージを文字または図により表示する。
このメッセージを見た利用者は、挿入したカードに対応する暗証番号を入力部１０２より入力する。
入力部１０２は、利用者が入力した暗証番号を制御部１１１Ｄへ出力する。
制御部１１１Ｄは、入力部１０２からの暗証番号が入力すると、利用者に対し入力部１０２から金額を入力するよう促すメッセージを表示させるための表示データを表示部１０１に出力する。
表示部１０１は、制御部１１１Ｄからの表示データが入力すると、利用者に対し金額の入力を促すメッセージを文字または図により表示する。
このメッセージを見た利用者は、引出す現金の金額を入力部１０２より入力する。
入力部１０２は、利用者が入力した金額（取引金額）を制御部１１１Ｄへ出力する。
制御部１１１Ｄは、カードリーダ１０３からのカードデータが入力すると、金融機関記憶部１０７に記憶されている通信先コードを読込み、当該通信先コード、カードデータ、暗証番号、入力部１０２にて利用者が選択した取引の内容（この場合、「現金の引出し」）を示す取引コード、取引金額を含む取引要求信号を通信制御部１０６Ｄへ出力する。
通信制御部１０６Ｄは、制御部１１１Ｄからの取引要求信号が入力すると、予め記憶している通信手順にしたがって管理装置２ｂとの通信回線の接続動作を行い、管理装置２ｂとの間の通信回線が接続すると、制御部１１１Ｄから入力した取引要求信号を当該通信回線を介して管理装置２ｂへ送信する。
管理装置２ｂの通信制御部２０１ｂは、自動取引装置１Ｄからの取引要求信号を受信すると、当該取引要求信号を制御部２０８ｂへ出力する。
制御部２０８ｂは、通信制御部２０１ｂからの取引要求信号が入力すると、当該取引要求信号に含まれる通信先コードがどの金融機関コードであるかを確認する。ここで、通信先コードは、金融機関Ｄを示す金融機関コードであるため、当該取引要求信号を通信制御部２０５Ｄに出力する。
通信制御部２０５Ｄは、制御部２０８ｂからの取引要求信号が入力すると、予め記憶している通信手順にしたがって金融機関Ｄの処理装置５Ｄに対し通信回線を介してカードデータ、暗証番号、取引コード、取引金額を含む取引要求信号を送信する。このとき、通信履歴記憶部２０６ｂは、当該取引要求信号および通信先コードを記憶する。
金融機関Ｄの処理装置５Ｄの第１の通信制御部５０１Ｄは、通信回線を介して管理装置２ｂからの取引要求信号を受信すると、当該取引要求信号を制御部５０５Ｄへ出力する。
制御部５０５Ｄは、第１の通信制御部５０１Ｄからの取引要求信号が入力すると、当該取引要求信号に含まれるカードデータの金融機関コードが金融機関Ｄの金融機関コードであることを確認する。カードデータの金融機関コードは金融機関Ｄの金融機関コードであるため、制御部５０５Ｄは次に、当該カードデータの口座番号が口座データ記憶部５０４Ｄに記憶されているか否か、および、取引要求信号に含まれる暗証番号が当該口座番号に対応する暗証番号として口座データ記憶部５０４Ｄに記憶されているか否かを判断する。
当該カードデータの口座番号が口座データ記憶部５０４Ｄに記憶されており、かつ、取引要求信号に含まれる暗証番号が当該口座番号に対応する暗証番号として口座データ記憶部５０４Ｄに記憶されていた場合は、第１の通信制御部５０１Ｄに当該取引を許可することを示す許可信号を出力する。
また、制御部５０５Ｄは、当該取引要求信号に含まれるカードデータ、取引コード、取引金額を含む取引データを口座データ記憶部５０４Ｄへ出力する。
口座データ記憶部５０４Ｄは、制御部５０５Ｄからの取引データが入力すると、取引データに含まれるカードデータの口座番号の取引データとして当該取引データを記憶する。
第１の通信制御部５０１Ｄは、制御部５０５Ｄからの許可信号が入力すると、当該許可信号を通信回線を介して管理装置２ｂに送信する。
管理装置２ｂの通信制御部２０５Ｄは、金融機関Ｄの処理装置５Ｄからの許可信号を受信すると、当該許可信号を制御部２０８ｂへ出力する。このとき、通信履歴記憶部２０６ｂは、受信した許可信号と通信先コードを記憶する。
制御部２０８ｂは、通信制御部２０５Ｄからの許可信号が入力すると、当該許可信号を通信制御部２０１ｂへ出力する。
通信制御部２０１ｂは、制御部２０８ｂから入力した許可信号を自動取引装置１Ｄへ通信回線を介して送信する。
自動取引装置１Ｄの通信制御部１０６Ｄは、管理装置２ｂからの許可信号を受信すると、当該許可信号を制御部１１１Ｄへ出力する。
制御部１１１Ｄは、通信制御部１０６Ｄからの許可信号が入力すると、紙幣支払い機構１０５へ取引金額に応じた金額データを出力しカードリーダからカードを排出させるとともに、入出金口から現金を取り出すよう指示するメッセージを表示させるための表示データを表示部１０１へ出力する。また、管理装置２ｂとの間の通信回線を切断する。
紙幣支払い機構１０５は、制御部１１１Ｄからの金額データが入力すると、当該金額データに応じた現金を保管箱から取り出し、入出金口へ排出する。
表示部１０１は、制御部１１１ｂからの表示データが入力すると、当該表示データに応じて入出金口から現金を取り出すよう指示するメッセージを文字や図により表示し利用者へ報知する。
利用者は、表示部１０１に表示された内容を確認し、入出金口へ排出された現金およびカードリーダより排出されたカードを取り出す。
制御部１１１ｂは、利用者が現金およびカードを取出すと、通信制御部１０６Ｄへ自動取引装置毎に予め付与されている識別情報、カードデータ、取引コード、取引金額を含む取引データを出力する。
通信制御部１０６Ｄは、制御部１１１ｂからの取引データが入力すると、管理装置２ｂとの通信回線の接続動作を行い、管理装置２ｂとの通信回線が接続されると、当該取引データを管理装置２ｂへ送信し、管理装置２ｂとの通信回線を切断する。
管理装置２ｂの通信制御部２０１ｂは、自動取引装置１Ｄからの取引データを受信すると、当該取引データを制御部２０８ｂへ出力する。
制御部２０８ｂは、通信制御部２０１ｂからの取引データが入力すると、当該取引データを取引データ記憶部２０２を構成する第１の取引データ記憶部に出力する。
第１の取引データ記憶部は、制御部２０８ｂからの取引データが入力すると、当該取引データを記憶する。
なお、金融機関Ｄの制御部５０５Ｄは、第１の通信制御部５０１Ｄから取引要求信号が入力したときに、当該取引要求信号に含まれるカードデータの口座番号が口座データ記憶部５０４Ｄに記憶されていない、または、取引要求信号に含まれる暗証番号が当該口座番号に対応する暗証番号として口座データ記憶部５０４Ｄに記憶されていなかった場合は、第１の通信制御部５０１Ｄに当該取引を許可しないことを示す不許可信号を出力する。
第１の通信制御部５０１Ｄは、制御部５０５Ｄからの不許可信号が入力すると、当該不許可信号を通信回線を介して管理装置２ｂに送信する。
管理装置２ｂの通信制御部２０５Ｄは、金融機関Ｄの処理装置５Ｄからの不許可信号を受信すると、当該不許可信号を制御部２０８ｂへ出力する。このとき、通信履歴記憶部２０５Ｄは、受信した不許可信号と通信先コードを記憶する。
制御部２０８ｂは、通信制御部２０５Ｄからの不許可信号が入力すると、当該不許可信号を通信制御部２０１ｂへ出力する。
通信制御部２０１ｂは、制御部２０８ｂから入力した不許可信号を自動取引装置１Ｄへ通信回線を介して送信する。
自動取引装置１Ｄの通信制御部１０６Ｄは、管理装置２ｂからの不許可信号を受信すると、当該不許可信号を制御部１１１Ｄへ出力する。
制御部１１１Ｄは、通信制御部１０６Ｄからの不許可信号が入力すると、取引きができないことを表示させるための表示データを表示部１０１へ出力する。
表示部１０１は、制御部１１１Ｄからの表示データが入力すると、当該表示データに応じて取引ができないことを文字や図により表示し利用者へ報知する。
また、自動取引装置１Ｄの 制御部１１１Ｄは、通信制御部１０６Ｄからの許可信号が入力し、紙幣支払い機構１０５へ金額データを出力し、カードリーダよりカードを排出させたにもかかわらず、自動取引装置１Ｄ内部で現金やカードが詰まったなどの理由により取引が確実に行われないことがある。この場合、制御部１１１Ｄは、当該取引を取り消すことを示す取消指示、通信先コード、カードデータ、取引コード、取引金額を含む取消信号を出力する。
通信制御部１０６Ｄは、制御部１１１Ｄからの取消信号が入力すると、予め記憶している通信手順にしたがって管理装置２ｂとの通信回線の接続動作を行い、管理装置２ｂとの間の通信回線が接続すると、制御部１１１Ｄから入力した取消信号を当該通信回線を介して管理装置２ｂへ送信した後、通信回線を切断する。
管理装置２ｂの通信制御部２０１ｂは、自動取引装置１Ｄからの取消信号を受信すると、当該取消信号を制御部２０８ｂへ出力する。
制御部２０８ｂは、通信制御部２０１ｂからの取消信号が入力すると、当該取消信号に含まれる通信先コードがいずれの金融機関を示すものであるかを確認する。ここで、通信先コードは、金融機関Ｄの金融機関コードであるため、当該取消信号を通信制御部２０５Ｄに出力する。
通信制御部２０５Ｄは、制御部２０８ｂからの取消信号が入力すると、通信回線を介して金融機関Ｄの処理装置５Ｄへ取消指示、カードデータ、取引コード、取引金額を含む取消信号を送信する。このとき、通信履歴記憶部２０６ｂは、当該取消信号を記憶する。
金融機関Ｄの処理装置５Ｄの第１の通信制御部５０１Ｄは、通信回線を介して管理装置２ｂからの取消信号を受信すると、当該取消信号を制御部５０５Ｄへ出力する。
制御部５０５Ｄは、第１の通信制御部５０１Ｄからの取消信号が入力すると、当該取消信号に含まれるカードデータの金融機関コードが金融機関Ｄの金融機関コードであることを確認する。カードデータの金融機関コードは金融機関Ｄの金融機関コードであるため、制御部５０５Ｄは次に、当該カードデータの口座番号が口座データ記憶部５０４Ｄに記憶されているか否かを判断する。
当該カードデータの口座番号が口座データ記憶部５０４Ｄに記憶されていた場合は、口座データ記憶部５０４Ｄへ、カードデータ、取引コード、取引金額を含む取消データを出力する。
口座データ記憶部５０４Ｄは、制御部５０５Ｄからの取消データが入力すると、当該取消データに含まれるカードデータの口座番号として記憶している取引データのうち、当該取消データと一致する最新の取引データを消去する。
この場合、自動取引装置１Ｄの制御部１１１Ｄは、さらに、自動取引装置毎に予め付与されている識別情報、カードデータ、取引コード、取引金額、現金やカードが詰まりなどの理由で取引が行われなかったことを示すコードを含む取引データを通信制御部１０６Ｄへ出力する。
通信制御部１０６Ｄは、制御部１１１Ｄからの取引データが入力すると、管理装置２ｂとの通信回線の接続動作を行い、管理装置２ｂとの通信回線が接続されると、当該取引データを管理装置２ｂへ送信し、管理装置２ｂとの通信回線を切断する。
管理装置２ｂの通信制御部２０１ｂは、自動取引装置１Ｄからの取引データを受信すると、当該取引データを制御部２０８ｂへ出力する。
制御部２０８ｂは、通信制御部２０１ｂからの取引データが入力すると、当該取引データを取引データ記憶部２０２を構成する第１の取引データ記憶部に出力する。
第１の取引データ記憶部は、制御部２０８ｂからの取引データが入力すると、当該取引データを記憶する。
(２) 金融機関Ｆの口座からの現金の引出し
金融機関Ｆのカードを保有している利用者が、予め金融機関Ｆより発行されたカードを利用して自動取引装置１Ｄから現金を引出す場合、まず、利用者は、入力部１０２より表示部１０１に表示された取引メニューのうち「現金の引出し」を選択する。すると、入力部１０２は、「現金の引出し」が選択されたことを示す選択信号を制御部１１１Ｄに対して出力する。
制御部１１１Ｄは、入力部１０２からの選択信号が入力すると、利用者に対しカードリーダ１０３にカードを挿入するよう促すメッセージを表示させるための表示データを表示部１０１に出力する。
表示部１０１は、制御部１１１Ｄからの表示データが入力すると、利用者に対しカードの挿入を促すメッセージを文字または図により表示する。
このメッセージを見た利用者は、自己の保有するカードを自動取引装置１Ｄへ挿入する。
自動取引装置１Ｄのカードリーダ１０３は、挿入されたカードに書き込まれたカードデータを読込み、当該カードデータを制御部１１１Ｄへ出力する。
制御部１１１Ｄは、カードリーダ１０３からのカードデータが入力すると、利用者に対し入力部１０２から暗証番号を入力するよう促すメッセージを表示させるための表示データを表示部１０１に出力する。
表示部１０１は、制御部１１１Ｄからの表示データが入力すると、利用者に対し暗証番号の入力を促すメッセージを文字または図により表示する。
このメッセージを見た利用者は、挿入したカードに対応する暗証番号を入力部１０２より入力する。
入力部１０２は、利用者が入力した暗証番号を制御部１１１Ｄへ出力する。
制御部１１１Ｄは、入力部１０２からの暗証番号が入力すると、利用者に対し入力部１０２から金額を入力するよう促すメッセージを表示させるための表示データを表示部１０１に出力する。
表示部１０１は、制御部１１１Ｄからの表示データが入力すると、利用者に対し金額の入力を促すメッセージを文字または図により表示する。
このメッセージを見た利用者は、引出す現金の金額を入力部１０２より入力する。
入力部１０２は、利用者が入力した金額（取引金額）を制御部１１１Ｄへ出力する。
制御部１１１Ｄは、カードリーダ１０３からのカードデータが入力すると、金融機関記憶部１０７に記憶されている通信先コードを読込み、当該通信先コード、カードデータ、暗証番号、取引コード、取引金額を含む取引要求信号を通信制御部１０６Ｄへ出力する。
通信制御部１０６Ｄは、制御部１１１Ｄからの取引要求信号が入力すると、予め記憶している通信手順にしたがって管理装置２ｂとの通信回線の接続動作を行い、管理装置２ｂとの間の通信回線が接続すると、制御部１１１Ｄから入力した取引要求信号を当該通信回線を介して管理装置２ｂへ送信する。
管理装置２ｂの通信制御部２０１ｂは、自動取引装置１Ｄからの取引要求信号を受信すると、当該取引要求信号を制御部２０８ｂへ出力する。
制御部２０８ｂは、通信制御部２０１ｂからの取引要求信号が入力すると、当該取引要求信号に含まれる通信先コードがいずれの金融機関を示すものであるかを確認する。ここで、通信先コードは、金融機関Ｄを示すものであるため、当該取引要求信号を通信制御部２０５Ｄに出力する。
通信制御部２０５は、制御部２０８ｂからの取引要求信号が入力すると、予め記憶している通信手順にしたがって金融機関Ｄの処理装置５Ｄに対し金融機関Ｄの処理装置５Ｄへカードデータ、暗証番号、取引コード、取引金額を含む取引要求信号を送信する。このとき、通信履歴記憶部２０６ｂは、当該取引要求信号および通信先データを記憶する。
金融機関Ｄの処理装置５Ｄの第１の通信制御部５０１Ｄは、通信回線を介して管理装置２ｂからの取引要求信号を受信すると、当該取引要求信号を制御部５０５Ｄへ出力する。
制御部５０５Ｄは、第１の通信制御部５０１Ｄからの取引要求信号が入力すると、当該取引要求信号に含まれるカードデータの金融機関コードが予め記憶している金融機関Ｄの金融機関コードであるかを確認する。カードデータの金融機関コードは金融機関Ｆの金融機関コードであるため、制御部５０５Ｄは次に、当該カードデータ、取引コード、取引金額を含む取引要求信号を第２の通信制御部５０３Ｄへ出力する。
第２の通信制御部５０３Ｄは、制御部５０５Ｄからの取引要求信号が入力すると、当該取引要求信号に含まれるカードデータの金融機関コードをもとに、通信手順記憶部５０２Ｄに記憶している通信手順のうち、当該金融機関コードに対応する金融機関との通信手順、つまり、金融機関Ｆの処理装置５Ｆとの通信手順を読み込み、読み込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ取引要求信号を送信する。
金融機関Ｆの通信制御部５０３Ｆは、金融機関ネットワーク４を介して金融機関Ｄの処理装置５Ｄからの取引要求信号を受信すると、当該取引要求信号を制御部５０５Ｆへ出力する。
制御部５０５Ｆは、通信制御部５０３Ｆからの取引要求信号が入力すると、当該取引要求信号に含まれるカードデータの口座番号が口座データ記憶部５０４Ｆに記憶されているか否か、および、取引要求信号に含まれる暗証番号が当該口座番号に対応する暗証番号として口座データ記憶部５０４Ｆに記憶されているか否かを判断する。
当該カードデータの口座番号が口座データ記憶部５０４Ｆに記憶されており、かつ、取引要求信号に含まれる暗証番号が当該口座番号に対応する暗証番号として口座データ記憶部５０４Ｆに記憶されていた場合は、通信制御部５０３Ｆに当該取引を許可することを示す許可信号を出力するとともに、口座データ記憶部５０４Ｆへ、当該取引要求信号に含まれるカードデータ、取引コード、取引金額を含む取引データを出力する。
口座データ記憶部５０４Ｆは、制御部５０５Ｆからの取引データが入力すると、取引データに含まれるカードデータの口座番号の取引データとして当該取引データを記憶する。
通信制御部５０３Ｆは、制御部５０５Ｆからの許可信号が入力すると、当該許可信号を金融機関ネットワーク４を介して金融機関Ｄの処理装置５Ｄに送信する。金融機関Ｄの処理装置５Ｄの第２の送受信部５０３Ｄは、金融機関ネットワーク４を介して金融機関Ｆの処理装置５Ｆからの許可信号を受信すると、当該許可信号を制御部５０５Ｄへ出力する。
制御部５０５Ｄは、第２の通信制御部５０３Ｄからの許可信号が入力すると、当該許可信号を第１の通信制御部５０１Ｄへ出力する。
第１の通信制御部５０１Ｄは、制御部５０５Ｄからの許可信号が入力すると、当該許可信号を管理装置２ｂへ送信する。
管理装置２ｂの通信制御部２０５Ｄは、金融機関Ｄの処理装置５Ｄからの許可信号を受信すると、当該許可信号を制御部２０８ｂへ出力する。このとき、通信履歴記憶部２０６ｂは、受信した許可信号と通信先コードを記憶する。
制御部２０８ｂは、通信制御部２０５Ｄからの許可信号が入力すると、当該許可信号を通信制御部２０１ｂへ出力する。
通信制御部２０１ｂは、制御部２０８ｂから入力した許可信号を自動取引装置１Ｄへ通信回線を介して送信する。
自動取引装置１Ｄの通信制御部１０６Ｄは、管理装置２ｂからの許可信号を受信すると、当該許可信号を制御部１１１Ｄへ出力するとともに、管理装置２ｂとの間の通信回線を切断する。
制御部１１１Ｄは、通信制御部１０６Ｄからの許可信号が入力すると、通信制御部１０６Ｄへ取引確認信号を出力し、紙幣支払い機構１０５へ取引金額に応じた金額データを出力しカードリーダからカードを排出させるとともに、入出金口から現金を取り出すよう指示するメッセージを表示させるための表示データを表示部１０１へ出力する。
紙幣支払い機構１０５は、制御部１１１Ｄからの金額データが入力すると、当該金額データに応じた現金を保管箱から取り出し、入出金口へ排出する。
表示部１０１は、制御部１１１Ｄからの表示データが入力すると、当該表示データに応じて入出金口から現金を取り出すよう指示するメッセージを文字や図により表示し利用者へ報知する。
利用者は、表示部１０１に表示された内容を確認し、入出金口へ排出された現金およびカードリーダより排出されたカードを取り出す。
制御部１１１Ｄは、利用者が現金およびカードを取出すと、通信制御部１０６Ｄへ自動取引装置毎に予め付与されている識別情報、カードデータ、取引コード、取引金額を含む取引データを出力する。
通信制御部１０６Ｄは、制御部１１１Ｄからの取引データが入力すると、管理装置２ｂとの通信回線の接続動作を行い、管理装置２ｂとの通信回線が接続されると、当該取引データを管理装置２ｂへ送信し、管理装置２ｂとの通信回線を切断する。
管理装置２ｂの通信制御部２０１ｂは、自動取引装置１Ｄからの取引データを受信すると、当該取引データを制御部２０８ｂへ出力する。
制御部２０８ｂは、通信制御部２０１ｂからの取引データが入力すると、当該取引データを取引データ記憶部２０２を構成する第１の取引データ記憶部に出力する。
第１の取引データ記憶部は、制御部２０８ｂからの取引データが入力すると、当該取引データを記憶する。
なお、金融機関Ｆの制御部５０５Ｆは、通信制御部５０３Ｆから取引要求信号が入力したときに、当該取引要求信号に含まれるカードデータの口座番号が口座データ記憶部５０４Ｆに記憶されていない、または、取引要求信号に含まれる暗証番号が当該口座番号に対応する暗証番号として口座データ記憶部５０４Ｆに記憶されていなかった場合は、通信制御部５０３Ｆに当該取引を許可しないことを示す不許可信号を出力する。
通信制御部５０３Ｆは、制御部５０５Ｆからの不許可信号が入力すると、当該不許可信号を金融機関ネットワーク４を介して金融機関Ｄの処理装置５Ｄに送信する。
金融機関Ｄの第２の通信制御部５０３Ｄは、金融機関ネットワーク４を介して金融機関Ｄの処理装置５Ｄからの不許可信号を受信すると、当該不許可信号を制御部５０５Ｄへ出力する。
制御部５０５Ｄは、第２の通信制御部５０３Ｄからの不許可信号が入力すると、当該不許可信号を第１の通信制御部５０１Ｄへ出力する。
第１の通信制御部５０１Ｄは、制御部５０５Ｄからの不許可信号が入力すると、当該不許可信号を管理装置２ｂに送信する。
管理装置２ｂの通信制御部２０５Ｄは、金融機関Ｄの処理装置５Ｄからの不許可信号を受信すると、当該不許可信号を制御部２０８ｂへ出力する。このとき、通信履歴記憶部２０６ｂは、受信した不許可信号と通信先コードを記憶する。
制御部２０８ｂは、通信制御部２０５Ｄからの不許可信号が入力すると、当該不許可信号を通信制御部２０１ｂへ出力する。
通信制御部２０１ｂは、制御部２０８ｂから入力した不許可信号を自動取引装置１Ｄへ通信回線を介して送信する。
自動取引装置１Ｄの通信制御部１０６Ｄは、管理装置２ｂからの不許可信号を受信すると、当該不許可信号を制御部１１１Ｄへ出力する。
制御部１１１Ｄは、通信制御部１０６Ｄからの不許可信号が入力すると、取引きができないことを表示させるための表示データを表示部１０１へ出力する。
表示部１０１は、制御部１１１Ｄからの表示データが入力すると、当該表示データに応じて取引ができないことを文字や図により表示し利用者へ報知する。
また、自動取引装置１Ｄの 制御部１１１Ｄは、通信制御部１０６Ｄからの許可信号が入力し、紙幣支払い機構１０５へ金額データを出力し、カードリーダよりカードを排出させたにもかかわらず、自動取引装置１Ｄ内部で現金やカードが詰まったなどの理由により取引が確実に行われないことがある。この場合、制御部１１１Ｄは、当該取引を取り消すことを示す取消指示、通信先コード、カードデータ、取引コード、取引金額を含む取消信号を出力する。
通信制御部１０６Ｄは、制御部１１１Ｄからの取消信号が入力すると、予め記憶している通信手順にしたがって管理装置２ｂとの通信回線の接続動作を行い、管理装置２ｂとの間の通信回線が接続すると、制御部１１１Ｄから入力した取消信号を当該通信回線を介して管理装置２ｂへ送信した後、通信回線を切断する。
管理装置２ｂの通信制御部２０１ｂは、自動取引装置１Ｄからの取消信号を受信すると、当該取消信号を制御部２０８ｂへ出力する。
制御部２０８ｂは、通信制御部２０１ｂからの取消信号が入力すると、当該取消信号に含まれる通信先コードがいずれの金融機関を示すものであるかを確認する。ここで、通信先コードは、金融機関Ｄの金融機関コードであるため、当該取消信号を通信制御部２０５Ｄに出力する。
通信制御部２０５Ｄは、制御部２０８ａからの取消信号が入力すると、予め記憶している通信手順にしたがって金融機関Ｄの処理装置５Ｄへ取消指示、カードデータ、取引コード、取引金額を含む取消信号を送信する。このとき、通信履歴記憶部２０６ｂは、当該取消信号を記憶する。
金融機関Ｄの第１の通信制御部５０１Ｄは、通信回線を介して管理装置２ｂからの取消信号を受信すると、当該取消信号を制御部５０５Ｄへ出力する。
制御部５０５Ｄは、第１の通信制御部５０１Ｄからの取消信号が入力すると、当該取消信号に含まれるカードデータの金融機関コードがいずれの金融機関のものであるかを確認する。カードデータの金融機関コードは金融機関Ｆの金融機関コードであるため、制御部５０５Ｄは、取消指示、カードデータ、取引コード、取引金額を含む取消信号を第２の通信制御部５０３Ｄへ出力する。
第２の通信制御部５０３Ｄは、制御部５０５Ｄからの取消信号が入力すると、当該取消信号に含まれるカードデータの金融機関コードをもとに、通信手順記憶部５０２Ｄに記憶している通信手順のうち、当該金融機関コードに対応する金融機関との通信手順、つまり、金融機関Ｆとの通信手順を読み込み、読み込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ取消信号を送信する。
金融機関Ｆの通信制御部５０３Ｆは、金融機関ネットワーク４を介して金融機関Ｄの処理装置５Ｄからの取消信号を受信すると、当該取消信号を制御部５０５Ｆへ出力する。
制御部５０５Ｆは、通信制御部５０３Ｆからの取消信号が入力すると、当該取消信号に含まれるカードデータの口座番号が口座データ記憶部５０４Ｆに記憶されているか否かを判断する。
当該カードデータの口座番号が口座データ記憶部５０４Ｆに記憶されていた場合は、口座データ記憶部５０４Ｆへ、カードデータ、取引コード、取引金額を含む取消データを出力する。
口座データ記憶部５０４Ｆは、制御部５０５Ｆからの取消データが入力すると、当該取消データに含まれるカードデータの口座番号として記憶している取引データのうち、当該取消データと一致する最新の取引データを消去する。
この場合、自動取引装置１Ｄの制御部１１１Ｄは、さらに、自動取引装置毎に予め付与されている識別情報、カードデータ、取引コード、取引金額、現金やカードが詰まりなどの理由で取引が行われなかったことを示すコードを含む取引データを通信制御部１０６Ｄへ出力する。
通信制御部１０６Ｄは、制御部１１１Ｄからの取引データが入力すると、管理装置２ｂとの通信回線の接続動作を行い、管理装置２ｂとの通信回線が接続されると、当該取引データを管理装置２ｂへ送信し、管理装置２ｂとの通信回線を切断する。
管理装置２ｂの通信制御部２０１ｂは、自動取引装置１Ｄからの取引データを受信すると、当該取引データを制御部２０８ｂへ出力する。
制御部２０８ｂは、通信制御部２０１ｂからの取引データが入力すると、当該取引データを取引データ記憶部２０２を構成する第１の取引データ記憶部に出力する。
第１の取引データ記憶部は、制御部２０８ｂからの取引データが入力すると、当該取引データを記憶する。
２．指定された口座への現金の振込み
金融機関Ｄの口座への現金の振込
利用者が自動取引装置１Ｄを利用して金融機関Ｄの口座へ現金を振り込む場合、まず利用者は、入力部１０２より表示部１０１に表示された取引メニューのうち「現金の振込」を選択する。すると入力部１０２は、「現金の振込」が選択されたことを示す選択信号を制御部１１１Ｄに出力する。
【００４７】
制御部１１１Ｄは、入力部１０２からの選択信号が入力すると、利用者に対し入力部１０２より振込先の金融機関および口座番号を入力するよう促すメッセージを表示させるための表示データを表示部１０１に出力する。
【００４８】
表示部１０１は、制御部１１１Ｄからの表示データが入力すると、利用者に対し振込先の選択を促すメッセージを文字または図により表示する。
【００４９】
このメッセージを見た利用者は、入力部１０２より振込先の金融機関と口座番号を入力する。
【００５０】
入力部１０２は、利用者が選択した金融機関Ｄの金融機関コードとともに口座番号を制御部１１１Ｄに出力する。
【００５１】
制御部１１１Ｄは、入力部１０２からの金融機関コードおよび口座番号が入力すると、金融機関記憶部１０７に記憶されている通信先コードを読込み、当該通信先コード、入力部１０２からの金融機関コード、入力部１０２にて利用者が選択した取引の内容（この場合、「現金の振込」）を示す取引コード、口座番号を含む確認要求信号を通信制御部１０６Ｄへ出力する。
【００５２】
通信制御部１０６Ｄは、制御部１１１Ｄからの確認要求信号が入力すると、予め記憶している通信手順にしたがって管理装置２ｂとの通信回線の接続動作を行い、管理装置２ｂとの間の通信回線が接続すると、制御部１１１Ｄから入力した確認要求信号を当該通信回線を介して管理装置２ｂへ送信する。
【００５３】
管理装置２ｂの通信制御部２０１ｂは、自動取引装置１Ｄからの確認要求信号を受信すると、当該確認要求信号を制御部２０８ｂへ出力する。
制御部２０８ｂは、通信制御部２０１ｂからの確認要求信号が入力すると、当該確認要求信号に含まれる通信先コードがどの金融機関を示すものであるかを判別する。ここで、通信先コードは金融機関Ｄを示すものであるため、制御部２０８ｂは、当該確認要求信号を通信制御部２０５Ｄに出力する。
通信制御部２０５Ｄは、制御部２０８ｂからの確認要求信号が入力すると、予め記憶している通信手順にしたがって金融機関Ｄの処理装置５Ｄへ金融機関コード、取引コード、口座番号を含む確認要求信号を送信する。このとき、通信履歴記憶部２０６ｂは、当該確認要求信号および通信先コードを記憶する。
【００５４】
金融機関Ｄの処理装置５Ｄの第１の通信制御部５０１Ｄは、通信回線を介して管理装置２ｂからの確認要求信号を受信すると、当該確認要求信号を制御部５０５Ｄへ出力する。
【００５５】
制御部５０５Ｄは、第１の通信制御部５０１Ｄからの確認要求信号が入力すると、当該確認要求信号に含まれる金融機関コードが予め記憶している金融機関Ｄの金融機関コードであるか否かを判別する。金融機関コードは金融機関Ｄの金融機関コードであるため、次に、当該確認要求信号に含まれる口座番号が口座データ記憶部５０４Ｄに記憶されているか否かを判断する。
【００５６】
当該確認要求信号に含まれる口座番号が口座データ５０４Ｄに記憶されていた場合は、第１の通信制御部５０１Ｄに、当該口座番号が口座データ５０４Ｄに記憶されていることを示し、当該口座番号と当該口座番号の口座名を付与した確認信号を出力する。
【００５７】
なお、制御部５０５Ｄは、当該確認要求信号に含まれる口座番号が口座データ５０４Ｄに記憶されていない場合は、第１の通信制御部５０１Ｄに当該口座番号が口座データ５０４Ｄに記憶されていないことを示す確認不可信号を出力する。
【００５８】
制御部５０５Ｄからの確認信号が入力した第１の通信制御部５０１Ｄは、当該確認信号を管理装置２ｂに送信する。
【００５９】
管理装置２ｂの通信制御部２０５Ｄは、金融機関Ｄの処理装置５Ｄからの確認信号を受信すると、当該確認信号を制御部２０８ｂへ出力する。
【００６０】
制御部２０８ｂは、通信制御部２０５Ｄからの確認信号が入力すると、当該確認信号を通信制御部２０１ｂへ出力する。
【００６１】
通信制御部２０１ｂは、制御部２０８ｂから入力した確認信号を自動取引装置１Ｄへ通信回線を介して送信する。
【００６２】
自動取引装置１Ｄの通信制御部１０６Ｄは、管理装置２ｂからの確認信号を受信すると、制御部１１１Ｄに当該確認信号を出力する。
【００６３】
制御部１１１Ｄは、通信制御部１０６Ｄからの確認信号が入力すると、当該確認信号に付与された当該口座番号および当該口座番号の口座名、この口座に振込むか否かを問うメッセージを表示させるための表示データを表示部１０１に出力する。
【００６４】
制御部１１１Ｄから表示データを入力した表示部１０１は、利用者に対しこの口座に振込を行うか行わないかの選択を促すメッセージを表示する。
【００６５】
このメッセージを見た利用者は、入力部１０２より当該口座に振込を行うもしくは行わないのいずれかを選択する。
【００６６】
入力部１０２より振込を行わないという選択を入力した制御部１１１Ｄは、  振込を中止する旨を報知するメッセージを表示するための表示データを表示部１０１へ出力する。
【００６７】
制御部１１１Ｄからの表示データが入力した表示部１０１は、振込を中止する旨を報知するメッセージを表示し、利用者に振込を中止したことを報知する。
【００６８】
入力部１０２より振込を行うという選択を入力した制御部１１１Ｄは、表示部１０１に取引金額の選択を促すメッセージを表示させるための表示データを出力する。
【００６９】
制御部１１１Ｄから表示データを入力した表示部１０１は、利用者に対し取引金額の選択を促すメッセージを表示する。
【００７０】
このメッセージを見た利用者は、入力部１０２より取引金額を入力する。
【００７１】
入力部１０２より取引金額を入力した制御部１１１ａは、紙幣預入れ機構１０４の入出金口に現金を投入するよう促すメッセージを表示させるための表示データを表示部１０１に出力する。
【００７２】
表示データを入力した表示部１０１は、紙幣預入れ機構１０４の入出金口に現金を投入するよう促すメッセージを表示する。
【００７３】
このメッセージを見た利用者は、紙幣預入れ機構１０４の入出金口に現金を投入する。
【００７４】
紙幣預入れ機構１０４は、入出金口へ投入された現金の金額を計算し、計算した金額を金額データとして制御部１１１Ｄへ出力するとともに、投入された現金を保管箱へ保管する。
【００７５】
制御部１１１Ｄは、紙幣預入れ機構１０４からの金額データが入力すると、通信先コード、金融機関コード、入力部１０２にて利用者が選択した取引の内容（この場合、「現金の振込」）を示す取引コード、口座番号、取引金額を含む取引要求信号を通信制御部１０６Ｄへ出力する。
【００７６】
通信制御部１０６Ｄは、制御部１１１Ｄからの取引要求信号が入力すると、制御部１１１Ｄから入力した取引要求信号を通信回線を介して管理装置２ｂへ送信する。
管理装置２ｂの通信制御部２０１ｂは、自動取引装置１Ｄからの取引要求信号を受信すると、当該取引要求信号を制御部２０８ｂへ出力する。
【００７７】
制御部２０８ｂは、通信制御部２０１からの取引要求信号が入力すると、当該取引要求信号に含まれる通信先コードがどの金融機関を示すものであるかを判別する。ここで、通信先コードは金融機関Ｄを示すものであるため、制御部５０５Ｄは、当該取引要求信号を通信制御部２０５Ｄに出力する。
【００７８】
通信制御部２０５Ｄは、通信回線を介して金融機関Ｄの処理装置５Ｄへ金融機関コード、取引コード、口座番号、取引金額を含む取引要求信号を送信する。このとき、通信履歴記憶部２０６ｂは、当該取引要求信号および通信先コードを記憶する。
【００７９】
金融機関Ｄの処理装置５Ｄの第１の通信制御部５０１Ｄは、通信回線を介して管理装置２ｂからの取引要求信号を受信すると、当該取引要求信号を制御部５０５Ｄへ出力する。
【００８０】
制御部５０５Ｄは、第１の通信制御部５０１Ｄからの取引要求信号が入力すると、当該取引要求信号に含まれる口座番号が口座データ記憶部５０４Ｄに記憶されているか否かを判断する。当該取引要求信号に含まれる口座番号が口座データ記憶部５０４Ｄに記憶されている場合、当該取引要求信号に含まれる口座番号、取引コード、取引金額を含む取引データを口座データ記憶部５０４Ｄに出力するとともに、第１の通信制御部５０１Ｄに当該取引を許可することを示す許可信号を出力する。
【００８１】
口座データ記憶部５０４Ｄは、制御部５０５Ｄからの取引データが入力すると、取引データに含まれる口座番号の取引データとして当該取引データを記憶する。
【００８２】
制御部５０５Ｄから許可信号を入力した第１の通信制御部５０１Ｄは、当該許可信号を管理装置２ｂに送信する。
【００８３】
管理装置２ｂの通信制御部２０５Ｄは、金融機関Ｄの処理装置５Ｄからの許可信号を受信すると、当該確認信号を制御部２０８ｂへ出力する。このとき、通信履歴記憶部２０６ｂは、受信した許可信号と通信先コードを記憶する。
【００８４】
制御部２０８ｂは、通信制御部２０５Ｄからの許可信号が入力すると、当該許可信号を通信制御部２０１ｂへ出力する。
【００８５】
通信制御部２０１ｂは、制御部２０８ｂから入力した許可信号を自動取引装置１Ｄへ通信回線を介して送信する。
【００８６】
自動取引装置１Ｄの通信制御部１０６Ｄは、管理装置２ｂからの許可信号を受信すると、制御部１１１Ｄに当該許可信号を出力するとともに、管理装置２ｂとの間の通信回線を切断する。
【００８７】
制御部１１１Ｄは、通信制御部１０６Ｄからの許可信号が入力すると、自動取引装置毎に予め付与されている識別情報、取引先コード、口座番号、取引コード、取引金額を含む取引データを通信制御部１０６Ｄへ出力する。また、制御部１１１Ｄは表示部１０１に取引が行われたことと差額を受け取るように利用者に報せる表示データを出力するとともに、紙幣支払い機構１０５に入出金口に投入された金額と取引金額の差額を排出する金額データを出力する。
【００８８】
制御部１１１Ｄから金額データを入力した紙幣支払い機構１０５は、当該金額データに応じた現金を保管箱から取り出し、入出金口へ排出する。
【００８９】
制御部１１１Ｄから表示データを入力した表示部１０１は、取引が行われたことと差額を受け取るように利用者に報せるメッセージを表示する。
【００９０】
このメッセージを見た利用者は、紙幣支払い機構１０５の入出金口に排出された現金を受け取り、取引を終了する。
【００９１】
通信制御部１０６Ｄは、制御部１１１Ｄからの取引データが入力すると、管理装置２ｂとの通信回線の接続動作を行い、管理装置２ｂとの通信回線が接続されると、当該取引データを管理装置２ｂへ送信し、管理装置２ｂとの通信回線を切断する。
【００９２】
管理装置２ｂの通信制御部２０１ｂは、自動取引装置１Ｄからの取引データを受信すると、当該取引データを制御部２０８ｂへ出力する。
【００９３】
制御部２０８ｂは、通信制御部２０１ｂからの取引データが入力すると、当該取引データを取引データ記憶部２０２を構成する第１の取引データ記憶部に出力する。
【００９４】
第１の取引データ記憶部は、制御部２０８ｂからの取引データが入力すると、当該取引データを記憶する。
【００９５】
なお、金融機関Ｄの処理装置５Ｄの制御部５０５Ｄは、取引要求信号に含まれる口座番号が口座データ記憶部５０４Ｄに記憶されていなかった場合、第１の通信制御部５０５Ｄへ確認不可信号を出力する。第１の通信制御装置５０５Ｄは、制御部５０５Ｄからの確認不可信号が入力すると、当該確認不可信号を管理装置２ｂに送信する。
【００９６】
管理装置２ｂの通信制御部２０５Ｄは、金融機関Ｄの処理装置５Ｄからの確認不可信号を受信すると、当該確認不可信号を制御部２０８ｂへ出力する。
【００９７】
制御部２０８ｂは、通信制御部２０５Ｄからの確認不可信号が入力すると、当該確認不可信号を通信制御部２０１ｂへ出力する。
【００９８】
通信制御部２０１ｂは、制御部２０８ｂから入力した確認不可信号を自動取引装置１Ｄへ通信回線を介して送信する。
【００９９】
自動取引装置１Ｄの通信制御部１０６Ｄは、管理装置２ｂからの確認不可信号を受信すると、制御部１１１Ｄに当該確認不可信号を出力する。
【０１００】
制御部１１１Ｄは、通信制御部１０６Ｄからの確認不可信号が入力すると、振込先の口座が口座データ記憶部５０４Ｄに記憶されていないために取引が不可能である旨のメッセージを表示させるための表示データを表示部１０１に出力する。
【０１０１】
制御部１１１Ｄより前記表示データを入力した表示部１０１は、振込先の口座が口座データ記憶部５０４Ｄに記憶されていないために取引が不可能である旨のメッセージを表示する。
（２）金融機関Ｆの口座への現金の振込
利用者が自動取引装置１Ｄを利用して金融機関Ｆの口座へ現金を振り込む場合、まず利用者は、入力部１０２より表示部１０１に表示された取引メニューのうち「現金の振込」を選択する。すると入力部１０２は、「現金の振込」が選択されたことを示す選択信号を制御部１１１Ｄに出力する。
【０１０２】
制御部１１１Ｄは、入力部１０２からの選択信号が入力すると、利用者に対し入力部１０２より振込先の金融機関および口座番号を入力するよう促すメッセージを表示させるための表示データを表示部１０１に出力する。
【０１０３】
表示部１０１は、制御部１１１Ｄからの表示データが入力すると、利用者に対し振込先の選択を促すメッセージを文字または図により表示する。
【０１０４】
このメッセージを見た利用者は、入力部１０２より振込先の金融機関と口座番号を入力する。
【０１０５】
入力部１０２は、利用者が選択した金融機関Ｆの金融機関コードとともに利用者が入力した口座番号を制御部１１１Ｄに出力する。
【０１０６】
制御部１１１Ｄは、入力部１０２からの金融機関コードおよび口座番号が入力すると、金融機関記憶部１０７に記憶されている通信先コードを読込み、当該通信先コード、入力部１０２からの金融機関コード、入力部１０２にて利用者が選択した取引の内容（この場合、「現金の振込」）を示す取引コード、口座番号を含む確認要求信号を通信制御部１０６Ｄに出力する。
【０１０７】
通信制御部１０６Ｄは、制御部１１１Ｄからの確認要求信号が入力すると、予め記憶している通信手順にしたがって管理装置２ｂとの通信回線の接続動作を行い、管理装置２ｂとの間の通信回線が接続すると、制御部１１１Ｄから入力した確認要求信号を当該通信回線を介して管理装置２ｂへ送信する。
【０１０８】
管理装置２ｂの通信制御部２０１ｂは、自動取引装置１Ｄからの確認要求信号を受信すると、当該取引要求信号を制御部２０８ｂへ出力する。
【０１０９】
制御部２０８ｂは、通信制御部２０１ｂからの確認要求信号が入力すると、当該確認要求信号に含まれる通信先コードがどの金融機関を示すものであるかを判別する。ここで、通信先コードは、金融機関Ｄを示すものであるため、制御部２０８ｂは、当該確認要求信号を通信制御部２０５Ｄに出力する。
【０１１０】
通信制御部２０５Ｄは、制御部２０８ｂからの確認要求信号が入力すると、通信回線を介して金融機関Ｄの処理装置５Ｄへ金融機関コード、取引コード、口座番号を含む確認要求信号を送信する。このとき、通信履歴記憶部２０６ｂは、当該確認要求信号および通信先コードを記憶する。
【０１１１】
金融機関Ｄの処理装置５Ｄの第１の通信制御部５０１Ｄは、通信回線を介して管理装置２ｂからの確認要求信号を受信すると、当該確認要求信号を制御部５０５Ｄへ出力する。
【０１１２】
制御部５０５Ｄは、第１の通信制御部５０１Ｄからの確認要求信号が入力すると、当該確認要求信号に含まれる金融機関コードが予め記憶している金融機関Ｄの金融機関コードであるか否かを判別する。取引先コードは金融機関Ｆの金融機関コードであるため、制御部５０５Ｄは次に、当該金融機関コード、口座番号、取引コードを含む確認要求信号を第２の通信制御部５０３Ｄへ出力する。
【０１１３】
第２の通信制御部５０３Ｄは、制御部５０５Ｄからの確認要求信号が入力すると、当該確認要求信号に含まれる金融機関コードをもとに、通信手順記憶部５０２Ｄに記憶している通信手順のうち、当該金融機関コードに対応する金融機関の処理装置との通信手順、つまり金融機関Ｆの処理装置５ＦＣとの通信手順を読込み、読込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ確認要求信号を送信する。
【０１１４】
金融機関Ｆの処理装置５Ｆの通信制御部５０３Ｆは、金融ネットワーク４を介して金融機関Ｄの処理装置５Ｄからの確認取引要求信号を受信すると、当該確認要求信号を５０５Ｆへ出力する。
【０１１５】
制御部５０５Ｆは、通信制御部５０３Ｆからの確認要求信号が入力すると、当該確認要求信号に含まれる口座番号が口座データ記憶部５０４Ｆに記憶されているか否かを判断する。
【０１１６】
当該確認要求信号に含まれる口座番号が口座データ記憶部５０４Ｆに記憶されていた場合は、通信制御部５０３Ｆに、当該口座番号が口座データ記憶部５０４Ｆに記憶されていることを示し、当該口座番号と当該口座番号の口座名を付与した確認信号を出力する。
【０１１７】
当該確認要求信号に含まれる口座番号が口座データ記憶部５０４Ｆに記憶されていない場合は、通信制御部５０３Ｆに当該口座番号が口座データ記憶部５０４Ｆに記憶されていないことを示す確認不可信号を出力する。
【０１１８】
確認信号が入力した通信制御部５０３Ｆは、金融ネットワーク４を介して金融機関Ｄの処理装置５Ｄの第２の通信制御部５０３Ｄに、当該確認信号を送信する。
【０１１９】
確認信号を受信した通信制御部５０３Ｄは、制御部５０５Ｄに当該確認信号を出力する。
【０１２０】
確認信号が入力した制御部５０５Ｄは、第１の通信制御部５０１Ｄに当該確認信号を出力する。
【０１２１】
制御部５０５Ｄから確認信号が入力した第１の通信制御部５０１Ｄは、当該確認信号を管理装置２ｂに送信する。
【０１２２】
管理装置２ｂの通信制御部２０５Ｄは、金融機関Ｄの処理装置５Ｄからの確認信号を受信すると、当該確認信号を制御部２０８ｂへ出力する。
【０１２３】
制御部２０８ｂは、通信制御部２０５Ｄからの確認信号が入力すると、当該確認信号を通信制御部２０１ｂへ出力する。
【０１２４】
通信制御部２０１ｂは、制御部２０８ｂから入力した確認信号を自動取引装置１Ｄへ通信回線を介して送信する。
【０１２５】
自動取引装置１Ｄの通信制御部１０６Ｄは、管理装置２ｂからの確認信号を受信すると、制御部１１１Ｄに当該確認信号を出力する。
【０１２６】
制御部１１１Ｄは、通信制御部１０６Ｄからの確認信号が入力すると、当該確認信号に付与された当該口座番号および当該口座番号の口座名、この口座に振込むか否かを問うメッセージを表示させるための表示データを表示部１０１に出力する。
【０１２７】
制御部１１１Ｄから表示データを入力した表示部１０１は、利用者に対しこの口座に振込を行うか行わないかの選択を促すメッセージを表示する。
【０１２８】
このメッセージを見た利用者は、入力部１０２より当該口座に振込を行うもしくは行わないのいずれかを選択する。
【０１２９】
入力部１０２より振込を行わないという選択を入力した制御部１１１Ｄは、  振込み処理を終了するとともに、振込を中止する旨を報せるメッセージを表示するための表示データを表示部１０１へ出力する。
【０１３０】
制御部１１１Ｄからの表示データが入力した表示部１０１は、振込を中止する旨を知らせるメッセージを表示し、利用者に振込を中止したことを報知する。
【０１３１】
入力部１０２より振込を行うという選択を入力した制御部１１１Ｄは、表示部１０１に取引金額の選択を促すメッセージを表示させるための表示データを出力する。
【０１３２】
制御部１１１Ｄから表示データを入力した表示部１０１は、利用者に対し取引金額の選択を促すメッセージを表示する。
【０１３３】
このメッセージを見た利用者は、入力部１０２より取引金額を入力する。
【０１３４】
入力部１０２より取引金額を入力した制御部１１１Ｄは、紙幣預入れ機構１０４の入出金口に現金を投入するよう促すメッセージを表示させるための表示データを表示部１０１に出力する。
【０１３５】
表示データを入力した表示部１０１は、紙幣預入れ機構１０４の入出金口に現金を投入するよう促すメッセージを表示する。
【０１３６】
このメッセージを見た利用者は、紙幣預入れ機構１０４の入出金口に現金を投入する。
【０１３７】
紙幣預入れ機構１０４は、入出金口へ投入された現金の金額を計算し、計算した金額を金額データとして制御部１１１Ｄへ出力するとともに、投入された現金を保管箱へ保管する。
【０１３８】
制御部１１１Ｄは、紙幣預入れ機構１０４からの金額データが入力すると、通信先コード、金融機関コード、入力部１０２にて利用者が選択した取引の内容（この場合、「現金の振込」）を示す取引コード、口座番号、取引金額を含む取引要求信号を通信制御部１０６Ｄへ出力する。
【０１３９】
通信制御部１０６Ｄは、制御部１１１Ｄからの取引要求信号が入力すると、当該取引要求信号を通信回線を介して管理装置２ｂへ送信する。
管理装置２ｂの通信制御部２０１ｂは、自動取引装置１Ｄからの取引要求信号を受信すると、当該取引要求信号を制御部２０８ｂへ出力する。
【０１４０】
制御部２０８ｂは、通信制御部２０１ｂからの取引要求信号が入力すると、当該取引要求信号に含まれる通信先コードがどの金融機関を示すものであるかを判別する。ここで、通信先コードは金融機関Ｄを示すものであるため、制御部２０８ｂは、当該取引要求信号を通信制御部２０５Ｄに出力する。
【０１４１】
通信制御部２０５Ｄは、通信回線を介して金融機関Ｄの処理装置５Ｄへ金融機関コード、取引コード、口座番号、取引金額を含む取引要求信号を送信する。このとき、通信履歴記憶部２０６ｂは、当該取引要求信号および通信先コードを記憶する。
【０１４２】
金融機関Ｄの処理装置５Ｄの第１の通信制御部５０１Ｄは、通信回線を介して管理装置２ｂからの取引要求信号を受信すると、当該取引要求信号を制御部５０５Ｄへ出力する。
【０１４３】
制御部５０５Ｄは、第１の通信制御部５０１Ｄからの取引要求信号が入力すると、当該取引要求信号に含まれる金融機関コードが予め記憶している金融機関コードであるかを確認する。取引先コードは金融機関Ｆの金融機関コードであるため、制御部５０５Ｄは、当該金融機関コード、口座番号、取引コード、取引金額を含む取引要求信号を第２の通信制御部５０３Ｄへ出力する。
【０１４４】
第２の通信制御部５０３Ｄは、制御部５０５Ｄからの取引要求信号が入力すると金融ネットワーク４を介して金融機関Ｆの処理装置５Ｆへ取引要求信号を送信する。
【０１４５】
金融機関Ｆの処理装置５Ｆの通信制御部５０３Ｆは、金融ネットワーク４を介して金融機関Ｄの処理装置５Ｄから取引要求信号を受信すると、当該取引要求信号を制御部５０５Ｆへ出力する。
制御部５０５Ｆは通信制御部５０３Ｆからの取引要求信号が入力すると、当該取引要求信号に含まれる口座番号が口座データ記憶部５０４Ｆに記憶されているか否かを判断する。この結果、当該取引要求信号に含まれる口座番号が口座データ記憶部５０４Ｆに記憶されていない場合は、取引きを認めない不許可信号を通信制御部５０３Ｆに出力する。
なお、取引要求信号に含まれている口座番号が口座データ記憶部５０４Ｆに記憶されていた場合は、通信制御部５０３Ｆに当該取引を許可することを示す許可信号を出力するとともに、当該取引要求信号に含まれる口座番号、取引コード、取引金額を含む取引データを口座データ記憶部５０４Ｆへ出力する。
【０１４６】
口座データ５０４Ｆは、制御部５０５Ｆからの取引データが入力すると、取引データに含まれる口座番号に対応する取引データとして該取引データを記憶する。
【０１４７】
通信制御部５０３Ｆは、制御部５０５Ｆからの許可信号が入力すると、当該許可信号を金融機関ネットワーク４を介して金融機関Ａの処理装置５Ａに送信する。
【０１４８】
金融機関Ｄの処理装置５Ｄの第２の送受信部５０３Ｄは、金融機関ネットワーク４を介して金融機関Ｆの処理装置５Ｆからの許可信号を受信すると、当該許可信号を制御部５０５Ｄへ出力するとともに、金融機関Ｆの処理装置５Ｆとの間の通信回線を切断する。
【０１４９】
制御部５０５Ｄは、第２の通信制御部５０３Ｄからの許可信号が入力すると、当該許可信号を第１の通信制御部５０１Ｄへ出力する。
【０１５０】
制御部５０５Ｄから許可信号を入力した第１の通信制御部５０１Ｄは、当該許可信号を管理装置２ｂに送信する。
【０１５１】
管理装置２ｂの通信制御部２０５Ｄは、金融機関Ｄの処理装置５Ｄからの許可信号を受信すると、当該許可信号を制御部２０８ｂへ出力する。このとき、通信履歴記憶部２０６ｂは、受信した許可信号と通信先コードを記憶する。
【０１５２】
制御部２０８ｂは、通信制御部２０５Ｄからの許可信号が入力すると、当該許可信号を通信制御部２０１ｂへ出力する。
【０１５３】
通信制御部２０１ｂは、制御部２０８ｂから入力した許可信号を自動取引装置１Ｄへ通信回線を介して送信する。
【０１５４】
自動取引装置１Ｄの通信制御部１０６Ｄは、管理装置２ｂからの許可信号を受信すると、制御部１１１Ｄに当該許可信号を出力するとともに、管理装置２ｂとの間の通信回線を切断する。
【０１５５】
制御部１１１Ｄは、通信制御部１０６Ｄからの許可信号が入力すると、自動取引装置毎に予め付与されている識別情報、取引先コード、口座番号、取引コード、取引金額を含む取引データを出力する。また、制御部１１１Ｄは表示部１０１に取引が行われたことと差額を受け取るように利用者に報せる表示データを出力するとともに、紙幣支払い機構１０５に入出金口に投入された金額と取引金額の差額を排出する金額データを出力する。
【０１５６】
制御部１１１Ｄから金額データを入力した紙幣支払い機構１０５は、当該金額データに応じた現金を保管箱から取り出し、入出金口へ排出する。
【０１５７】
制御部１１１Ｄから表示データを入力した表示部１０１は、取引が行われたことと差額を受け取るように利用者に報せるメッセージを表示する。
【０１５８】
このメッセージを見た利用者は、紙幣支払い機構１０５の入出金口に排出された現金を受け取り、取引を終了する。
【０１５９】
通信制御部１０６Ｄは、制御部１１１Ｄからの取引データが入力すると、管理装置２ｂとの通信回線の接続動作を行い、管理装置２ｂとの通信回線が接続されると、当該取引データを管理装置２ｂへ送信し、管理装置２ｂとの通信回線を切断する。
【０１６０】
管理装置２ｂの通信制御部２０１ｂは、自動取引装置１Ｄからの取引データを受信すると、当該取引データを制御部２０８ｂへ出力する。
【０１６１】
制御部２０８ｂは、通信制御部２０１ｂからの取引データが入力すると、当該取引データを取引データ記憶部２０２を構成する第１の取引データ記憶部に出力する。
【０１６２】
第１の取引データ記憶部は、制御部２０８ｂからの取引データが入力すると、当該取引データを記憶する。
【０１６３】
なお、金融機関Ｆの処理装置５Ｆの制御部５０５Ｆは、取引要求信号に含まれる口座番号が口座データ記憶部５０４Ｆに記憶されていなかった場合、通信制御部５０３Ｆへ確認不可信号を出力する。制御部５０５Ｆからの確認不可信号が入力した通信制御部５０３Ｆは、金融ネットワーク４を介して金融機関Ｄの処理装置５Ｄの第２の通信制御部５０３Ｄに、当該確認不可信号を送信する。
【０１６４】
確認不可信号を受信した通信制御部５０３Ｄは、制御部５０５Ｄに当該確認不可信号を出力する。
【０１６５】
確認不可信号が入力した制御部５０５Ｄは、第１の通信制御部５０１Ｄに当該確認不可信号を出力する。
【０１６６】
制御部５０５Ｄからの確認不可信号が入力した第１の通信制御部５０１Ｄは、当該確認不可信号を管理装置２ｂに送信する。
【０１６７】
管理装置２ｂの通信制御部２０５Ｄは、金融機関Ｄの処理装置５Ｄからの確認不可信号を受信すると、当該確認不可信号を制御部２０８ｂへ出力する。
【０１６８】
制御部２０８ｂは、通信制御部２０５Ｄからの確認不可信号が入力すると、当該確認不可信号を通信制御部２０１ｂへ出力する。
【０１６９】
通信制御部２０１ｂは、制御部２０８ｂから入力した確認不可信号を自動取引装置１Ｄへ通信回線を介して送信する。
【０１７０】
自動取引装置１Ｄの通信制御部１０６Ｄは、管理装置２ｂからの確認不可信号を受信すると、制御部１１１Ｄに当該確認不可信号を出力する。
【０１７１】
制御部１１１Ｄは、通信制御部１０６Ｄからの確認不可信号が入力すると、振込先の口座が口座データ記憶部５０４Ｆに記憶されていないために取引が不可能である旨のメッセージを表示させるための表示データを表示部１０１に出力する。
【０１７２】
制御部１１１Ｄより前記表示データを入力した表示部１０１は、振込先の口座が口座データ記憶部５０４Ｆに記憶されていないために取引が不可能である旨のメッセージを表示する。
（３）  金融機関Ｄから金融機関Ｄ（自行から自行）への振替
金融機関Ｄのカードを保有している利用者が、予め金融機関Ｄより発行されたカードを用い、自動取引装置１Ｄを利用して前記カードに対応する金融機関Ｄの口座から金融機関Ｄの別の口座に振替を行う場合、まず利用者は、入力部１０２より表示部１０１に表示された取引メニューのうち、「振替」を選択する。すると入力部１０２は「振替」が選択されたことを示す選択信号を制御部１１１Ｄに対して出力する。
【０１７３】
制御部１１１Ｄは、入力部１０２からの選択信号が入力すると、カードの挿入および暗証番号の入力、振替金額、振替先の金融機関および口座番号を入力するよう促すメッセージを表示させるための表示データを表示部１０１に出力する。
【０１７４】
表示部１０１は、制御部１１１Ｄからの表示データが入力すると、利用者に対しカードの挿入および暗証番号の入力、振替金額、振替先金融機関および振替先口座番号の選択を促すメッセージを文字または図により表示する。
【０１７５】
このメッセージを見た利用者はカードリーダへ自己の保有するカードを挿入し、入力部１０２より挿入したカードに対応する暗証番号、振替金額、振替先金融機関および振替先口座番号を入力する。
【０１７６】
カードが挿入されたカードリーダ１０３は、カードに記録されているデータを読取り制御部１１１Ｄに出力する。また入力部１０２は、利用者が入力した暗証番号および振替金額、利用者が選択した金融機関の金融機関コードおよび口座番号を１１１Ｄに出力する。
【０１７７】
制御部１１１Ｄは、カードリーダ１０３および入力部１０２からのカードデータ、暗証番号、振替金額、振替先の金融機関コード、口座番号が入力すると、金融機関記憶部１０７に記憶されている通信先コードを読込む。そして、制御部１１１Ｄは、当該通信先コード、取引コード、カードデータ、暗証番号、振替先金融機関コード、振替先口座番号、取引金額を含む確認要求信号を通信制御部１０６Ｄへ出力する。
【０１７８】
通信制御部１０６Ｄは、制御部１１１Ｄからの確認要求信号が入力すると、当該確認要求信号を通信回線を介して管理装置２ｂへ送信する。
【０１７９】
管理装置２ｂの通信制御部２０１ｂは、自動取引装置１Ｄからの確認要求信号を受信すると、当該確認要求信号を制御部２０８ｂへ出力する。
【０１８０】
制御部２０８ｂは、通信制御部２０１ｂからの確認要求信号が入力すると、当該確認要求信号に含まれる通信先コードがどの金融機関を示すものであるか判断する。ここで、通信先コードは金融機関Ｄを示すものであるため、制御部２０８ｂは当該確認要求信号を通信制御部２０５Ｄに出力する。
【０１８１】
通信制御部２０５Ｄは、制御部２０８ｂからの確認要求信号が入力すると、通信回線を介して金融機関Ｄの処理装置５Ｄに対し当該確認要求信号を送信する。このとき、通信履歴記憶部２０６ｂは、当該確認要求信号および通信先コードを記憶する。
【０１８２】
金融機関Ｄの処理装置５Ｄの第１の通信制御部５０１Ｄは、通信回線を介して管理装置２ｂからの確認要求信号を受信すると、当該確認要求信号を制御部５０５Ｄへ出力する。
【０１８３】
制御部５０５Ｄは、第１の通信制御部５０１Ｄからの確認要求信号が入力すると、当該確認要求信号に含まれるカードデータの金融機関コードおよび振替先の金融機関コードがどの金融機関を示す金融機関コードであるか確認する。ここで、カードデータの金融機関コードおよび振替先の金融機関コードはいずれも金融機関Ｄの金融機関コードであるため、制御部５０５Ｄは次に、当該カードデータの口座番号が口座データ記憶部５０４Ｄに記憶されているか否か、および、確認要求信号に含まれる暗証番号が当該カードデータの口座番号に対応する暗証番号として口座データ記憶部５０４Ｄに記憶されているか否かを判断する。
【０１８４】
当該カードデータの口座番号が口座データ記憶部５０４Ｄに記憶されており、かつ、確認要求信号に含まれる暗証番号が当該カードデータの口座番号に対応する暗証番号として口座データ記憶部５０４Ｄに記憶されていた場合、制御部５０５Ｄは当該口座の取引可能金額と取引金額とを比較し、取引可能金額が取引金額より多いかどうかを判断する。
【０１８５】
また、制御部５０５Ｄは当該確認要求信号に含まれる振替先の口座番号が口座データ記憶部５０４Ｄに記憶されているか否かを判断する。
【０１８６】
制御部５０５Ｄは、当該カードデータの口座番号が口座データ記憶部５０４Ｄに記憶されていなかった場合、確認要求信号に含まれる暗証番号が当該カードデータの口座番号に対応する暗証番号として口座データ記憶部５０４Ｄに記憶されていなかった場合、取引金額より取引可能金額が少ない場合、振込先口座番号が口座データ記憶部５０４Ｄに記憶されていなかった場合、のいずれか一つを満たしたとき、それぞれの場合に応じたエラーコードを付与した確認不可信号を第１の通信制御部５０１Ｄに出力する。
【０１８７】
当該カードデータの口座番号が口座データ記憶部５０４Ｄに記憶されており、かつ確認要求信号に含まれる暗証番号が当該カードデータの口座番号に対応する暗証番号として口座データ記憶部５０４Ｄに記憶されており、かつ取引金額より取引可能金額が多く、振替先口座番号が口座データ記憶部５０４Ｄに記憶されていたとき、制御部５０５Ｄは第１の通信制御部５０１Ｄに、カードデータ、暗証番号、取引コード、振替先金融機関コード、振替先口座番号、振替先口座名、取引金額を含む確認信号を出力する。
【０１８８】
制御部５０５Ｄから確認信号が入力した第１の通信制御部５０１ｄは、当該確認信号を管理装置２ｂに送信する。
【０１８９】
管理装置２ｂの通信制御部２０５Ｄは、金融機関Ｄの処理装置５Ｄからの確認信号を受信すると、当該確認信号を制御部２０８ｂへ出力する。
【０１９０】
制御部２０８ｂは、通信制御部２０５Ｄからの確認信号が入力すると、当該確認信号を通信制御部２０１ｂへ出力する。このとき、通信履歴記憶部２０６ｂは、当該確認信号と通信先コードを記憶する。
【０１９１】
通信制御部２０１ｂは、制御部２０８ｂから入力した確認信号を自動取引装置１Ｄへ通信回線を介して送信する。
【０１９２】
自動取引装置１Ｄの通信制御部１０６Ｄは、管理装置２ｂからの確認信号を受信すると、制御部１１１Ｄに当該確認信号を出力する。
【０１９３】
制御部１１１Ｄは、通信制御部１０６Ｄからの確認信号が入力すると、当該確認信号に付与された当該口座番号および当該口座番号の口座名、この口座に振替を行うか否かを問うメッセージを表示させるための表示データを表示部１０１に出力する。
【０１９４】
制御部１１１Ｄから表示データを入力した表示部１０１は、利用者に対しこの口座に振替を行うか行わないかの選択を促すメッセージを表示する。
【０１９５】
このメッセージを見た利用者は、入力部１０２より当該口座に振替を行うもしくは行わないのいずれかを選択する。
【０１９６】
利用者が振替を行う旨を選択した場合、入力部１０２より振込を行うという選択を入力した制御部１１１Ｄは、カードデータ、暗証番号、取引コード、振替先金融機関コード、振替先口座番号、取引金額を取引要求信号として通信制御部１０６Ｄへ出力する。
【０１９７】
通信制御部１０６Ｄは、制御部１１１Ｄからの取引要求信号が入力すると、制御部１１１Ｄから入力した取引要求信号を通信回線を介して管理装置２ｂへ送信する。
【０１９８】
管理装置２ｂの通信制御部２０１ｂは、自動取引装置１Ｄからの取引要求信号を受信すると、当該取引要求信号を制御部２０８ｂへ出力する。
【０１９９】
制御部２０８ｂは、通信制御部２０１ｂからの取引要求信号が入力すると、当該取引要求信号に含まれる通信先コードがどの金融機関を示すものであるか判別する。ここで、通信先コードは金融機関Ｄを示すものであるため、制御部２０８ｂは、当該取引要求信号を通信制御部２０５Ｄに出力する。
【０２００】
通信制御部２０５Ｄは、制御部２０８Ｄからの取引要求信号が入力すると、通信回線を介して金融機関Ｄの処理装置５Ｄへ当該取引要求信号を送信する。このとき、通信履歴記憶部２０６ｂは、当該取引要求信号および通信先コードを記憶する。
金融機関Ｄの処理装置５Ｄの第１の通信制御部５０１Ｄは、通信回線を介して管理装置２ｂからの取引要求信号を受信すると、当該取引要求信号を制御部５０５Ｄへ出力する。
制御部５０５Ｄは、第１の通信制御部５０１Ｄからの取引要求信号が入力すると、当該取引要求信号に含まれるカードデータの金融機関コードおよび振替先の金融機関コードがどの金融機関を示す金融機関コードであるか確認する。ここで、カードデータの金融機関コードおよび振替先の金融機関コードはいずれも金融機関Ｄの金融機関コードであるため、制御部５０５Ｄは次に、当該カードデータの口座番号が口座データ記憶部５０４Ｄに記憶されているか否か、および、取引要求信号に含まれる暗証番号が当該カードデータの口座番号に対応する暗証番号として口座データ記憶部５０４Ｄに記憶されているか否かを判断する。
【０２０１】
当該カードデータの口座番号が口座データ記憶部５０４Ｄに記憶されており、かつ、取引要求信号に含まれる暗証番号が当該カードデータの口座番号に対応する暗証番号として口座データ記憶部５０４Ｄに記憶されていた場合、制御部５０５Ｄは当該口座の取引可能金額と取引金額とを比較し、取引可能金額が取引金額より多いかどうかを判断する。
【０２０２】
また、制御部５０５Ｄは当該取引要求信号に含まれる振替先の口座番号が口座データ記憶部５０４Ｄに記憶されているか否かを判断する。
【０２０３】
制御部５０５Ｄは、当該カードデータの口座番号が口座データ記憶部５０４Ｄに記憶されていなかった場合、取引要求信号に含まれる暗証番号が当該カードデータの口座番号に対応する暗証番号として口座データ記憶部５０４Ｄに記憶されていなかった場合、取引金額より取引可能金額が少ない場合、振込先口座番号が口座データ記憶部５０４Ｄに記憶されていなかった場合、のいずれか一つを満たしたとき、それぞれの場合に応じたエラーコードを付与した不許可信号を第１の通信制御部５０１Ｄに出力する。
当該カードデータの口座番号が口座データ記憶部５０４Ｄに記憶されており、かつ取引要求信号に含まれる暗証番号が当該カードデータの口座番号に対応する暗証番号として口座データ記憶部５０４Ｄに記憶されており、かつ取引金額より取引可能金額が多く、振替先口座番号が口座データ記憶部５０４Ｄに記憶されていたとき、制御部５０５Ｄは、第１の通信制御部５０１Ｄに許可信号を出力する。また、カードデータ、取引コード、振替先金融機関コード、振替先口座番号、取引金額を含む取引データを口座データ記憶部５０４Ｄへ出力する。
【０２０４】
口座データ記憶部５０４Ｄは、制御部５０５Ｄからの取引データが入力すると、取引データに含まれるカードデータの口座番号の取引データとして当該取引データを記憶し、振替先口座にも取引データとして記憶する。
【０２０５】
第１の通信制御部５０１Ｄは、制御部５０５Ｄからの許可信号が入力すると、当該許可信号を通信回線を介して管理装置２ｂに送信する。
【０２０６】
管理装置２ｂの通信制御部２０５Ｄは、金融機関Ｄの処理装置５Ｄからの許可信号を受信すると、当該許可信号を制御部２０８ｂへ出力する。このとき、通信履歴記憶部２０６ｂは、受信した許可信号と通信先コードを記憶する。
【０２０７】
制御部２０８ｂは、通信制御部２０５Ｄからの許可信号が入力すると、当該許可信号を通信制御部２０１ｂへ出力する。
【０２０８】
通信制御部２０１ｂは、制御部２０８ｂから入力した許可信号を自動取引装置１Ｄへ通信回線を介して送信する。
【０２０９】
自動取引装置１Ｄの通信制御部１０６Ｄは、管理装置２ｂからの許可信号を受信すると、制御部１１１ｂに当該許可信号を出力するとともに、管理装置２ｂとの間の通信回線を切断する。
【０２１０】
制御部１１１Ｄは、通信制御部１０６Ｄからの許可信号が入力すると、通信制御部１０６Ｄに自動取引装置毎に予め付与されている識別情報、カードデータ、取引コード、振替先金融機関コード、振替先口座番号、取引金額を含む取引データを出力する。また制御部１１１Ｄは、表示部１０１に取引が行われたことを利用者に知らせるための表示データを出力する。また、制御部１１１Ｄはカードリーダ１０３のカード排出部よりカードを排出させる。
【０２１１】
表示部１０１は、制御部１１１Ｄからの表示データが入力すると、当該表示データに応じて取引が行われたことを文字や図によって表示し、利用者に報知する。また、カードリーダ１０３は挿入されたカードを排出する。
【０２１２】
利用者は、表示部１０１に表示された内容を確認し、カードリーダ１０３より排出されたカードを取り出す。
【０２１３】
通信制御部１０６Ｄは、制御部１１１Ｄからの取引データが入力すると、当該データを管理装置２ｂへ送信する。
【０２１４】
管理装置２ｂの通信制御部２０１ｂは、自動取引装置１Ｄからの取引データを受信すると、当該取引データを制御部２０８ｂへ出力する。
【０２１５】
制御部２０８ｂは、通信制御部２０１ｂからの取引データが入力すると、当該取引データを取引データ記憶部２０２を構成する第１の取引データ記憶部に出力する。
【０２１６】
第１の取引データ記憶部は、制御部２０８ｂからの取引データが入力すると、当該取引データを記憶する。
【０２１７】
なお、金融機関Ｄの第１の通信制御部５０１Ｄは、制御部５０５Ｄから確認不可信号または不許可信号が入力すると、当該確認不可信号または不許可信号を通信回線を介して管理装置２ｂに送信する。
【０２１８】
管理装置２ｂの通信制御部２０５Ｄは、金融機関Ｄの処理装置５Ｄからの確認不可信号または不許可信号を受信すると、当該確認不可信号または不許可信号を制御部２０８ｂへ出力する。このとき、通信履歴記憶部２０６ｂは、受信した確認不可信号または不許可信号と通信先コードを記憶する。
【０２１９】
制御部２０８ｂは、通信制御部２０５Ｄからの確認不可信号または不許可信号が入力すると、当該確認不可信号または不許可信号を通信制御部２０１ｂへ出力する。
【０２２０】
通信制御部２０１ｂは、制御部２０８ｂから入力した確認不可信号または不許可信号を自動取引装置１Ｄへ通信回線を介して送信する。
【０２２１】
自動取引装置１Ｄの通信制御部１０６Ｄは、管理装置２ｂからの確認不可信号または不許可信号を受信すると、当該確認不可信号または不許可信号を制御部１１１Ｄへ出力する。
【０２２２】
制御部１１１Ｄは、通信制御部１０６Ｄからの確認不可信号または不許可信号が入力すると、エラーコードに示される理由によって取引ができないことを表示させるための表示データを表示部１０１へ出力するとともに、カードリーダ１０３のカード排出部に挿入されたカードを排出させる。
表示部１０１は、制御部１１１Ｄからの表示データが入力すると当該表示データに応じて取引ができないことを文字や図により表示し利用者へ報知する。また、カードリーダ１０３のカード排出部は挿入されたカードを排出する。
（３）  金融機関Ｄから金融機関Ｆ（自行から他行）への振替
金融機関Ｄのカードを保有している利用者が、予め金融機関Ｄより発行されたカードを用い、自動取引装置１Ｄを利用して前記カードに対応する金融機関Ｄの口座から金融機関Ｆの口座に振替を行う場合、まず利用者は、入力部１０２より表示部１０１に表示された取引メニューのうち、「振替」を選択する。すると入力部１０２は「振替」が選択されたことを示す選択信号を制御部１１１Ｄに対して出力する。
【０２２３】
制御部１１１Ｄは、入力部１０２からの選択信号が入力すると、カードの挿入および暗証番号の入力、振替金額、振替先の金融機関および口座番号を入力するよう促すメッセージを表示させるための表示データを表示部１０１に出力する。
【０２２４】
表示部１０１は、制御部１１１Ｄからの表示データが入力すると、利用者に対しカードの挿入および暗証番号の入力、振替金額、振替先金融機関および振替先口座番号の選択を促すメッセージを文字または図により表示する。
【０２２５】
このメッセージを見た利用者はカードリーダ１０３へ自己の保有するカードを挿入し、入力部１０２より挿入したカードに対応する暗証番号、振替金額、振替先金融機関および振替先口座番号を入力する。
【０２２６】
カードが挿入されたカードリーダ１０３は、カードに記録されているデータを読取り制御部１１１Ｄに出力する。また入力部１０２は、利用者が入力した暗証番号および振替金額、利用者が選択した金融機関の金融機関コードおよび口座番号を１１１Ｄに出力する。
【０２２７】
制御部１１１Ｄは、カードリーダ１０３および入力部１０２からのカードデータ、暗証番号、振替金額、振替先金融機関コード、振替先口座番号が入力すると、金融機関記憶部１０７に記憶されている通信先コードを読み込む。そして、当該通信先コード、取引コード、カードデータ、暗証番号、振替先金融機関コード、振替先口座番号、取引金額を含む確認要求信号を通信制御部１０６Ｄへ出力する。
【０２２８】
通信制御部１０６Ｄは、制御部１１１Ｄからの確認要求信号が入力すると、当該確認要求信号を通信回線を介して管理装置２ｂへ送信する。
【０２２９】
管理装置２ｂの通信制御部２０１ｂは、自動取引装置１Ｄからの確認要求信号を受信すると、当該確認要求信号を制御部２０８ｂへ出力する。
【０２３０】
制御部２０８ｂは、通信制御部２０１ｂからの確認要求信号が入力すると、当該確認要求信号に含まれる通信先コードがどの金融機関を示すものであるかを確認する。ここで、通信先コードは金融機関Ｄを示すものあるため、制御部２０８ｂは、当該確認要求信号を通信制御部２０５Ｄに出力する。
【０２３１】
通信制御部２０５Ｄは、制御部２０８ｂからの確認要求信号が入力すると、通信回線を介して金融機関Ｄの処理装置５Ｄへカードデータ、暗証番号、取引コード、振替先金融機関コード、振替先口座番号、取引金額を含む確認要求信号を送信する。このとき、通信履歴記憶部２０６ｂは、当該確認要求信号および通信先コードを記憶する。
【０２３２】
金融機関Ｄの処理装置５Ｄの第１の通信制御部５０１Ｄは、通信回線を介して管理装置２ｂからの確認要求信号を受信すると、当該確認要求信号を制御部５０５Ｄへ出力する。
【０２３３】
制御部５０５Ｄは、第１の通信制御部５０１Ｄからの確認要求信号が入力すると、当該確認要求信号に含まれるカードデータの金融機関コードが金融機関Ｄの金融機関コードであるか否かを確認する。カードデータの金融機関コードは金融機関Ｄの金融機関コードであるため、制御部５０５Ｄは次に、当該カードデータの口座番号が口座データ記憶部５０４Ｄに記憶されているか否か、および、確認要求信号に含まれる暗証番号が当該口座番号に対応する暗証番号として口座データ記憶部５０４Ｄに記憶されているか否かを判断する。
【０２３４】
当該カードデータの口座番号が口座データ記憶部５０４Ｄに記憶されており、かつ、確認要求信号に含まれる暗証番号が当該口座番号に対応する暗証番号として口座データ記憶部５０４Ｄに記憶されていた場合、制御部５０５Ｄは当該口座の取引可能金額と取引金額とを比較し、取引可能金額が取引金額より多いかどうかを判断する。
【０２３５】
また、制御部５０５Ｄは当該確認要求信号に含まれる振替先の金融機関コードを確認する。振替先の金融機関コードは金融機関Ｆの金融機関コードであるため、制御部５０５Ｄは、振替先金融機関コード、振替先口座番号、取引コードを含む取引要求信号を第２の通信制御部５０３Ｄヘ出力する。
【０２３６】
第２の通信制御部５０３Ｄは、制御部５０５Ｄからの確認要求信号が入力すると、当該確認要求信号に含まれる振替先の金融機関コードをもとに、通信手順記憶部５０２Ｄに記憶している通信手順のうち、当該金融機関コードに対応する金融機関との通信手順、つまり、金融機関Ｆの処理装置５Ｆとの通信手順を読込み、読込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ確認要求信号を送信する。
【０２３７】
金融機関Ｆの通信制御部５０３Ｆは、金融機関ネットワーク４を介して金融機関Ｄの処理装置５Ｄからの確認要求信号を受信すると、当該確認要求信号を制御部５０５Ｆへ出力する。
【０２３８】
制御部５０５Ｆは、通信制御部５０３Ｆからの確認要求信号が入力すると、当該確認要求信号に含まれる振替先金融機関コードが自金融機関コードと一致するかを確認し、振替先口座番号が口座データ記憶部５０４Ｆに記憶されているか否かを判断する。
【０２３９】
制御部５０５Ｆは、当該振替先口座番号が口座データ記憶部５０４Ｆに記憶されていた場合は、振替先の口座名を含む確認信号を通信制御部５０３Ｆに出力する。
【０２４０】
なお、制御部５０５Ｆは、当該振替先口座番号が口座データ記憶部５０４Ｆに記憶されていない場合は、振替先の口座番号が記憶されていないことを示す確認不可信号を通信制御部５０３Ｆに出力する。
【０２４１】
制御部５０５Ｆからの確認信号または確認不可信号が入力した通信制御部５０３Ｆは、当該入力信号を金融機関ネットワーク４を介して金融機関Ｄの処理装置５Ｄに送信する。
【０２４２】
金融機関Ｄの処理装置５Ｄの第２の通信制御部５０３Ｄは、金融機関ネットワーク４を介して金融機関Ｆの処理装置５Ｆからの確認信号または確認不可信号を受信すると、当該受信信号を制御部５０５Ｄへ出力する。
【０２４３】
記憶部５０５Ｄは、カードデータの口座番号が口座データ記憶部５０４Ｄに記憶されていなかった場合、確認要求信号に含まれる暗証番号が当該カードデータの口座番号に対応する暗証番号として口座データ記憶部５０４Ｄに記憶されていなかった場合、取引金額より取引可能金額が少ない場合、第２の通信制御部５０５０３Ｄから確認不可信号を入力した場合、のいずれか一つを満たしたとき、それぞれの場合に応じたエラーコードを付与した確認不可信号を第１の通信制御部５０１Ｄに出力する。
【０２４４】
なお、制御部５０５Ｄは、カードデータの口座番号が口座データ記憶部５０４Ｄに記憶されており、かつ確認要求信号に含まれる暗証番号が当該カードデータの口座番号に対応する暗証番号として口座データ記憶部５０４Ｄに記憶されており、かつ取引金額より取引可能金額が多く、かつ第２の通信制御部５０３Ｄからの確認信号が入力した場合、第１の通信制御部５０１Ｄに、当該取引が可能であることを示す確認信号を出力する。
【０２４５】
制御部５０５Ｄからの確認信号または確認不可信号が入力した第１の通信制御部５０１Ｄは、通信回線を介して当該入力信号を管理装置２ｂに送信する。
【０２４６】
管理装置２ｂの通信制御部２０５Ｄは、金融機関Ｄの処理装置５Ｄからの確認信号または確認不可信号を受信すると、当該受信信号を制御部２０８ｂへ出力する。
【０２４７】
制御部２０８ｂは、通信制御部２０５Ｄからの確認信号または確認不可信号が入力すると、当該入力信号を通信制御部２０１ｂへ出力する。このとき、通信履歴記憶部２０６は、当該確認信号または確認不可信号と通信先コードを記憶する。
【０２４８】
通信制御部２０１ｂは、制御部２０８ｂから入力した確認信号または確認不可信号を自動取引装置１Ｄへ通信回線を介して送信する。
【０２４９】
自動取引装置１Ｄの通信制御部１０６Ｄは、管理装置２ｂからの確認信号または確認不可信号を受信すると、制御部１１１Ｄに当該受信信号を出力する。
【０２５０】
制御部１１１Ｄは、通信制御部１０６Ｄから確認信号が入力すると、当該確認信号に付与された当該口座番号および当該口座番号の口座名、この口座に振替を行うか否かを問うメッセージを表示させるための表示データを表示部１０１に出力する。
【０２５１】
制御部１１１Ｄから表示データを入力した表示部１０１は、利用者に対しこの口座に振替を行うか行わないかの選択を促すメッセージを表示する。
【０２５２】
このメッセージを見た利用者は、入力部１０２より当該口座に振替を行うもしくは行わないのいずれかを選択する。
【０２５３】
利用者が振替を行う旨を選択した場合、入力部１０２より振込を行うという選択を入力した制御部１１１Ｄは、カードデータ、暗証番号、取引コード、振替先金融機関コード、振替先口座番号、取引金額を取引要求信号として通信制御部１０６Ｄへ出力する。
【０２５４】
通信制御部１０６Ｄは、制御部１１１Ｄからの取引要求信号が入力すると、制御部１１１Ｄから入力した取引要求信号を通信回線を介して管理装置２ｂへ送信する。
【０２５５】
管理装置２ｂの通信制御部２０１ｂは、自動取引装置１Ｄからの取引要求信号を受信すると、当該取引要求信号を制御部２０８ｂへ出力する。
制御部２０８ｂは、通信制御部２０１ｂからの取引要求信号が入力すると、当該取引要求信号に含まれる通信先コードがどの金融機関を示すものであるか判断する。ここで、通信先コードは金融機関Ｄを示すものであるため、制御部２０８ｂは、当該取引要求信号を通信制御部２０５Ｄに出力する。
【０２５６】
通信制御部２０５Ｄは、通信回線を介して金融機関Ｄの処理装置５Ｄへ取引要求信号を送信する。このとき、通信履歴記憶部２０６ｂは、当該取引要求信号および通信先コードを記憶する。
【０２５７】
金融機関Ｄの処理装置５Ｄの第１の通信制御部５０１Ｄは、通信回線を介して管理装置２ｂからの取引要求信号を受信すると、当該取引要求信号を制御部５０５Ｄへ出力する。
制御部５０５Ｄは、第１の通信制御部５０１Ｄからの取引要求信号が入力すると、当該取引要求信号に含まれるカードデータの金融機関コードが金融機関Ｄの金融機関コードであるか否かを確認する。カードデータの金融機関コードは金融機関Ｄの金融機関コードであるため、制御部５０５Ｄは次に、当該カードデータの口座番号が口座データ記憶部５０４Ｄに記憶されているか否か、および、確認要求信号に含まれる暗証番号が当該口座番号に対応する暗証番号として口座データ記憶部５０４Ｄに記憶されているか否かを判断する。
【０２５８】
当該カードデータの口座番号が口座データ記憶部５０４Ｄに記憶されており、かつ、取引要求信号に含まれる暗証番号が当該口座番号に対応する暗証番号として口座データ記憶部５０４Ｄに記憶されていた場合、制御部５０５Ｄは当該口座の取引可能金額と取引金額とを比較し、取引可能金額が取引金額より多いかどうかを判断する。
【０２５９】
また、制御部５０５Ｄは当該取引要求信号に含まれる振替先の金融機関コードを確認する。振替先の金融機関コードは金融機関Ｆの金融機関コードであるため、制御部５０５Ｄは、当該取引要求信号を第２の通信制御部５０３Ｄヘ出力する。
【０２６０】
第２の通信制御部５０３Ｄは、制御部５０５Ｄからの取引要求信号が入力すると、当該取引要求信号に含まれる振替先の金融機関コードをもとに、通信手順記憶部５０２Ｄに記憶している通信手順のうち、当該金融機関コードに対応する金融機関との通信手順、つまり、金融機関Ｆの処理装置５Ｆとの通信手順を読込み、読込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ取引要求信号を送信する。
【０２６１】
金融機関Ｆの通信制御部５０３Ｆは、金融機関ネットワーク４を介して金融機関Ｄの処理装置５Ｄからの取引要求信号を受信すると、当該取引要求信号を制御部５０５Ｆへ出力する。
【０２６２】
制御部５０５Ｆは、通信制御部５０３Ｆからの取引要求信号が入力すると、当該取引要求信号に含まれる振替先金融機関コードが自金融機関コードと一致するかを確認し、振替先口座番号が口座データ記憶部５０４Ｆに記憶されているか否かを判断する。
制御部５０５Ｆは、当該振替先口座番号が口座データ記憶部５０４Ｆに記憶されていた場合は、当該取引きを許可する許可信号を通信制御部５０３Ｆに出力するとともに、口座データ記憶部５０４Ｆへ当該取引要求信号に含まれるカードデータ、取引コード、振替先口座番号、取引金額を含む取引データを出力する。
口座データ記憶部５０４Ｆは、制御部５０５Ｆからの取引データが入力すると、当該取引データに含まれる振替先口座番号の取引データとして当該取引データを記憶する。
【０２６３】
なお、制御部５０５Ｆは、当該振替先口座番号が口座データ記憶部５０４Ｆに記憶されていない場合は、当該取引を許可しないことを示す不許可信号を通信制御部５０３Ｆに出力する。
【０２６４】
制御部５０５Ｆからの許可信号または不許可信号が入力した通信制御部５０３Ｆは、当該入力信号を金融機関ネットワーク４を介して金融機関Ｄの処理装置５Ｄに送信する。
【０２６５】
金融機関Ｄの処理装置５Ｄの第２の通信制御部５０３Ｄは、金融機関ネットワーク４を介して金融機関Ｆの処理装置５Ｆからの許可信号または不許可信号を受信すると、当該受信信号を制御部５０５Ｄへ出力する。
【０２６６】
記憶部５０５Ｄは、カードデータの口座番号が口座データ記憶部５０４Ｄに記憶されていなかった場合、確認要求信号に含まれる暗証番号が当該カードデータの口座番号に対応する暗証番号として口座データ記憶部５０４Ｄに記憶されていなかった場合、取引金額より取引可能金額が少ない場合、第２の通信制御部５０５０３Ｄから確認不可信号を入力した場合、のいずれか一つを満たしたとき、それぞれの場合に応じたエラーコードを付与した不許可信号を第１の通信制御部５０１Ｄに出力する。
【０２６７】
なお、制御部５０５Ｄは、カードデータの口座番号が口座データ記憶部５０４Ｄに記憶されており、かつ確認要求信号に含まれる暗証番号が当該カードデータの口座番号に対応する暗証番号として口座データ記憶部５０４Ｄに記憶されており、かつ取引金額より取引可能金額が多く、かつ第２の通信制御部５０３Ｄからの確認信号が入力した場合、第１の通信制御部５０１Ｄに、当該取引が可能であることを示す許可信号を出力するとともに、口座データ記憶部５０４Ｄへ当該取引要求信号に含まれるカードデータ、取引コード、振替先口座番号、取引金額を含む取引データを出力する。
口座データ記憶部５０４Ｄは、制御部５０５Ｄからの取引データが入力すると、当該取引データに含まれるカードデータの口座番号の取引データとして当該取引データを記憶する。
【０２６８】
制御部５０５Ｄからの許可信号または不許可信号が入力した第１の通信制御部５０１Ｄは、通信回線を介して当該入力信号を管理装置２ｂに送信する。
【０２６９】
管理装置２ｂの通信制御部２０５Ｄは、金融機関Ｄの処理装置５Ｄからの許可信号または不許可信号を受信すると、当該受信信号を制御部２０８ｂへ出力する。
【０２７０】
制御部２０８ｂは、通信制御部２０５Ｄからの許可信号または不許可信号が入力すると、当該入力信号を通信制御部２０１ｂへ出力する。このとき、通信履歴記憶部２０６は、当該許可信号または不許可信号と通信先コードを記憶する。
【０２７１】
通信制御部２０１ｂは、制御部２０８ｂから入力した許可信号または不許可信号を自動取引装置１Ｄへ通信回線を介して送信する。
【０２７２】
自動取引装置１Ｄの通信制御部１０６Ｄは、管理装置２ｂからの許可信号または不許可信号を受信すると、制御部１１１Ｄに当該受信信号を出力する。
制御部１１１Ｄは、通信制御部１０６Ｄからの許可信号が入力すると、自動取引装置毎に予め付与されている識別情報、カードデータ、取引コード、振替先金融機関コード、振替先口座番号、取引金額を含む取引データを通信制御部１０６Ｄおよび取引きデータ記憶部１０８へ出力する。また、制御部１１１ａは、表示部１０１に取引が行われたことを利用者に報せる表示データを出力するとともに、カードリーダ１０３のカード排出部よりカードを排出させる。
【０２７３】
取引データ記憶部１０８は、制御部１１１Ｄからの取引データが入力すると、当該取引データを記憶する。
表示部１０１は、制御部１１１Ｄからの表示データが入力すると、当該表示データに応じて取引が行われたことを文字や図によって表示し、利用者に報知する。また、カードリーダ１０３は挿入されたカードを排出する。
【０２７４】
利用者は、表示部１０１に表示された内容を確認し、カードリーダ１０３より排出されたカードを取り出す。
【０２７５】
通信制御部１０６Ｄは、制御部１１１Ｄからの取引データが入力すると、当該データを管理装置２ｂへ送信する。
【０２７６】
管理装置２ｂの通信制御部２０１ｂは、自動取引装置１Ｄからの取引データを受信すると、当該取引データを制御部２０８ｂへ出力する。
【０２７７】
制御部２０８ｂは、通信制御部２０１ｂからの取引データが入力すると、当該取引データを取引データ記憶部２０２を構成する第１の取引データ記憶部に出力する。
【０２７８】
第１の取引データ記憶部は、制御部２０８ｂからの取引データが入力すると、当該取引データを記憶する。
【０２７９】
なお、制御部１１１ａＤは、通信制御部１０６Ｄからの確認不可信号または不許可信号が入力すると、エラーコードに示される理由によって取引ができないことを表示させるための表示データを表示部１０１へ出力するとともに、カードリーダ１０３のカード排出部に挿入されたカードを排出させ、当該取引きを終了する。
【０２８０】
表示部１０１は、制御部１１１Ｄからの表示データが入力すると当該表示データに応じて取引ができないことを文字や図により表示し利用者へ報知する。また、カードリーダ１０３のカード排出部は挿入されたカードを排出する
（３）  金融機関Ｆから金融機関D（他行から自行）への振替
金融機関Ｆのカードを保有している利用者が、予め金融機関Ｆより発行されたカードを用い、自動取引装置１Ｄを利用して前記カードに対応する金融機関Ｆの口座から金融機関Ｄの口座に振替を行う場合、まず利用者は、入力部１０２より表示部１０１に表示された取引メニューのうち、「振替」を選択する。すると入力部１０２は「振替」が選択されたことを示す選択信号を制御部１１１Ｄに対して出力する。
【０２８１】
制御部１１１Ｄは、入力部１０２からの選択信号が入力すると、カードの挿入および暗証番号の入力、振替金額、振替先の金融機関および口座番号を入力するよう促すメッセージを表示させるための表示データを表示部１０１に出力する。
【０２８２】
表示部１０１は、制御部１１１Ｄからの表示データが入力すると、利用者に対しカードの挿入および暗証番号の入力、振替金額、振替先金融機関および振替先口座番号の選択を促すメッセージを文字または図により表示する。
【０２８３】
このメッセージを見た利用者はカードリーダ１０３へ自己の保有するカードを挿入し、入力部１０２より挿入したカードに対応する暗証番号、振替金額、振替先金融機関および振替先口座番号を入力する。
【０２８４】
カードが挿入されたカードリーダ１０３は、カードに記録されているデータを読取り制御部１１１Ｄに出力する。また入力部１０２は、利用者が入力した暗証番号および振替金額、利用者が選択した金融機関の金融機関コードおよび口座番号を１１１Ｄに出力する。
【０２８５】
制御部１１１Ｄは、カードリーダ１０３および入力部１０２からのカードデータ、暗証番号、振替金額、振替先金融機関コード、振替先口座番号が入力すると、金融機関記憶部１０７に記憶されている通信先コードを読み込む。そして、当該通信先コード、取引コード、カードデータ、暗証番号、振替先金融機関コード、振替先口座番号、取引金額を含む確認要求信号を通信制御部１０６Ｄへ出力する。
【０２８６】
通信制御部１０６Ｄは、制御部１１１Ｄからの確認要求信号が入力すると、当該確認要求信号を通信回線を介して管理装置２ｂへ送信する。
【０２８７】
管理装置２ｂの通信制御部２０１ｂは、自動取引装置１Ｄからの確認要求信号を受信すると、当該確認要求信号を制御部２０８ｂへ出力する。
【０２８８】
制御部２０８ｂは、通信制御部２０１ｂからの確認要求信号が入力すると、当該確認要求信号に含まれる通信先コードがどの金融機関を示すものであるかを確認する。ここで、通信先コードは金融機関Ｄを示すものあるため、制御部２０８ｂは、当該確認要求信号を通信制御部２０５Ｄに出力する。
【０２８９】
通信制御部２０５Ｄは、制御部２０８ｂからの確認要求信号が入力すると、通信回線を介して金融機関Ｄの処理装置５Ｄへカードデータ、暗証番号、取引コード、振替先金融機関コード、振替先口座番号、取引金額を含む確認要求信号を送信する。このとき、通信履歴記憶部２０６ｂは、当該確認要求信号および通信先コードを記憶する。
【０２９０】
金融機関Ｄの処理装置５Ｄの第１の通信制御部５０１Ｄは、通信回線を介して管理装置２ｂからの確認要求信号を受信すると、当該確認要求信号を制御部５０５Ｄへ出力する。
制御部５０５Ｄは、第１の通信制御部５０１Ｄからの確認要求信号が入力すると、当該確認要求信号に含まれるカードデータの金融機関コードおよび振替先金融機関コードが金融機関Ｄの金融機関コードであるか否かを確認する。ここで、カードデータの金融機関コードは金融機関Ｆを示すものであり、振替先金融機関コードは金融機関Ｄを示すものであるため、振替先金融機関コードが自金融機関コードと一致するかを確認し、振替先口座番号が口座データ記憶部５０４Ｄに記憶されているか否かを判断する。
【０２９１】
また、制御部５０５Ｄは当該確認要求信号に含まれる振替元となるカードデータの金融機関コードを確認する。カードデータの金融機関コードは金融機関Ｆの金融機関コードであるため、制御部５０５Ｄは、カードデータ、暗証番号、取引コード、取引金額を含む確認要求信号を第２の通信制御部５０３Ｄヘ出力する。
【０２９２】
第２の通信制御部５０３Ｄは、制御部５０５Ｄからの確認要求信号が入力すると、当該確認要求信号に含まれるカードデータの金融機関コードをもとに、通信手順記憶部５０２Ｄに記憶している通信手順のうち、当該金融機関コードに対応する金融機関との通信手順、つまり、金融機関Ｆの処理装置５Ｆとの通信手順を読込み、読込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ確認要求信号を送信する。
【０２９３】
金融機関Ｆの通信制御部５０３Ｆは、金融機関ネットワーク４を介して金融機関Ｄの処理装置５Ｄからの確認要求信号を受信すると、当該確認要求信号を制御部５０５Ｆへ出力する。
制御部５０５Ｆは、通信制御部５０３Ｆからの確認要求信号が入力し、当該確認要求信号に含まれるカードデータの金融機関コードが金融機関Ｆの金融機関コードであることを確認すると、制御部５０５Ｆは次に、当該カードデータの口座番号が口座データ記憶部５０４Ｆに記憶されているか否か、および、確認要求信号に含まれる暗証番号が当該口座番号に対応する暗証番号として口座データ記憶部５０４Ｆに記憶されているか否かを判断する。
【０２９４】
当該カードデータの口座番号が口座データ記憶部５０４Ｆに記憶されており、かつ、確認要求信号に含まれる暗証番号が当該口座番号に対応する暗証番号として口座データ記憶部５０４Ｆに記憶されていた場合、制御部５０５Ｆは当該口座の取引可能金額と取引金額とを比較し、取引可能金額が取引金額より多いかどうかを判断する。
【０２９５】
制御部５０５Ｆは、カードデータの口座番号が口座データ記憶部５０４Ｄに記憶されていなかった場合、暗証番号が当該カードデータの口座番号に対応する暗証番号として口座データ記憶部５０４Ｆに記憶されていなかった場合、取引金額より取引可能金額が少ない場合、のいずれか一つを満たしたとき、それぞれの場合に応じたエラーコードを付与した確認不可信号を通信制御部５０３Ｆに出力する。
【０２９６】
なお、制御部５０５Ｆは、カードデータの口座番号が口座データ記憶部５０４Ｆに記憶されており、かつ暗証番号が当該カードデータの口座番号に対応する暗証番号として口座データ記憶部５０４Ｆに記憶されており、かつ取引金額より取引可能金額が多かった場合、通信制御部５０３Ｆに、当該取引が可能であることを示す確認信号を出力する。
【０２９７】
制御部５０５Ｆからの確認信号または確認不可信号が入力した通信制御部５０３Ｆは、通信回線を介して当該入力信号を金融機関Ｄの処理装置５Ｄへ送信する。
【０２９８】
金融機関Ｄの処理装置５Ｄの第２の通信制御部５０３Ｄは、金融機関ネットワーク４を介して金融機関Ｆの処理装置５Ｆからの確認信号または確認不可信号を受信すると、当該受信信号を制御部５０５Ｄへ出力する。
【０２９９】
記憶部５０５Ｄは、振替先口座番号が口座データ記憶部５０４Ｄに記憶されていなかった場合、または、第２の通信制御部５０３Ｄから確認不可信号を入力した場合は、それぞれの場合に応じたエラーコードを付与した確認不可信号を第１の通信制御部５０１Ｄに出力する。
【０３００】
なお、制御部５０５Ｄは、振替先口座番号が口座データ記憶部５０４Ｄに記憶されており、かつ第２の通信制御部５０３Ｄからの確認信号が入力した場合は、第１の通信制御部５０１Ｄに、当該取引が可能であることを示す確認信号を出力する。
【０３０１】
制御部５０５Ｄからの確認信号または確認不可信号が入力した第１の通信制御部５０１Ｄは、通信回線を介して当該入力信号を管理装置２ｂに送信する。
【０３０２】
管理装置２ｂの通信制御部２０５Ｄは、金融機関Ｄの処理装置５Ｄからの確認信号または確認不可信号を受信すると、当該受信信号を制御部２０８ｂへ出力する。
【０３０３】
制御部２０８ｂは、通信制御部２０５Ｄからの確認信号または確認不可信号が入力すると、当該入力信号を通信制御部２０１ｂへ出力する。このとき、通信履歴記憶部２０６は、当該確認信号または確認不可信号と通信先コードを記憶する。
【０３０４】
通信制御部２０１ｂは、制御部２０８ｂから入力した確認信号または確認不可信号を自動取引装置１Ｄへ通信回線を介して送信する。
【０３０５】
自動取引装置１Ｄの通信制御部１０６Ｄは、管理装置２ｂからの確認信号または確認不可信号を受信すると、制御部１１１Ｄに当該受信信号を出力する。
【０３０６】
制御部１１１Ｄは、通信制御部１０６Ｄから確認信号が入力すると、当該確認信号に付与された当該口座番号および当該口座番号の口座名、この口座に振替を行うか否かを問うメッセージを表示させるための表示データを表示部１０１に出力する。
【０３０７】
制御部１１１Ｄから表示データを入力した表示部１０１は、利用者に対しこの口座に振替を行うか行わないかの選択を促すメッセージを表示する。
【０３０８】
このメッセージを見た利用者は、入力部１０２より当該口座に振替を行うもしくは行わないのいずれかを選択する。
【０３０９】
利用者が振替を行う旨を選択した場合、入力部１０２より振込を行うという選択を入力した制御部１１１Ｄは、カードデータ、暗証番号、取引コード、振替先金融機関コード、振替先口座番号、取引金額を取引要求信号として通信制御部１０６Ｄへ出力する。
【０３１０】
通信制御部１０６Ｄは、制御部１１１Ｄからの取引要求信号が入力すると、制御部１１１Ｄから入力した取引要求信号を通信回線を介して管理装置２ｂへ送信する。
【０３１１】
管理装置２ｂの通信制御部２０１ｂは、自動取引装置１Ｄからの取引要求信号を受信すると、当該取引要求信号を制御部２０８ｂへ出力する。
制御部２０８ｂは、通信制御部２０１ｂからの取引要求信号が入力すると、当該取引要求信号に含まれる通信先コードがどの金融機関を示すものであるか判断する。ここで、通信先コードは金融機関Ｄを示すものであるため、制御部２０８ｂは、当該取引要求信号を通信制御部２０５Ｄに出力する。
【０３１２】
通信制御部２０５Ｄは、通信回線を介して金融機関Ｄの処理装置５Ｄへ取引要求信号を送信する。このとき、通信履歴記憶部２０６ｂは、当該取引要求信号および通信先コードを記憶する。
【０３１３】
金融機関Ｄの処理装置５Ｄの第１の通信制御部５０１Ｄは、通信回線を介して管理装置２ｂからの取引要求信号を受信すると、当該取引要求信号を制御部５０５Ｄへ出力する。
制御部５０５Ｄは、第１の通信制御部５０１Ｄからの取引要求信号が入力すると、当該取引要求信号に含まれるカードデータの金融機関コードおよび振替先金融機関コードが金融機関Ｄの金融機関コードであるか否かを確認する。ここで、カードデータの金融機関コードは金融機関Ｆを示すものであり、振替先金融機関コードは金融機関Ｄを示すものであるため、振替先金融機関コードが自金融機関コードと一致するかを確認し、振替先口座番号が口座データ記憶部５０４Ｄに記憶されているか否かを判断する。
【０３１４】
また、制御部５０５Ｄは当該取引要求信号に含まれる振替元となるカードデータの金融機関コードを確認する。カードデータの金融機関コードは金融機関Ｆの金融機関コードであるため、制御部５０５Ｄは、カードデータ、暗証番号、取引コード、取引金額を含む取引要求信号を第２の通信制御部５０３Ｄヘ出力する。
【０３１５】
第２の通信制御部５０３Ｄは、制御部５０５Ｄからの取引要求信号が入力すると、当該取引要求信号に含まれるカードデータの金融機関コードをもとに、通信手順記憶部５０２Ｄに記憶している通信手順のうち、当該金融機関コードに対応する金融機関との通信手順、つまり、金融機関Ｆの処理装置５Ｆとの通信手順を読込み、読込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ取引要求信号を送信する。
【０３１６】
金融機関Ｆの通信制御部５０３Ｆは、金融機関ネットワーク４を介して金融機関Ｄの処理装置５Ｄからの取引要求信号を受信すると、当該取引要求信号を制御部５０５Ｆへ出力する。
制御部５０５Ｆは、通信制御部５０３Ｆからの取引要求信号が入力し、当該取引要求信号に含まれるカードデータの金融機関コードが金融機関Ｆの金融機関コードであることを確認すると、制御部５０５Ｆは次に、当該カードデータの口座番号が口座データ記憶部５０４Ｆに記憶されているか否か、および、取引要求信号に含まれる暗証番号が当該口座番号に対応する暗証番号として口座データ記憶部５０４Ｆに記憶されているか否かを判断する。
【０３１７】
当該カードデータの口座番号が口座データ記憶部５０４Ｆに記憶されており、かつ、取引要求信号に含まれる暗証番号が当該口座番号に対応する暗証番号として口座データ記憶部５０４Ｆに記憶されていた場合、制御部５０５Ｆは当該口座の取引可能金額と取引金額とを比較し、取引可能金額が取引金額より多いかどうかを判断する。
【０３１８】
制御部５０５Ｆは、カードデータの口座番号が口座データ記憶部５０４Ｄに記憶されていなかった場合、暗証番号が当該カードデータの口座番号に対応する暗証番号として口座データ記憶部５０４Ｆに記憶されていなかった場合、取引金額より取引可能金額が少ない場合、のいずれか一つを満たしたとき、それぞれの場合に応じたエラーコードを付与した不許可信号を通信制御部５０３Ｆに出力する。
なお、制御部５０５Ｆは、カードデータの口座番号が口座データ記憶部５０４Ｆに記憶されており、かつ暗証番号が当該カードデータの口座番号に対応する暗証番号として口座データ記憶部５０４Ｆに記憶されており、かつ取引金額より取引可能金額が多かった場合、通信制御部５０３Ｆに、当該取引きを許可する許可信号を通信制御部５０３Ｆに出力するとともに、口座データ記憶部５０４Ｆへ当該取引要求信号に含まれるカードデータ、取引コード、振替先口座番号、取引金額を含む取引データを出力する。
口座データ記憶部５０４Ｆは、制御部５０５Ｆからの取引データが入力すると、当該取引データに含まれる振替先口座番号の取引データとして当該取引データを記憶する。
制御部５０５Ｆからの許可信号または不許可信号が入力した通信制御部５０３Ｆは、通信回線を介して当該入力信号を金融機関Ｄの処理装置５Ｄへ送信する。
【０３１９】
金融機関Ｄの処理装置５Ｄの第２の通信制御部５０３Ｄは、金融機関ネットワーク４を介して金融機関Ｆの処理装置５Ｆからの許可信号または不許可信号を受信すると、当該受信信号を制御部５０５Ｄへ出力する。
【０３２０】
記憶部５０５Ｄは、振替先口座番号が口座データ記憶部５０４Ｄに記憶されていなかった場合、または、第２の通信制御部５０３Ｄから不許可信号を入力した場合は、それぞれの場合に応じたエラーコードを付与した不許可信号を第１の通信制御部５０１Ｄに出力する。
なお、制御部５０５Ｄは、振替先口座番号が口座データ記憶部５０４Ｄに記憶されており、かつ第２の通信制御部５０３Ｄからの許可信号が入力した場合は、第１の通信制御部５０１Ｄに、当該取引き可能であることを示す許可信号を出力するとともに、口座データ記憶部５０４Ｄへ当該取引要求信号に含まれるカードデータ、取引コード、振替先口座番号、取引金額を含む取引データを出力する。
口座データ記憶部５０４Ｄは、制御部５０５Ｄからの取引データが入力すると、当該取引データに含まれるカードデータの口座番号の取引データとして当該取引データを記憶する。
制御部５０５Ｄからの許可信号または不許可信号が入力した第１の通信制御部５０１Ｄは、通信回線を介して当該入力信号を管理装置２ｂに送信する。
【０３２１】
管理装置２ｂの通信制御部２０５Ｄは、金融機関Ｄの処理装置５Ｄからの許可信号または不許可信号を受信すると、当該受信信号を制御部２０８ｂへ出力する。
【０３２２】
制御部２０８ｂは、通信制御部２０５Ｄからの許可信号または不許可信号が入力すると、当該入力信号を通信制御部２０１ｂへ出力する。このとき、通信履歴記憶部２０６は、当該許可信号または不許可信号と通信先コードを記憶する。
【０３２３】
通信制御部２０１ｂは、制御部２０８ｂから入力した許可信号または不許可信号を自動取引装置１Ｄへ通信回線を介して送信する。
【０３２４】
自動取引装置１Ｄの通信制御部１０６Ｄは、管理装置２ｂからの許可信号または不許可信号を受信すると、制御部１１１Ｄに当該受信信号を出力する。
制御部１１１Ｄは、通信制御部１０６Ｄからの許可信号が入力すると、自動取引装置毎に予め付与されている識別情報、カードデータ、取引コード、振替先金融機関コード、振替先口座番号、取引金額を含む取引データを通信制御部１０６Ｄおよび取引きデータ記憶部１０８へ出力する。また、制御部１１１ａは、表示部１０１に取引が行われたことを利用者に報せる表示データを出力するとともに、カードリーダ１０３のカード排出部よりカードを排出させる。
【０３２５】
取引データ記憶部１０８は、制御部１１１Ｄからの取引データが入力すると、当該取引データを記憶する。
表示部１０１は、制御部１１１Ｄからの表示データが入力すると、当該表示データに応じて取引が行われたことを文字や図によって表示し、利用者に報知する。また、カードリーダ１０３は挿入されたカードを排出する。
【０３２６】
利用者は、表示部１０１に表示された内容を確認し、カードリーダ１０３より排出されたカードを取り出す。
【０３２７】
通信制御部１０６Ｄは、制御部１１１Ｄからの取引データが入力すると、当該データを管理装置２ｂへ送信する。
【０３２８】
管理装置２ｂの通信制御部２０１ｂは、自動取引装置１Ｄからの取引データを受信すると、当該取引データを制御部２０８ｂへ出力する。
【０３２９】
制御部２０８ｂは、通信制御部２０１ｂからの取引データが入力すると、当該取引データを取引データ記憶部２０２を構成する第１の取引データ記憶部に出力する。
【０３３０】
第１の取引データ記憶部は、制御部２０８ｂからの取引データが入力すると、当該取引データを記憶する。
【０３３１】
なお、制御部１１１ａＤは、通信制御部１０６Ｄからの確認不可信号または不許可信号が入力すると、エラーコードに示される理由によって取引ができないことを表示させるための表示データを表示部１０１へ出力するとともに、カードリーダ１０３のカード排出部に挿入されたカードを排出させ、当該取引きを終了する。
【０３３２】
表示部１０１は、制御部１１１Ｄからの表示データが入力すると当該表示データに応じて取引ができないことを文字や図により表示し利用者へ報知する。また、カードリーダ１０３のカード排出部は挿入されたカードを排出する
（３）  金融機関Fから金融機関F（他行から他行）への振替
金融機関Fのカードを保有している利用者が、予め金融機関Fより発行されたカードを用い、自動取引装置１Ｄを利用して前記カードに対応する金融機関Fの口座から金融機関Fの口座に振替を行う場合、まず利用者は、入力部１０２より表示部１０１に表示された取引メニューのうち、「振替」を選択する。すると入力部１０２は「振替」が選択されたことを示す選択信号を制御部１１１Ｄに対して出力する。
【０３３３】
制御部１１１Ｄは、入力部１０２からの選択信号が入力すると、カードの挿入および暗証番号の入力、振替金額、振替先の金融機関および口座番号を入力するよう促すメッセージを表示させるための表示データを表示部１０１に出力する。
【０３３４】
表示部１０１は、制御部１１１Ｄからの表示データが入力すると、利用者に対しカードの挿入および暗証番号の入力、振替金額、振替先金融機関および振替先口座番号の選択を促すメッセージを文字または図により表示する。
【０３３５】
このメッセージを見た利用者はカードリーダ１０３へ自己の保有するカードを挿入し、入力部１０２より挿入したカードに対応する暗証番号、振替金額、振替先金融機関および振替先口座番号を入力する。
【０３３６】
カードが挿入されたカードリーダ１０３は、カードに記録されているデータを読取り制御部１１１Ｄに出力する。また入力部１０２は、利用者が入力した暗証番号および振替金額、利用者が選択した金融機関の金融機関コードおよび口座番号を１１１Ｄに出力する。
【０３３７】
制御部１１１Ｄは、カードリーダ１０３および入力部１０２からのカードデータ、暗証番号、振替金額、振替先金融機関コード、振替先口座番号が入力すると、金融機関記憶部１０７に記憶されている通信先コードを読み込む。そして、当該通信先コード、取引コード、カードデータ、暗証番号、振替先金融機関コード、振替先口座番号、取引金額を含む確認要求信号を通信制御部１０６Ｄへ出力する。
【０３３８】
通信制御部１０６Ｄは、制御部１１１Ｄからの確認要求信号が入力すると、当該確認要求信号を通信回線を介して管理装置２ｂへ送信する。
【０３３９】
管理装置２ｂの通信制御部２０１ｂは、自動取引装置１Ｄからの確認要求信号を受信すると、当該確認要求信号を制御部２０８ｂへ出力する。
【０３４０】
制御部２０８ｂは、通信制御部２０１ｂからの確認要求信号が入力すると、当該確認要求信号に含まれる通信先コードがどの金融機関を示すものであるかを確認する。ここで、通信先コードは金融機関Ｄを示すものあるため、制御部２０８ｂは、当該確認要求信号を通信制御部２０５Ｄに出力する。
【０３４１】
通信制御部２０５Ｄは、制御部２０８ｂからの確認要求信号が入力すると、通信回線を介して金融機関Ｄの処理装置５Ｄへカードデータ、暗証番号、取引コード、振替先金融機関コード、振替先口座番号、取引金額を含む確認要求信号を送信する。このとき、通信履歴記憶部２０６ｂは、当該確認要求信号および通信先コードを記憶する。
【０３４２】
金融機関Ｄの処理装置５Ｄの第１の通信制御部５０１Ｄは、通信回線を介して管理装置２ｂからの確認要求信号を受信すると、当該確認要求信号を制御部５０５Ｄへ出力する。
制御部５０５Ｄは、第１の通信制御部５０１Ｄからの確認要求信号が入力すると、当該確認要求信号に含まれるカードデータの金融機関コードおよび振替先金融機関コードがどの金融機関を示すものであるかを確認する。カードデータの金融機関コードは金融機関Fの金融機関コードであるため、制御部５０５Ｄは、カードデータ、暗証番号、振替先金融機関コード、振替先口座番号、取引コードを含む確認要求信号を第２の通信制御部５０３Ｄヘ出力する。
【０３４３】
第２の通信制御部５０３Ｄは、制御部５０５Ｄからの確認要求信号が入力すると、当該確認要求信号に含まれるカードデータまたは振替先の金融機関コードをもとに、通信手順記憶部５０２Ｄに記憶している通信手順のうち、当該金融機関コードに対応する金融機関との通信手順、つまり、金融機関Ｆの処理装置５Ｆとの通信手順を読込み、読込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ確認要求信号を送信する。
【０３４４】
金融機関Ｆの通信制御部５０３Ｆは、金融機関ネットワーク４を介して金融機関Ｄの処理装置５Ｄからの確認要求信号を受信すると、当該確認要求信号を制御部５０５Ｆへ出力する。
【０３４５】
制御部５０５Ｆは、通信制御部５０３Ｆからの確認要求信号が入力すると、当該確認要求信号に含まれるカードデータの金融機関コードおよび振替先金融機関コードが自金融機関コードと一致するかを確認し、カードデータの口座番号と振替先口座番号が口座データ記憶部５０４Ｆに記憶されているか否か、および、確認要求信号に含まれる暗証番号が当該カードデータの口座番号に対応する暗証番号として口座データ記憶部５０４Ｆに記憶されているか否かを判断する。
【０３４６】
当該カードデータの口座番号が口座データ記憶部５０４Ｆに記憶されており、かつ、確認要求信号に含まれる暗証番号が当該口座番号に対応する暗証番号として口座データ記憶部５０４Ｆに記憶され、さらに、当該振替先口座番号が口座データ記憶部５０４Ｆに記憶されていた場合、制御部５０５Ｆは当該口座の取引可能金額と取引金額とを比較し、取引可能金額が取引金額より多いかどうかを判断する。
制御部５０５Ｆは、カードデータの口座番号および振替先口座番号が口座データ記憶部５０４Ｆに記憶され、かつ、確認要求信号に含まれる暗証番号が当該カードデータの口座番号に対応する暗証番号として口座データ記憶部５０４Ｆに記憶され、さらに、取引可能金額が取引金額よりも多かった場合、振替先の口座名を含む確認信号を通信制御部５０３Ｆに出力する。
なお、制御部５０５Ｆは、カードデータの口座番号が口座データ記憶部５０４Ｆに記憶されていない、または、確認要求信号に含まれる暗証番号が当該カードデータの口座番号に対応する暗証番号として口座データ記憶部５０４Ｆに記憶されていない、または、振替先口座番号が口座データ記憶部５０４Ｆに記憶されていない場合、または、振替先の口座番号が記憶されていない、あるいは、取引金額が取引可能金額よりも多かった場合、其々の場合に応じたエラーコードを付した確認不可信号を通信制御部５０３Ｆに出力する。
【０３４７】
制御部５０５Ｆからの確認信号または確認不可信号が入力した通信制御部５０３Ｆは、当該入力信号を金融機関ネットワーク４を介して金融機関Ｄの処理装置５Ｄに送信する。
【０３４８】
金融機関Ｄの処理装置５Ｄの第２の通信制御部５０３Ｄは、金融機関ネットワーク４を介して金融機関Ｆの処理装置５Ｆからの確認信号または確認不可信号を受信すると、当該受信信号を制御部５０５Ｄへ出力する。
【０３４９】
制御部５０５Ｄは、第２の通信制御部５０３Ｄからの確認信号または確認不可信号が入力すると、当該入力信号を第１の通信制御部５０１Ｄに出力する。
【０３５０】
制御部５０５Ｄからの確認信号または確認不可信号が入力した第１の通信制御部５０１Ｄは、通信回線を介して当該入力信号を管理装置２ｂに送信する。
【０３５１】
管理装置２ｂの通信制御部２０５Ｄは、金融機関Ｄの処理装置５Ｄからの確認信号または確認不可信号を受信すると、当該受信信号を制御部２０８ｂへ出力する。
【０３５２】
制御部２０８ｂは、通信制御部２０５Ｄからの確認信号または確認不可信号が入力すると、当該入力信号を通信制御部２０１ｂへ出力する。このとき、通信履歴記憶部２０６は、当該確認信号または確認不可信号と通信先コードを記憶する。
【０３５３】
通信制御部２０１ｂは、制御部２０８ｂから入力した確認信号または確認不可信号を自動取引装置１Ｄへ通信回線を介して送信する。
【０３５４】
自動取引装置１Ｄの通信制御部１０６Ｄは、管理装置２ｂからの確認信号または確認不可信号を受信すると、制御部１１１Ｄに当該受信信号を出力する。
【０３５５】
制御部１１１Ｄは、通信制御部１０６Ｄから確認信号が入力すると、当該確認信号に付与された当該口座番号および当該口座番号の口座名、この口座に振替を行うか否かを問うメッセージを表示させるための表示データを表示部１０１に出力する。
【０３５６】
制御部１１１Ｄから表示データを入力した表示部１０１は、利用者に対しこの口座に振替を行うか行わないかの選択を促すメッセージを表示する。
【０３５７】
このメッセージを見た利用者は、入力部１０２より当該口座に振替を行うもしくは行わないのいずれかを選択する。
【０３５８】
利用者が振替を行う旨を選択した場合、入力部１０２より振込を行うという選択を入力した制御部１１１Ｄは、カードデータ、暗証番号、取引コード、振替先金融機関コード、振替先口座番号、取引金額を取引要求信号として通信制御部１０６Ｄへ出力する。
【０３５９】
通信制御部１０６Ｄは、制御部１１１Ｄからの取引要求信号が入力すると、制御部１１１Ｄから入力した取引要求信号を通信回線を介して管理装置２ｂへ送信する。
【０３６０】
管理装置２ｂの通信制御部２０１ｂは、自動取引装置１Ｄからの取引要求信号を受信すると、当該取引要求信号を制御部２０８ｂへ出力する。
制御部２０８ｂは、通信制御部２０１ｂからの取引要求信号が入力すると、当該取引要求信号に含まれる通信先コードがどの金融機関を示すものであるか判断する。ここで、通信先コードは金融機関Ｄを示すものであるため、制御部２０８ｂは、当該取引要求信号を通信制御部２０５Ｄに出力する。
【０３６１】
通信制御部２０５Ｄは、通信回線を介して金融機関Ｄの処理装置５Ｄへ取引要求信号を送信する。このとき、通信履歴記憶部２０６ｂは、当該取引要求信号および通信先コードを記憶する。
【０３６２】
金融機関Ｄの処理装置５Ｄの第１の通信制御部５０１Ｄは、通信回線を介して管理装置２ｂからの取引要求信号を受信すると、当該取引要求信号を制御部５０５Ｄへ出力する。
制御部５０５Ｄは、第１の通信制御部５０１Ｄからの取引要求信号が入力すると、当該取引要求信号に含まれるカードデータの金融機関コードおよび振替先金融機関コードが自金融機関コードと一致するかを確認し、カードデータの口座番号と振替先口座番号が口座データ記憶部５０４Ｆに記憶されているか否か、および、取引要求信号に含まれる暗証番号が当該カードデータの口座番号に対応する暗証番号として口座データ記憶部５０４Ｆに記憶されているか否かを判断する。
【０３６３】
当該カードデータの口座番号が口座データ記憶部５０４Ｆに記憶されており、かつ、取引要求信号に含まれる暗証番号が当該口座番号に対応する暗証番号として口座データ記憶部５０４Ｆに記憶され、さらに、当該振替先口座番号が口座データ記憶部５０４Ｆに記憶されていた場合、制御部５０５Ｆは当該口座の取引可能金額と取引金額とを比較し、取引可能金額が取引金額より多いかどうかを判断する。
制御部５０５Ｆは、カードデータの口座番号および振替先口座番号が口座データ記憶部５０４Ｆに記憶され、かつ、取引要求信号に含まれる暗証番号が当該カードデータの口座番号に対応する暗証番号として口座データ記憶部５０４Ｆに記憶され、さらに、取引可能金額が取引金額よりも多かった場合、当該取引きを許可する許可信号を通信制御部５０３Ｆに出力する。また、カードデータ、取引コード、振替先金融機関コード、振替先口座番号、取引金額を含む取引データを口座データ記憶部５０４Ｆへ出力する。
口座データ記憶部５０４Ｆは、制御部５０４Ｆからの取引データが入力すると、取引きデータに含まれるカードデータおよび振替先口座番号の取引データとして当該取引データを記憶する。
なお、制御部５０５Ｆは、カードデータの口座番号が口座データ記憶部５０４Ｆに記憶されていない、または、取引要求信号に含まれる暗証番号が当該カードデータの口座番号に対応する暗証番号として口座データ記憶部５０４Ｆに記憶されていない、または、振替先口座番号が口座データ記憶部５０４Ｆに記憶されていない場合、または、振替先の口座番号が記憶されていない、あるいは、取引金額が取引可能金額よりも多かった場合、其々の場合に応じたエラーコードを付した不許可信号を通信制御部５０３Ｆに出力する。
【０３６４】
制御部５０５Ｆからの許可信号または不許可信号が入力した通信制御部５０３Ｆは、当該入力信号を金融機関ネットワーク４を介して金融機関Ｄの処理装置５Ｄに送信する。
【０３６５】
金融機関Ｄの処理装置５Ｄの第２の通信制御部５０３Ｄは、金融機関ネットワーク４を介して金融機関Ｆの処理装置５Ｆからの許可信号または不許可信号を受信すると、当該受信信号を制御部５０５Ｄへ出力する。
【０３６６】
制御部５０５Ｄは、第２の通信制御部５０３Ｄからの許可信号または不許可信号が入力すると、当該入力信号を第１の通信制御部５０１Ｄに出力する。
【０３６７】
制御部５０５Ｄからの許可信号または不許可信号が入力した第１の通信制御部５０１Ｄは、通信回線を介して当該入力信号を管理装置２ｂに送信する。
【０３６８】
管理装置２ｂの通信制御部２０５Ｄは、金融機関Ｄの処理装置５Ｄからの許可信号または不許可信号を受信すると、当該受信信号を制御部２０８ｂへ出力する。
【０３６９】
制御部２０８ｂは、通信制御部２０５Ｄからの許可信号または不許可信号が入力すると、当該入力信号を通信制御部２０１ｂへ出力する。このとき、通信履歴記憶部２０６は、当該許可信号または不許可信号と通信先コードを記憶する。
【０３７０】
通信制御部２０１ｂは、制御部２０８ｂから入力した許可信号または不許可信号を自動取引装置１Ｄへ通信回線を介して送信する。
【０３７１】
自動取引装置１Ｄの通信制御部１０６Ｄは、管理装置２ｂからの許可信号または不許可信号を受信すると、制御部１１１Ｄに当該受信信号を出力する。
【０３７２】
制御部１１１Ｄは、通信制御部１０６Ｄからの許可信号が入力すると、自動取引装置毎に予め付与されている識別情報、カードデータ、取引コード、振替先金融機関コード、振替先口座番号、取引金額を含む取引データを通信制御部１０６Ｄおよび取引データ記憶部１０８へ出力する。また、制御部１１１ａは、表示部１０１に取引が行われたことを利用者に報せる表示データを出力するとともに、カードリーダ１０３のカード排出部よりカードを排出させる。
【０３７３】
取引データ記憶部１０８は、制御部１１１Ｄからの取引データが入力すると、当該取引データを記憶する。
表示部１０１は、制御部１１１Ｄからの表示データが入力すると、当該表示データに応じて取引が行われたことを文字や図によって表示し、利用者に報知する。また、カードリーダ１０３は挿入されたカードを排出する。
【０３７４】
利用者は、表示部１０１に表示された内容を確認し、カードリーダ１０３より排出されたカードを取り出す。
【０３７５】
通信制御部１０６Ｄは、制御部１１１Ｄからの取引データが入力すると、当該データを管理装置２ｂへ送信する。
【０３７６】
管理装置２ｂの通信制御部２０１ｂは、自動取引装置１Ｄからの取引データを受信すると、当該取引データを制御部２０８ｂへ出力する。
【０３７７】
制御部２０８ｂは、通信制御部２０１ｂからの取引データが入力すると、当該取引データを取引データ記憶部２０２を構成する第１の取引データ記憶部に出力する。
【０３７８】
第１の取引データ記憶部は、制御部２０８ｂからの取引データが入力すると、当該取引データを記憶する。
【０３７９】
なお、制御部１１１Ｄは、通信制御部１０６Ｄからの確認不可信号または不許可信号が入力すると、エラーコードに示される理由によって取引ができないことを表示させるための表示データを表示部１０１へ出力するとともに、カードリーダ１０３のカード排出部に挿入されたカードを排出させ、当該取引きを終了する。
【０３８０】
表示部１０１は、制御部１１１Ｄからの表示データが入力すると当該表示データに応じて取引ができないことを文字や図により表示し利用者へ報知する。また、カードリーダ１０３のカード排出部は挿入されたカードを排出する
（３）  金融機関Ｆから金融機関Ｅ（他行から他の他行）への振替
金融機関Ｆのカードを保有している利用者が、予め金融機関Ｆより発行されたカードを用い、自動取引装置１Ｄを利用して前記カードに対応する金融機関Ｆの口座から金融機関Ｅの口座に振替を行う場合、まず利用者は、入力部１０２より表示部１０１に表示された取引メニューのうち、「振替」を選択する。すると入力部１０２は「振替」が選択されたことを示す選択信号を制御部１１１Ｄに対して出力する。
【０３８１】
制御部１１１Ｄは、入力部１０２からの選択信号が入力すると、カードの挿入および暗証番号の入力、振替金額、振替先の金融機関および口座番号を入力するよう促すメッセージを表示させるための表示データを表示部１０１に出力する。
【０３８２】
表示部１０１は、制御部１１１Ｄからの表示データが入力すると、利用者に対しカードの挿入および暗証番号の入力、振替金額、振替先金融機関および振替先口座番号の選択を促すメッセージを文字または図により表示する。
【０３８３】
このメッセージを見た利用者はカードリーダ１０３へ自己の保有するカードを挿入し、入力部１０２より挿入したカードに対応する暗証番号、振替金額、振替先金融機関および振替先口座番号を入力する。
【０３８４】
カードが挿入されたカードリーダ１０３は、カードに記録されているデータを読取り制御部１１１Ｄに出力する。また入力部１０２は、利用者が入力した暗証番号および振替金額、利用者が選択した金融機関の金融機関コードおよび口座番号を１１１Ｄに出力する。
【０３８５】
制御部１１１Ｄは、カードリーダ１０３および入力部１０２からのカードデータ、暗証番号、振替金額、振替先金融機関コード、振替先口座番号が入力すると、金融機関記憶部１０７に記憶されている通信先コードを読み込む。そして、当該通信先コード、取引コード、カードデータ、暗証番号、振替先金融機関コード、振替先口座番号、取引金額を含む確認要求信号を通信制御部１０６Ｄへ出力する。
【０３８６】
通信制御部１０６Ｄは、制御部１１１Ｄからの確認要求信号が入力すると、当該確認要求信号を通信回線を介して管理装置２ｂへ送信する。
【０３８７】
管理装置２ｂの通信制御部２０１ｂは、自動取引装置１Ｄからの確認要求信号を受信すると、当該確認要求信号を制御部２０８ｂへ出力する。
【０３８８】
制御部２０８ｂは、通信制御部２０１ｂからの確認要求信号が入力すると、当該確認要求信号に含まれる通信先コードがどの金融機関を示すものであるかを確認する。ここで、通信先コードは金融機関Ｄを示すものあるため、制御部２０８ｂは、当該確認要求信号を通信制御部２０５Ｄに出力する。
【０３８９】
通信制御部２０５Ｄは、制御部２０８ｂからの確認要求信号が入力すると、通信回線を介して金融機関Ｄの処理装置５Ｄへカードデータ、暗証番号、取引コード、振替先金融機関コード、振替先口座番号、取引金額を含む確認要求信号を送信する。このとき、通信履歴記憶部２０６ｂは、当該確認要求信号および通信先コードを記憶する。
【０３９０】
金融機関Ｄの処理装置５Ｄの第１の通信制御部５０１Ｄは、通信回線を介して管理装置２ｂからの確認要求信号を受信すると、当該確認要求信号を制御部５０５Ｄへ出力する。
制御部５０５Ｄは、第１の通信制御部５０１Ｄからの確認要求信号が入力すると、当該確認要求信号に含まれるカードデータの金融機関コードおよび振替先金融機関コードがどの金融機関を示すものであるかを確認する。ここで、カードデータの金融機関コードは金融機関Ｆの金融機関コードであり、振替先金融機関コードは金融機関Ｅの金融機関コードである。
カードデータの金融機関コードが金融機関Ｆの金融機関コードであるため、制御部５０５Ｄは、カードデータ、暗証番号、取引コード、取引金額を含む確認要求信号を第２の通信制御部５０３Ｄヘ出力する。
【０３９１】
第２の通信制御部５０３Ｄは、制御部５０５Ｄからの取引要求信号が入力すると、当該確認要求信号に含まれるカードデータの金融機関コードをもとに、通信手順記憶部５０２Ｄに記憶している通信手順のうち、当該金融機関コードに対応する金融機関との通信手順、つまり、金融機関Ｆの処理装置５Ｆとの通信手順を読込み、読込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ確認要求信号を送信する。
【０３９２】
金融機関Ｆの通信制御部５０３Ｆは、金融機関ネットワーク４を介して金融機関Ｄの処理装置５Ｄからの確認要求信号を受信すると、当該確認要求信号を制御部５０５Ｆへ出力する。
【０３９３】
制御部５０５Ｆは、通信制御部５０３Ｆからの確認要求信号が入力すると、当該確認要求信号に含まれるカードデータの口座番号が口座データ記憶部５０４Ｆに記憶されており、かつ、確認要求信号に含まれる暗証番号が当該口座番号に対応する暗証番号として口座データ記憶部５０４Ｆに記憶されていた場合、制御部５０５Ｆは当該口座の取引可能金額と取引金額とを比較し、取引可能金額が取引金額より多いかどうかを判断する。
【０３９４】
制御部５０５Ｆは、カードデータの口座番号が口座データ記憶部５０４Ｆに記憶されていなかった場合、確認要求信号に含まれる暗証番号が当該カードデータの口座番号に対応する暗証番号として口座データ記憶部５０４Ｆに記憶されていなかった場合、取引金額より取引可能金額が少ない場合、のいずれか一つを満たしたとき、それぞれの場合に応じたエラーコードを付与した確認不可信号を通信制御部５０３Ｆに出力する。
なお、制御部５０５Ｆは、カードデータの口座番号が口座データ記憶部５０４Ｆに記憶されており、かつ確認要求信号に含まれる暗証番号が当該カードデータの口座番号に対応する暗証番号として口座データ記憶部５０４Ｆに記憶されており、かつ取引金額より取引可能金額が多かった場合、通信制御部５０３Ｆに、当該口座番号の口座名を付した確認信号を出力する。
【０３９５】
制御部５０５Ｆからの確認信号または確認不可信号が入力した通信制御部５０３Ｆは、通信回線を介して当該入力信号を金融機関Ｄの処理装置５Ｄに送信する。
また、確認要求信号に含まれる振替先金融機関コードは金融機関Ｅを示すものであるため、制御部５０５Ｄは、振替先金融機関コード、振替先口座番号、取引コードを含む確認要求信号を第２の通信制御部５０３Ｄヘ出力する。
【０３９６】
第２の通信制御部５０３Ｄは、制御部５０５Ｄからの取引要求信号が入力すると、当該確認要求信号に含まれる振替先の金融機関コードをもとに、通信手順記憶部５０２Ｄに記憶している通信手順のうち、当該金融機関コードに対応する金融機関の処理装置との通信手順、つまり、金融機関Ｅの処理装置５Ｅとの通信手順を読込み、読込んだ通信手順にしたがって金融機関ネットワーク４を介して金融機関Ｅの処理装置５Ｅとの通信回線の接続動作を行う。そして、金融機関Ｅの処理装置５Ｅとの間の通信回線が接続されると、金融機関Ｅの処理装置５Ｅへ確認要求信号を送信する。
【０３９７】
金融機関Ｅの処理装置５Ｅの第2の通信制御部５０３Ｅは、金融機関ネットワーク４を介して金融機関Ｄの処理装置５Ｄからの確認要求信号を受信すると、当該確認要求信号を制御部５０５Ｅへ出力する。
【０３９８】
制御部５０５Ｅは、第2の通信制御部５０３Ｅからの確認要求信号が入力すると、当該確認要求信号に含まれる振替先の口座番号が口座データ記憶部５０４Ｅに記憶されているか否かを確認する。
【０３９９】
制御部５０５Ｅは、振替先の口座番号が口座データ記憶部５０４Ｅに記憶されていなかった場合、その旨を示すエラーコードを付与した確認不可信号を第2の通信制御部５０３Ｅに出力する。
なお、制御部５０５Ｅは、振替先の口座番号が口座データ記憶部５０４Ｅに記憶されていた場合は、第2の通信制御部５０３Ｅに、当該口座番号の口座名を付した確認信号を出力する。
【０４００】
制御部５０５Ｅからの確認信号または確認不可信号が入力した第2の通信制御部５０３Ｅは、通信回線を介して当該入力信号を金融機関Ｄの処理装置５Ｄに送信する。
【０４０１】
金融機関Ｄの処理装置５Ｄの第２の通信制御部５０３Ｄは、金融機関ネットワーク４を介して金融機関Ｆの処理装置５Ｆおよび金融機関Ｅの処理装置５Ｅからの確認信号または確認不可信号を受信すると、当該受信信号を制御部５０５Ｄへ出力する。
記憶部５０５Ｄは、金融機関Ｆの処理装置５Ｆまたは金融機関Ｅの処理装置５Ｅからの確認不可信号が第2の通信制御部５０３Ｄを介して入力した場合は、当該確認不可信号を第１の通信制御部５０１Ｄに出力する。
なお、制御部５０５Ｄは、金融機関Ｆの処理装置５Ｆおよび金融機関Ｅの処理装置５Ｅからの確認信号が第2の通信制御部５０３Ｄを介して入力した場合は、当該確認信号を第１の通信制御部５０１Ｄに出力する。
【０４０２】
制御部５０５Ｄからの確認信号または確認不可信号が入力した第１の通信制御部５０１Ｄは、通信回線を介して当該入力信号を管理装置２ｂに送信する。
【０４０３】
管理装置２ｂの通信制御部２０５Ｄは、金融機関Ｄの処理装置５Ｄからの確認信号または確認不可信号を受信すると、当該受信信号を制御部２０８ｂへ出力する。
【０４０４】
制御部２０８ｂは、通信制御部２０５Ｄからの確認信号または確認不可信号が入力すると、当該入力信号を通信制御部２０１ｂへ出力する。このとき、通信履歴記憶部２０６は、当該確認信号または確認不可信号と通信先コードを記憶する。
【０４０５】
通信制御部２０１ｂは、制御部２０８ｂから入力した確認信号または確認不可信号を自動取引装置１Ｄへ通信回線を介して送信する。
【０４０６】
自動取引装置１Ｄの通信制御部１０６Ｄは、管理装置２ｂからの確認信号または確認不可信号を受信すると、制御部１１１Ｄに当該受信信号を出力する。
【０４０７】
制御部１１１Ｄは、通信制御部１０６Ｄから確認信号が入力すると、当該確認信号に付与された当該口座番号および当該口座番号の口座名、この口座に振替を行うか否かを問うメッセージを表示させるための表示データを表示部１０１に出力する。
【０４０８】
制御部１１１Ｄから表示データを入力した表示部１０１は、利用者に対しこの口座に振替を行うか行わないかの選択を促すメッセージを表示する。
【０４０９】
このメッセージを見た利用者は、入力部１０２より当該口座に振替を行うもしくは行わないのいずれかを選択する。
【０４１０】
利用者が振替を行う旨を選択した場合、入力部１０２より振込を行うという選択を入力した制御部１１１Ｄは、カードデータ、暗証番号、取引コード、振替先金融機関コード、振替先口座番号、取引金額を取引要求信号として通信制御部１０６Ｄへ出力する。
【０４１１】
通信制御部１０６Ｄは、制御部１１１Ｄからの取引要求信号が入力すると、制御部１１１Ｄから入力した取引要求信号を通信回線を介して管理装置２ｂへ送信する。
【０４１２】
管理装置２ｂの通信制御部２０１ｂは、自動取引装置１Ｄからの取引要求信号を受信すると、当該取引要求信号を制御部２０８ｂへ出力する。
制御部２０８ｂは、通信制御部２０１ｂからの取引要求信号が入力すると、当該取引要求信号に含まれる通信先コードがどの金融機関を示すものであるか判断する。ここで、通信先コードは金融機関Ｄを示すものであるため、制御部２０８ｂは、当該取引要求信号を通信制御部２０５Ｄに出力する。
【０４１３】
通信制御部２０５Ｄは、通信回線を介して金融機関Ｄの処理装置５Ｄへ取引要求信号を送信する。このとき、通信履歴記憶部２０６ｂは、当該取引要求信号および通信先コードを記憶する。
【０４１４】
金融機関Ｄの処理装置５Ｄの第１の通信制御部５０１Ｄは、通信回線を介して管理装置２ｂからの取引要求信号を受信すると、当該取引要求信号を制御部５０５Ｄへ出力する。
制御部５０５Ｄは、第１の通信制御部５０１Ｄからの取引要求信号が入力すると、当該取引要求信号に含まれるカードデータの金融機関コードおよび振替先金融機関コードがどの金融機関を示すものであるかを確認する。ここで、カードデータの金融機関コードは金融機関Ｆの金融機関コードであり、振替先金融機関コードは金融機関Ｅの金融機関コードである。
カードデータの金融機関コードが金融機関Ｆの金融機関コードであるため、制御部５０５Ｄは、カードデータ、暗証番号、取引コード、取引金額を含む取引要求信号を第２の通信制御部５０３Ｄヘ出力する。
【０４１５】
第２の通信制御部５０３Ｄは、制御部５０５Ｄからの取引要求信号が入力すると、当該取引要求信号に含まれるカードデータの金融機関コードをもとに、通信手順記憶部５０２Ｄに記憶している通信手順のうち、当該金融機関コードに対応する金融機関との通信手順、つまり、金融機関Ｆの処理装置５Ｆとの通信手順を読込み、読込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ取引要求信号を送信する。
【０４１６】
金融機関Ｆの通信制御部５０３Ｆは、金融機関ネットワーク４を介して金融機関Ｄの処理装置５Ｄからの取引要求信号を受信すると、当該取引要求信号を制御部５０５Ｆへ出力する。
【０４１７】
制御部５０５Ｆは、通信制御部５０３Ｆからの取引要求信号が入力すると、当該取引要求信号に含まれるカードデータの口座番号が口座データ記憶部５０４Ｆに記憶されており、かつ、取引要求信号に含まれる暗証番号が当該口座番号に対応する暗証番号として口座データ記憶部５０４Ｆに記憶されていた場合、制御部５０５Ｆは当該口座の取引可能金額と取引金額とを比較し、取引可能金額が取引金額より多いかどうかを判断する。
【０４１８】
制御部５０５Ｆは、カードデータの口座番号が口座データ記憶部５０４Ｆに記憶されていなかった場合、取引要求信号に含まれる暗証番号が当該カードデータの口座番号に対応する暗証番号として口座データ記憶部５０４Ｆに記憶されていなかった場合、取引金額より取引可能金額が少ない場合、のいずれか一つを満たしたとき、それぞれの場合に応じたエラーコードを付与した不許可信号を通信制御部５０３Ｆに出力する。
なお、制御部５０５Ｆは、カードデータの口座番号が口座データ記憶部５０４Ｆに記憶されており、かつ取引要求信号に含まれる暗証番号が当該カードデータの口座番号に対応する暗証番号として口座データ記憶部５０４Ｆに記憶されており、かつ取引金額より取引可能金額が多かった場合、通信制御部５０３Ｆに当該取引きを許可する許可信号を出力するとともに、口座データ記憶部５０４Ｆへ当該取引要求信号に含まれるカードデータ、取引コード、振替先口座番号、取引金額を含む取引データを出力する。
口座データ記憶部５０４Ｆは、制御部５０５Ｆからの取引データが入力すると、当該取引データに含まれるカードデータの口座番号の取引データとして当該取引データを記憶する。
制御部５０５Ｆからの許可信号または不許可信号が入力した通信制御部５０３Ｆは、通信回線を介して当該入力信号を金融機関Ｄの処理装置５Ｄに送信する。
また、処理装置５Ｄの制御部５０５Ｄは、取引要求信号に含まれる振替先金融機関コードは金融機関Ｅを示すものであるため、振替先金融機関コード、振替先口座番号、取引コードを含む取引要求信号を第２の通信制御部５０３Ｄヘ出力する。
【０４１９】
第２の通信制御部５０３Ｄは、制御部５０５Ｄからの取引要求信号が入力すると、当該取引要求信号に含まれる振替先の金融機関コードをもとに、通信手順記憶部５０２Ｄに記憶している通信手順のうち、当該金融機関コードに対応する金融機関の処理装置との通信手順、つまり、金融機関Ｅの処理装置５Ｅとの通信手順を読込み、読込んだ通信手順にしたがって金融機関ネットワーク４を介して金融機関Ｅの処理装置５Ｅとの通信回線の接続動作を行う。そして、金融機関Ｅの処理装置５Ｅとの間の通信回線が接続されると、金融機関Ｅの処理装置５Ｅへ取引要求信号を送信する。
【０４２０】
金融機関Ｅの処理装置５Ｅの第2の通信制御部５０３Ｅは、金融機関ネットワーク４を介して金融機関Ｄの処理装置５Ｄからの取引要求信号を受信すると、当該取引要求信号を制御部５０５Ｅへ出力する。
【０４２１】
制御部５０５Ｅは、第2の通信制御部５０３Ｅからの取引要求信号が入力すると、当該取引要求信号に含まれる振替先の口座番号が口座データ記憶部５０４Ｅに記憶されているか否かを確認する。
【０４２２】
制御部５０５Ｅは、振替先の口座番号が口座データ記憶部５０４Ｅに記憶されていなかった場合、その旨を示すエラーコードを付与した不許可信号を第2の通信制御部５０３Ｅに出力する。
なお、制御部５０５Ｅは、振替先の口座番号が口座データ記憶部５０４Ｅに記憶されていた場合は、第2の通信制御部５０３Ｅに当該取引きを許可する許可信号を出力するとともに、口座データ記憶部５０４Ｅへ当該取引要求信号に含まれるカードデータ、取引コード、振替先口座番号、取引金額を含む取引データを出力する。
口座データ記憶部５０４Ｅは、制御部５０５Ｅからの取引データが入力すると、当該取引データに含まれる振替先口座番号の取引データとして当該取引データを記憶する。
【０４２３】
制御部５０５Ｅからの許可信号または不許可信号が入力した第2の通信制御部５０３Ｅは、通信回線を介して当該入力信号を金融機関Ｄの処理装置５Ｄに送信する。
【０４２４】
金融機関Ｄの処理装置５Ｄの第２の通信制御部５０３Ｄは、金融機関ネットワーク４を介して金融機関Ｆの処理装置５Ｆおよび金融機関Ｅの処理装置５Ｅからの許可信号または不許可信号を受信すると、当該受信信号を制御部５０５Ｄへ出力する。
制御部５０５Ｄは、金融機関Ｆの処理装置５Ｆまたは金融機関Ｅの処理装置５Ｅからの不許可信号が第2の通信制御部５０３Ｄを介して入力した場合は、当該確認不可信号を第１の通信制御部５０１Ｄに出力する。
なお、制御部５０５Ｄは、金融機関Ｆの処理装置５Ｆおよび金融機関Ｅの処理装置５Ｅからの許可信号が第2の通信制御部５０３Ｄを介して入力した場合は、当該許可信号を第１の通信制御部５０１Ｄに出力する。
【０４２５】
制御部５０５Ｄからの許可信号または不許可信号が入力した第１の通信制御部５０１Ｄは、通信回線を介して当該入力信号を管理装置２ｂに送信する。
【０４２６】
管理装置２ｂの通信制御部２０５Ｄは、金融機関Ｄの処理装置５Ｄからの許可信号または不許可信号を受信すると、当該受信信号を制御部２０８ｂへ出力する。
【０４２７】
制御部２０８ｂは、通信制御部２０５Ｄからの許可信号または不許可信号が入力すると、当該入力信号を通信制御部２０１ｂへ出力する。このとき、通信履歴記憶部２０６は、当該許可信号または不許可信号と通信先コードを記憶する。
【０４２８】
通信制御部２０１ｂは、制御部２０８ｂから入力した許可信号または不許可信号を自動取引装置１Ｄへ通信回線を介して送信する。
【０４２９】
自動取引装置１Ｄの通信制御部１０６Ｄは、管理装置２ｂからの許可信号または不許可信号を受信すると、制御部１１１Ｄに当該受信信号を出力する。
制御部１１１Ｄは、通信制御部１０６Ｄからの許可信号が入力すると、自動取引装置毎に予め付与されている識別情報、カードデータ、取引コード、振替先金融機関コード、振替先口座番号、取引金額を含む取引データを通信制御部１０６Ｄおよび取引きデータ記憶部１０８へ出力する。また、制御部１１１Ｄは、表示部１０１に取引が行われたことを利用者に報せる表示データを出力するとともに、カードリーダ１０３のカード排出部よりカードを排出させる。
【０４３０】
取引データ記憶部１０８は、制御部１１１Ｄからの取引データが入力すると、当該取引データを記憶する。
表示部１０１は、制御部１１１Ｄからの表示データが入力すると、当該表示データに応じて取引が行われたことを文字や図によって表示し、利用者に報知する。また、カードリーダ１０３は挿入されたカードを排出する。
【０４３１】
利用者は、表示部１０１に表示された内容を確認し、カードリーダ１０３より排出されたカードを取り出す。
【０４３２】
通信制御部１０６Ｄは、制御部１１１Ｄからの取引データが入力すると、当該データを管理装置２ｂへ送信する。
【０４３３】
管理装置２ｂの通信制御部２０１ｂは、自動取引装置１Ｄからの取引データを受信すると、当該取引データを制御部２０８ｂへ出力する。
【０４３４】
制御部２０８ｂは、通信制御部２０１ｂからの取引データが入力すると、当該取引データを取引データ記憶部２０２を構成する第１の取引データ記憶部に出力する。
【０４３５】
第１の取引データ記憶部は、制御部２０８ｂからの取引データが入力すると、当該取引データを記憶する。
【０４３６】
なお、制御部１１１Ｄは、通信制御部１０６Ｄからの確認不可信号または不許可信号が入力すると、エラーコードに示される理由によって取引ができないことを表示させるための表示データを表示部１０１へ出力するとともに、カードリーダ１０３のカード排出部に挿入されたカードを排出させ、当該取引きを終了する。
【０４３７】
表示部１０１は、制御部１１１Ｄからの表示データが入力すると当該表示データに応じて取引ができないことを文字や図により表示し利用者へ報知する。また、カードリーダ１０３のカード排出部は挿入されたカードを排出する
３．残高照会
(１) 金融機関Ｄの口座の残高照会
金融機関Ｄのカードを保有している利用者が、予め金融機関Ｄより発行されたカードをに対応する口座の残高を自動取引装置１Ｄにより調べる場合、まず、利用者は、入力部１０２より表示部１０１に表示された取引メニューのうち「残高照会」を選択する。すると、入力部１０２は、「残高照会」が選択されたことを示す選択信号を制御部１１１Ｄに対して出力する。
制御部１１１Ｄは、入力部１０２からの選択信号が入力すると、利用者に対しカードリーダ１０３にカードを挿入するよう促すメッセージを表示させるための表示データを表示部１０１に出力する。
表示部１０１は、制御部１１１Ｄからの表示データが入力すると、利用者に対しカードの挿入を促すメッセージを文字または図により表示する。
このメッセージを見た利用者は、自己の保有するカードを自動取引装置１Ｄへ挿入する。
自動取引装置１Ｄのカードリーダ１０３は、挿入されたカードに書き込まれたカードデータを読込み、当該カードデータを制御部１１１Ｄへ出力する。
制御部１１１Ｄは、カードリーダ１０３からのカードデータが入力すると、利用者に対し入力部１０２から暗証番号を入力するよう促すメッセージを表示させるための表示データを表示部１０１に出力する。
表示部１０１は、制御部１１１Ｄからの表示データが入力すると、利用者に対し暗証番号の入力を促すメッセージを文字または図により表示する。
このメッセージを見た利用者は、挿入したカードに対応する暗証番号を入力部１０２より入力する。
入力部１０２は、利用者が入力した暗証番号を制御部１１１Ｄへ出力する。
制御部１１１Ｄは、カードリーダ１０３からのカードデータおよび入力部１０２からの暗証番号が入力すると、金融機関記憶部１０７に記憶されている通信先コードを読み込み、当該通信先コード、カードデータ、暗証番号、入力部１０２にて利用者が選択した取引の内容（この場合、「残高照会」）を示す取引コードを含む取引要求信号を通信制御部１０６Ｄへ出力する。
通信制御部１０６Ｄは、制御部１１１Ｄからの取引要求信号が入力すると、予め記憶している通信手順にしたがって管理装置２ｂとの通信回線の接続動作を行い、管理装置２ｂとの間の通信回線が接続すると、制御部１１１Ｄから入力した取引要求信号を当該通信回線を介して管理装置２ｂへ送信する。
管理装置２ｂの通信制御部２０１ｂは、自動取引装置１Ｄからの取引要求信号を受信すると、当該取引要求信号を制御部２０８ｂへ出力する。
制御部２０８ｂは、通信制御部２０１ｂからの取引要求信号が入力すると、当該取引要求信号に含まれる通信先コードがいずれの金融機関を示すものであるかを確認する。ここで、通信先コードは、金融機関Ｄの金融機関コードであるため、当該取引要求信号を通信制御部２０５Ｄに出力する。
通信制御部２０５Ｄは、制御部２０８ｂからの取引き要求信号が入力すると、予め記憶している通信手順にしたがって金融機関Ｄの処理装置５Ｄへカードデータ、暗証番号、取引コードを含む取引要求信号を送信する。このとき、通信履歴記憶部２０６ｂは、当該取引要求データおよび通信先コードを記憶する。
金融機関Ｄの第１の通信制御部５０１Ｄは、通信回線を介して管理装置２ｂからの取引要求信号を受信すると、当該取引要求信号を制御部５０５Ｄへ出力する。制御部５０５Ｄは、第１の通信制御部５０１Ｄからの取引要求信号が入力すると、当該取引要求信号に含まれるカードデータの金融機関コードが金融機関Ｄの金融機関コードであることを確認する。カードデータの金融機関コードは金融機関Ｄの金融機関コードであるため、制御部５０５Ｄは次に、当該カードデータの口座番号が口座データ記憶部５０４Ｄに記憶されているか否か、および、取引要求信号に含まれる暗証番号が当該口座番号に対応する暗証番号として口座データ記憶部５０４Ｄに記憶されているか否かを判断する。
当該カードデータの口座番号が口座データ記憶部５０４Ｄに記憶されており、かつ、取引要求信号に含まれる暗証番号が当該口座番号に対応する暗証番号として口座データ記憶部５０４Ｄに記憶されていた場合は、第１の通信制御部５０１Ｄに当該取引を許可することを示す情報および当該口座の残高データを含む許可信号を出力する。
第１の通信制御部５０１Ｄは、制御部５０５Ｄからの許可信号が入力すると、当該許可信号を通信回線を介して管理装置２ｂに送信する。
管理装置２ｂの通信制御部２０５Ｄは、金融機関Ｄの処理装置５Ｄからの許可信号を受信すると、当該許可信号を制御部２０８ｂへ出力する。このとき、通信履歴記憶部２０６ｂは、受信した許可信号と通信先コードを記憶する。
制御部２０８ｂは、通信制御部２０５Ｄからの許可信号が入力すると、当該許可信号を通信制御部２０１ｂへ出力する。
通信制御部２０１ｂは、制御部２０８ｂから入力した許可信号を自動取引装置１Ｄへ通信回線を介して送信する。
自動取引装置１Ｄの通信制御部１０６Ｄは、管理装置２ｂからの許可信号を受信すると、当該許可信号を制御部１１１Ｄへ出力する。
制御部１１１Ｄは、通信制御部１０６Ｄからの許可信号が入力すると、当該許可信号に含まれる残高データに応じて当該口座の残高を表示させるための表示データを表示部１０１へ出力するとともに、カードリーダからカードを排出させる。表示部１０１は、制御部１１１Ｄからの表示データが入力すると、当該表示データに応じて残高を文字や図により表示し利用者へ報知する。
利用者は、表示部１０１に表示された内容を確認し、カードリーダより排出されたカードを取り出す。
なお、金融機関Ｄの処理装置５Ｄの制御部５０５Ｄは、第１の通信制御部５０１Ｄから取引要求信号が入力したときに、当該取引要求信号に含まれるカードデータの口座番号が口座データ記憶部５０４Ｄに記憶されていない、または、取引要求信号に含まれる暗証番号が当該口座番号に対応する暗証番号として口座データ記憶部５０４Ｄに記憶されていなかった場合は、第１の通信制御部５０１Ｄに当該取引を許可しないことを示す不許可信号を出力する。
第１の通信制御部５０１Ｄは、制御部５０５Ｄからの不許可信号が入力すると、当該不許可信号を通信回線を介して管理装置２ｂに送信する。
管理装置２ｂの通信制御部２０５Ｄは、金融機関Ｄの処理装置５Ｄからの不許可信号を受信すると、当該不許可信号を制御部２０８ｂへ出力する。このとき、通信履歴記憶部２０６ｂは、受信した不許可信号と通信先コードを記憶する。
制御部２０８ｂは、通信制御部２０５Ｄからの不許可信号が入力すると、当該不許可信号を通信制御部２０１ｂへ出力する。
通信制御部２０１ｂは、制御部２０８ｂから入力した不許可信号を自動取引装置１Ｄへ通信回線を介して送信する。
自動取引装置１Ｄの通信制御部１０６Ｄは、管理装置２ｂからの不許可信号を受信すると、当該不許可信号を制御部１１１Ｄへ出力する。
制御部１１１Ｄは、通信制御部１０６Ｄからの不許可信号が入力すると、カードデータに対抗する口座がないまたは暗証番号が違っているなどの理由により残高照会ができないことを表示させるための表示データを表示部１０１へ出力する。表示部１０１は、制御部１１１ｂからの表示データが入力すると、当該表示データに応じて残高照会ができないことを文字や図により表示し利用者へ報知する。
(２) 金融機関Ｆの口座の残高照会
金融機関Ｆのカードを保有している利用者が、予め金融機関Ｆより発行されたカードを利用して自動取引装置１Ｄにより当該カードに対応する口座の残高を調べる場合、まず、利用者は、入力部１０２より表示部１０１に表示された取引メニューのうち「残高照会」を選択する。すると、入力部１０２は、「残高照会」が選択されたことを示す選択信号を制御部１１１Ｄに対して出力する。
制御部１１１Ｄは、入力部１０２からの選択信号が入力すると、利用者に対しカードリーダ１０３にカードを挿入するよう促すメッセージを表示させるための表示データを表示部１０１に出力する。
表示部１０１は、制御部１１１Ｄからの表示データが入力すると、利用者に対しカードの挿入を促すメッセージを文字または図により表示する。
このメッセージを見た利用者は、自己の保有するカードを自動取引装置１Ｄへ挿入する。
自動取引装置１Ｄのカードリーダ１０３は、挿入されたカードに書き込まれたカードデータを読込み、当該カードデータを制御部１１１Ｄへ出力する。
制御部１１１Ｄは、カードリーダ１０３からのカードデータが入力すると、利用者に対し入力部１０２から暗証番号を入力するよう促すメッセージを表示させるための表示データを表示部１０１に出力する。
表示部１０１は、制御部１１１Ｄからの表示データが入力すると、利用者に対し暗証番号の入力を促すメッセージを文字または図により表示する。
このメッセージを見た利用者は、挿入したカードに対応する暗証番号を入力部１０２より入力する。
入力部１０２は、利用者が入力した暗証番号を制御部１１１Ｄへ出力する。
制御部１１１Ｄは、カードリーダ１０３からのカードデータおよび入力部１０２からの暗証番号が入力すると、金融機関記憶部１０７に記憶している通信先コードを読み込み、当該通信先コード、カードデータ、暗証番号、取引コードを含む取引要求信号を通信制御部１０６Ｄへ出力する。
通信制御部１０６Ｄは、制御部１１１Ｄからの取引要求信号が入力すると、予め記憶している通信手順にしたがって管理装置２ｂとの通信回線の接続動作を行い、管理装置２ｂとの間の通信回線が接続すると、制御部１１１Ｄから入力した取引要求信号を当該通信回線を介して管理装置２ｂへ送信する。
管理装置２ｂの通信制御部２０１ｂは、自動取引装置１Ｄからの取引要求信号を受信すると、当該取引要求信号を制御部２０８ｂへ出力する。
制御部２０８ｂは、通信制御部２０１ｂからの取引要求信号が入力すると、当該取引要求信号に含まれる通信先コードがいずれの金融機関を示すものであるかを確認する。ここで、通信先コードは、金融機関Ｄの金融機関コードであるため、当該取引要求信号を通信制御部２０５Ｄに出力する。
通信制御部２０５Ｄは、制御部２０８ａからの取引き要求信号が入力すると、予め記憶している通信手順にしたがって金融機関Ｄの処理装置５Ｄに対しカードデータ、暗証番号、取引コードを含む取引要求信号を送信する。このとき、通信履歴記憶部２０６ｂは、当該取引要求信号および通信先データを記憶する。
金融機関Ｄの第１の通信制御部５０１Ｄは、通信回線を介して管理装置２ｂからの取引要求信号を受信すると、当該取引要求信号を制御部５０５Ｄへ出力する。制御部５０５Ｄは、第１の通信制御部５０１Ｄからの取引要求信号が入力すると、当該取引要求信号に含まれるカードデータの金融機関コードがいずれの金融機関の金融機関コードであるかを確認する。カードデータの金融機関コードは金融機関Ｆの金融機関コードであるため、制御部５０５Ｄは次に、当該カードデータ、取引コード、取引金額を含む取引要求信号を第２の通信制御部５０３Ｄへ出力する。
第２の通信制御部５０３Ｄは、制御部５０５Ｄからの取引要求信号が入力すると、当該取引要求信号に含まれるカードデータの金融機関コードをもとに、通信手順記憶部５０２Ｄに記憶している通信手順のうち、当該金融機関コードに対応する金融機関との通信手順、つまり、金融機関Ｆの処理装置５Ｆとの通信手順を読み込み、読み込んだ通信手順にしたがって金融機関ネットワーク４を介して金融機関Ｆの処理装置５Ｆとの通信回線の接続動作を行う。そして、金融機関Ｆの処理装置５Ｆとの間の通信回線が接続されると、金融機関Ｆの処理装置５Ｆへ取引要求信号を送信する。
金融機関Ｆの処理装置５Ｆの通信制御部５０３Ｆは、金融機関ネットワーク４を介して金融機関Ｄの処理装置５Ｄからの取引要求信号を受信すると、当該取引要求信号を制御部５０５Ｆへ出力する。
制御部５０５Ｆは、通信制御部５０３Ｆからの取引要求信号が入力すると、当該取引要求信号に含まれるカードデータの口座番号が口座データ記憶部５０４Ｆに記憶されているか否か、および、取引要求信号に含まれる暗証番号が当該口座番号に対応する暗証番号として口座データ記憶部５０４Ｆに記憶されているか否かを判断する。
当該カードデータの口座番号が口座データ記憶部５０４Ｆに記憶されており、かつ、取引要求信号に含まれる暗証番号が当該口座番号に対応する暗証番号として口座データ記憶部５０４Ｆに記憶されていた場合は、通信制御部５０３Ｆに当該取引を許可することを示す情報と当該口座の残高に応じた残高データとを含む許可信号を出力する。
通信制御部５０３Ｆは、制御部５０５Ｆからの許可信号が入力すると、当該許可信号を金融機関ネットワーク４を介して金融機関Ｄの処理装置５Ｄに送信する。金融機関Ｄの第２の送受信部５０３Ｄは、金融機関ネットワーク４を介して金融機関Ｆの処理装置５Ｆからの許可信号を受信すると、当該許可信号を制御部５０５Ｄへ出力する。
制御部５０５Ｄは、第２の通信制御部５０３Ｄからの許可信号が入力すると、当該許可信号を第１の通信制御部５０１Ｄへ出力する。
第１の通信制御部５０１Ｄは、制御部５０５Ｄからの許可信号が入力すると、当該許可信号を管理装置２ｂへ送信する。
管理装置２ｂの通信制御部２０５Ｄは、金融機関Ｄの処理装置５Ｄからの許可信号を受信すると、当該許可信号を制御部２０８ｂへ出力する。このとき、通信履歴記憶部２０６ｂは、受信した許可信号と通信先コードを記憶する。
制御部２０８ｂは、通信制御部２０５Ｄからの許可信号が入力すると、当該許可信号を通信制御部２０１ｂへ出力する。
通信制御部２０１ｂは、制御部２０８ｂから入力した許可信号を自動取引装置１ｂへ通信回線を介して送信する。
自動取引装置１Ｄの通信制御部１０６Ｄは、管理装置２ｂからの許可信号を受信すると、当該許可信号を制御部１１１Ｄへ出力するとともに、管理装置２ｂとの間に接続されている通信回線を切断する。
制御部１１１Ｄは、通信制御部１０６Ｄからの許可信号が入力すると、当該許可信号に含まれている残高データに応じた残高を表示させるための表示データを表示部１０１へ出力する。
表示部１０１は、制御部１１１Ｄからの表示データが入力すると、当該表示データに応じて当該カードに対応する口座の残高を文字や図により表示し利用者へ報知する。
利用者は、表示部１０１に表示された内容を確認し、カードリーダより排出されたカードを取り出す。
なお、金融機関Ｆの処理装置５Ｆの制御部５０５Ｆは、通信制御部５０３Ｆから取引要求信号が入力したときに、当該取引要求信号に含まれるカードデータの口座番号が口座データ記憶部５０４Ｆに記憶されていない、または、取引要求信号に含まれる暗証番号が当該口座番号に対応する暗証番号として口座データ記憶部５０４Ｆに記憶されていなかった場合は、通信制御部５０３Ｆに当該取引を許可しないことを示す不許可信号を出力する。
通信制御部５０３Ｆは、制御部５０５Ｆからの不許可信号が入力すると、当該不許可信号を金融機関ネットワーク４を介して金融機関Ｄの処理装置５Ｄに送信する。
金融機関Ｄの処理装置５Ｄの第２の送受信部５０３Ｄは、金融機関ネットワーク４を介して金融機関Ｆの処理装置５Ｆからの不許可信号を受信すると、当該不許可信号を制御部５０５Ｄへ出力するとともに金融機関Ｆの処理装置５Ｆとの間の通信回線を切断する。
制御部５０５Ｄは、第２の通信制御部５０３Ｄからの不許可信号が入力すると、当該不許可信号を第１の通信制御部５０１Ｄへ出力する。
第１の通信制御部５０１Ｄは、制御部５０５Ｄからの不許可信号が入力すると、当該不許可信号を管理装置２ｂに送信する。
管理装置２ｂの通信制御部２０５Ｄは、金融機関Ｄの処理装置５Ｄからの不許可信号を受信すると、当該不許可信号を制御部２０８ｂへ出力する。このとき、通信履歴記憶部２０６ｂは、受信した不許可信号と通信先コードを記憶する。
制御部２０８ｂは、通信制御部２０５Ｄからの不許可信号が入力すると、当該不許可信号を通信制御部２０１ｂへ出力する。
通信制御部２０１ｂは、制御部２０８ｂから入力した不許可信号を自動取引装置１Ｄへ通信回線を介して送信する。
自動取引装置１Ｄの通信制御部１０６Ｄは、管理装置２ｂからの不許可信号を受信すると、当該不許可信号を制御部１１１Ｄへ出力する。
制御部１１１Ｄは、通信制御部１０６Ｄからの不許可信号が入力すると、カードデータに対応する口座がないまたは暗証番号が違っているなどの理由により残高照会ができないことを表示させるための表示データを表示部１０１へ出力する。表示部１０１は、制御部１１１Ｄからの表示データが入力すると、当該表示データに応じて残高照会ができないことを文字や図により表示し利用者へ報知する。
４．自動取引装置１ａ内の現金の回収、補充
(１) 現金の回収
自動取引装置１Ｄにおいて現金の振込みが行われると、利用者が自動取引装置１Ｄに投入した現金が紙幣預入れ機構１０４の保管箱に投入され、保管箱で保管される。紙幣預入れ機構１０４では、この保管箱内の現金の量が所定の量を超えたことを検出すると、現金の量が予め設定している所定の量を超えたことを示す情報と当該自動取引装置の識別情報を含むニアフル信号を制御部１１１Ｄへ出力する。
制御部１１１Ｄは、紙幣預入れ機構１０４からのニアフル信号が入力すると、当該ニアフル信号を通信制御部１０６Ｄへ出力する。
通信制御部１０６Ｄは、制御部１１１Ｄからのニアフル信号が入力すると、管理装置２ｂとの通信回線の接続動作を行い、管理装置２ｂとの間の通信回線が接続されると、前記ニアフル信号を通信回線を介して管理装置２ｂへ送信し、管理装置２ｂとの間の通信回線を切断する。
管理装置２ｂの通信制御部２０１ｂは、自動取引装置１ａからのニアフル信号を受信すると、当該ニアフル信号を制御部２０８ｂへ出力する。
制御部２０８ｂは、通信制御部２０１ｂからのニアフル信号が入力すると、個別情報記憶部２０３に記憶している個別情報のうち、当該ニアフル信号に含まれる識別情報に対応する個別情報と当該自動取引装置１ｂの保管箱内の現金の量が所定の量を超えたことを示す情報を表示させるための表示データを表示部２０７へ出力する。
管理装置２ｂの表示部２０７に表示された内容をもとに自動取引装置１ｂ内の現金の回収に向かった対処員は、まず、入力部１０２より表示部１０１に表示された取引メニューのうち「現金の回収」を選択する。すると、入力部１０２は、「現金の回収」が選択されたことを示す選択信号を制御部１１１Ｄへ出力する。
制御部１１１Ｄは、入力部１０２からの選択信号が入力すると、対処員に対しカードリーダ１０３にカードを挿入するよう促すメッセージを表示させるための表示データを表示部１０１に出力する。
表示部１０１は、制御部１１１Ｄからの表示データが入力すると、利用者に対しカードの挿入を促すメッセージを文字または図により表示する。
このメッセージを見た対処員は、自己の保有するカードを自動取引装置１Ｄへ挿入する。
自動取引装置１Ｄのカードリーダ１０３は、挿入されたカードに書き込まれたカードデータを読込み、当該カードデータを制御部１１１Ｄへ出力する。
制御部１１１Ｄは、カードリーダ１０３からのカードデータが入力すると、当該カードデータが照合データ記憶部１１２に記憶している照合データのいずれかと一致するか否かを判断する。当該カードデータが照合データとして記憶されていれば、対処員に対し入力部１０２から金額を入力するよう促すメッセージを表示させるための表示データを表示部１０１に出力する。ただし、当該カードデータが照合データのいずれとも一致しなかった場合は、カードデータが一致しないことを表示させるための表示データを表示部１０１へ出力した後、処理を終了する。
表示部１０１は、制御部１１１Ｄからの表示データが入力すると、表示データに応じたメッセージを文字または図により表示する。
対処員は、引出す現金の金額を入力部１０２より入力する。
入力部１０２は、利用者が入力した金額（回収金額）を制御部１１１Ｄへ出力する。
制御部１１１Ｄは、入力部１０２から回収金額が入力すると、当該回収金額に応じた金額データを紙幣支払い機構１０５へ出力しカードリーダからカードを排出させるとともに、入出金口から現金を取り出すよう指示するメッセージを表示させるための表示データを表示部１０１へ出力する。
紙幣支払い機構１０５は、制御部１１１Ｄからの金額データが入力すると、当該金額データに応じた現金を保管箱から取り出し、入出金口へ排出する。
対処員は、表示部１０１に表示された内容を確認し、入出金口へ排出された現金およびカードリーダより排出されたカードを取り出す。
(２) 現金の補充
自動取引装置１Ｄにおいて現金の引出しが行われると、利用者が自動取引装置１Ｄにて引出す現金が紙幣支払い機構１０５の保管箱より排出される。
紙幣支払い機構１０５では、この保管箱内の現金の量が所定の量を下回ったことを検出すると、現金の量が予め設定している所定の量を下回ったことを示す情報と当該自動取引装置の識別情報を含むニアエンド信号を制御部１１１Ｄへ出力する。
制御部１１１Ｄは、紙幣支払い機構１０５からのニアエンド信号が入力すると、当該ニアエンド信号を通信制御部１０６Ｄへ出力する。
通信制御部１０６Ｄは、制御部１１１Ｄからのニアエンド信号が入力すると、管理装置２ｂとの通信回線の接続動作を行い、管理装置２ｂとの間の通信回線が接続されると、前記ニアエンド信号を通信回線を介して管理装置２ｂへ送信し、管理装置２ｂとの間の通信回線を切断する。
管理装置２ｂの通信制御部２０１ｂは、自動取引装置１Ｄからのニアエンド信号を受信すると、当該ニアエンド信号を制御部２０８ｂへ出力する。
制御部２０８ｂは、通信制御部２０１ｂからのニアエンド信号が入力すると、個別情報記憶部２０３に記憶している個別情報のうち、当該ニアエンド信号に含まれる識別情報に対応する個別情報と当該自動取引装置１Ｄの保管箱内の現金の量が所定の量を下回ったことを示す情報を表示させるための表示データを表示部２０７へ出力する。
管理装置２ｂの表示部２０７に表示された内容をもとに自動取引装置１Ｄ内の現金の補充に向かった対処員は、まず、入力部１０２より表示部１０１に表示された取引メニューのうち「現金の補充」を選択する。すると、入力部１０２は、「現金の補充」が選択されたことを示す選択信号を制御部１１１Ｄへ出力する。
制御部１１１Ｄは、入力部１０２からの選択信号が入力すると、対処員に対しカードリーダ１０３へカードを挿入するよう促すメッセージを表示させるための表示データを表示部１０１に出力する。
表示部１０１は、制御部１１１Ｄからの表示データが入力すると、対処員に対しカードの挿入を促すメッセージを文字または図により表示する。
このメッセージを見た対処員は、自己の保有するカードを自動取引装置１Ｄへ挿入する。
自動取引装置１Ｄのカードリーダ１０３は、挿入されたカードに書き込まれたカードデータを読込み、当該カードデータを制御部１１１Ｄへ出力する。
制御部１１１Ｄは、カードリーダ１０３からのカードデータが入力すると、当該カードデータが照合データ記憶部１１２に記憶している照合データのいずれかと一致するか否かを判断する。当該カードデータが照合データとして記憶されていれば、対処員に対し紙幣預入れ機構１０４の入出金口への現金の投入を促すメッセージを表示させるための表示データを表示部１０１に出力する。
表示部１０１は、制御部１１１Ｄからの表示データが入力すると、対処員に対し現金の投入を促すメッセージを文字または図により表示する。
このメッセージを見た対処員は、補充用の現金を入出金口へ投入する。
なお、制御部１１１Ｄは、当該カードデータが照合データのいずれとも一致しなかった場合は、カードデータが一致しないことを表示させるための表示データを表示部１０１へ出力した後、処理を終了する。
表示部１０１は、制御部１１１Ｄからの表示データが入力すると、表示データに応じたメッセージを文字または図により表示する。
紙幣預入れ機構１０４は、入出金口に投入された現金の金額（補充金額）を計算し、当該補充金額に応じた金額データを制御部１１１Ｄへ出力するとともに、投入された現金を保管箱に投入する。
制御部１１１Ｄは、カードリーダからカードを排出させるとともに、排出したカードの取出しを指示するメッセージを表示させるための表示データを表示部１０１へ出力する。
表示部１０１は、制御部１１１Ｄからの表示データが入力すると、当該表示データに応じてカードの取出しを指示するメッセージを文字や図により表示する。
対処員は、表示部１０１に表示された内容を確認し、カードリーダより排出されたカードを取り出す。
５．現金の管理
自動取引装置１Ｄの制御部１１１Ｄは、スケジュール記憶部１０９に記憶している時刻になると、取引データ記憶部１０８に記憶している取引データを読み込み、当該取引データと当該自動取引装置１Ｄに予め付与されている識別情報を締めデータとして通信制御部１０６Ｄへ出力する。
通信制御部１０６Ｄは、制御部１１１Ｄからの締めデータが入力すると、予め記憶している通信手順にしたがって管理装置２ｂとの通信回線の接続動作を行い、通信回線が接続されると、当該締めデータを管理装置２ｂへ送信する。
管理装置２ｂの通信制御部２０１ｂは、通信回線を介して自動取引装置１Ｄからの締めデータを受信すると、当該締めデータを制御部２０８ｂに出力する。
制御部２０８ｂは、通信制御部２０１ｂからの締めデータが入力すると、当該締めデータに含まれる取引データを取引データ記憶部２０２を構成する第２の取引データ記憶部へ出力する。
第２の取引データ記憶部は、制御部２０８ｂから入力した取引データを記憶する。
そして、制御部２０８ｂは、第１の取引データ記憶部に記憶している取引データと第２の取引データ記憶部に記憶した取引データを照合する。両者が一致した場合は、当該取引データを確認データとして第１の記憶部に出力する。
なお、制御部２０８ｂは、両者が一致しなかった場合は、通信履歴記憶部２０６ｂに記憶している通信履歴をもとに第１の取引データ記憶部に記憶した取引データの正否を判断する。この結果、第１の取引データが正しいものであることが確認された場合は、当該取引データを確認データとして第１の記憶部に出力する。ただし、第１の取引データ記憶部に記憶した取引データが正しいものでなかった場合は、当該締めデータに含まれる識別情報をもとに個別情報記憶部２０３から当該識別情報に対応する個別情報を読み込み、当該個別情報および第１の取引データ記憶部に記憶している取引データの取引金額が一致しなかったことを表示するための表示データを表示部２０７へ出力する。
表示部２０７は、制御部２０８ｂからの表示データが入力すると、当該入力データに応じて、当該自動取引装置１Ｄの個別情報および第１の取引データ記憶部に記憶している取引データの取引金額が一致しなかったことを文字や図により表示する。
その後、管理装置２ｂの制御部２０８ｂは、スケジュール記憶部２１１に記憶している時刻になると、第１の取引データ記憶部に記憶している確認データのうち、同じ金融機関コードを有する確認コードに含まれる取引金額を加算し、金額記憶部２０４に当該金融機関コードに対応して記憶している合計額を読み込み、読み込んだ合計金額に前記第１の取引データ記憶部に記憶している確認データから求めた金額を加算した合計額と当該金融機関の金融機関コードを合計額データとして金額記憶部２０４へ出力する。
金額記憶部２０４は、制御部２０８ｂからの合計額データが入力すると、当該合計額データに含まれる金融機関コードをもとに各金融機関の合計額として記憶する。
そして、制御部２０８ｂは、当該合計額と金額記憶部２０４に予め記憶している当該金融機関の基準額とを比較し、当該金融機関の合計額が基準額を上回ったまたは下回った場合に、当該金融機関の合計額と合計額が予め設定された基準額を外れたことを表示させるための表示データを表示部２０７へ出力する。
表示部２０７は、制御部２０８ｂからの表示データが入力すると、当該入力信号に応じて当該金融機関の合計額と合計額が予め設定された基準額を外れたことを文字や図により表示する。
なお、上記実施例２では自動取引装置１Ｄにより各種の取引を行った場合について説明したが、自動取引装置1Ｅを用いた場合も同様に、同じ動作を行う。ただし、自動取引装置1Ｅから送信される確認要求信号および取引要求信号に含まれる通信先コードは金融機関Ｅを示す金融機関コードであるため、管理装置２ｂは自動取引装置1Ｅから送信される確認要求信号および取引要求信号を通信制御部２０５Ｅを介して金融機関Ｅの処理装置５Ｅへ送信する。
【発明の効果】
以上の通り、本願の決済管理システムによれば、管理装置と各金融機関の処理装置の間を公衆ネットワークまたは専用回線を接続することにより金融機関との通信手順の制御を管理装置が一括して行うため、自動取引装置に複数の金融機関との通信手順を記憶させる必要がなく、１台の自動取引装置で複数の金融機関と決済処理を行うことができ、しかも、安価な自動取引装置を提供することができる。
【０４３８】
また、本願の決済管理システムによれば、管理装置により各自動取引装置内の現金の回収や補充の管理、自動取引装置内の実際の在り高と取り引きしたデータから計算した論理上の在り高とを一括して照合することができ、さらに、実際の在り高と論理上の在り高とが一致しなかった場合は、金融機関との間で行われた通信履歴と照合することにより、確実に実際の在り高と論理上の在り高の照合を行うことができる。
【図面の簡単な説明】
【図１】実施例１記載の本願の決済管理システムのブロック図である。
【図２】実施例２記載の本願の決済管理システムのブロック図である。
【符号の説明】
１ａ，１Ｄ，１Ｅ 自動取引装置
１０１ 表示部        １０２ 入力部        １０３ カードリーダ
１０４ 紙幣預入れ機構        １０５ 紙幣支払い機構
１０６，１０６Ｄ，１０６Ｅ 通信制御部
１０７，１０７Ｄ，１０７Ｅ 金融機関記憶部
１０８ 取引データ記憶部        １０９ スケジュール記憶部
１１０ 在り高記憶部        １１１ａ，１１１Ｄ，１１１Ｅ 制御部
１１２ 照合データ記憶部
２ａ，２ｂ 管理装置
２０１，２０１ｂ 通信制御部        ２０２ 取引データ記憶部
２０３ 個別情報記憶部        ２０４ 金額記憶部
２０５，２０５Ｄ，２０５Ｅ 通信制御部
２０６，２０６ｂ 通信履歴記憶部        ２０７ 表示部
２０８ａ，２０８ｂ 制御部        ２１１ スケジュール記憶部
３ 公衆ネットワーク
４ 金融機関ネットワーク
５Ａ，５Ｂ，５Ｃ，５Ｄ，５Ｅ，５Ｆ 処理装置
５０１Ａ，５０１Ｂ，５０１Ｄ，５０１Ｅ 第１の通信制御部
５０２Ａ，５０２Ｄ，５０２Ｅ 通信手順記憶部
５０３Ａ，５０３Ｂ，５０３Ｄ，５０３Ｅ 第２の通信制御部
５０３Ｃ，５０３Ｆ 通信制御部
５０４Ａ，５０４Ｂ，５０４Ｃ，５０４Ｄ，５０４Ｅ，５０４Ｆ 口座データ記憶部
５０５Ａ，５０５Ｂ，５０５Ｃ，５０５Ｄ，５０５Ｅ，５０５Ｆ 制御部
【図１】
0004541478.tif 000002
【図２】
0004541478.tif 000003